(57)【要約】  身体の開口部の側面全体に対して繰り返し均一で持続可能な圧力を徐々に増加および減少させて与えることができ、身体開口部の拡張および伸張などの理学療法に用いる胴回り調整可能な装置。本装置は、少なくとも１つのコントローラ、ハウジング、少なくとも１つのねじ付き軸、少なくとも１つのモジュール、複数のシャフト部材および少なくとも１つの鞘を備える。身体の開口部に挿入する必要がある胴回り調整可能な装置の部分はシャフトである。ユーザーはコントローラーを介して身体の開口部の内部のシャフトの胴回りサイズを増減する。
2021515615.tif 000002
【特許請求の範囲】
【請求項１】
胴回り調整可能装置であって、
Ａ）第１端部および第２端部を有する少なくとも１つのコントローラー、
Ｂ）第１端部、中間部、第２端部、および長手方向軸を有する少なくとも１つのねじ付き軸であって、
ここで前記ねじ付き軸の前記第１端部は、前記コントローラーの前記第２端部に接続されているもの、
Ｃ）コントローラーの第１端部、複数のシャフト部材溝および複数のシャフト部材突起を有するシャフト部材の第２端部、およびねじなし管を有するハウジングであって、
ここでねじなし管は、前記ねじ付き軸の前記第１端部を受け入れ、
ここで前記ハウジングは、少なくとも前記コントローラーの前記第２端部および前記ねじ付き軸の前記第１端部を囲むもの、
Ｄ）傾斜面を有する円錐部分、平坦な回転防止コネクタ、大文字のＴ形回転防止コネクタ、および傾斜した大文字Ｔからなるグループから選択された少なくとも１つの回転防止コネクタ、および、ねじ付き管、少なくとも１つのファスナーキャビティを持つねじ付き管、および少なくとも１つのファスナーキャビティを持つねじなし管からなるグループから選択される管を有する、少なくとも１つのモジュール、
Ｅ）少なくとも１つのハウジング溝を有する第１端部、中央部、傾斜接面を備えた少なくとも１つのモジュール窪み、少なくとも１つのモジュールコネクタ溝、および先端を有する複数のシャフト部材であって、
ここで前記複数のシャフト部材は、前記ねじ付き軸と前記モジュールを取り囲み、
ここで複数のシャフト部材溝と前記ハウジングの複数のシャフト部材突起とを有する前記シャフト部材の第２端部は、前記シャフト部材の前記第１端部をスライド可能に受容し、
ここで前記シャフト部材の傾斜接面を有する前記モジュールキャビティは、前記モジュールの前記傾斜面を持つ円錐部分を滑ることが可能なように受け入れ、
ここで、前記シャフト部材の前記モジュールコネクター窪みは前記モジュールの前記回転防止コネクターをスライド可能に受容するもの、
そして、
Ｆ）第１端部、中間部、先端と鞘胴回りを持つ少なくとも１つの鞘であって、
なおここで、前記鞘は少なくとも前記の複数のシャフト部材をとり囲み、
なおここで、前記鞘は軟性材料でつくられているもの、
で構成され、ここで、
前記コントローラーが前記鞘胴回りを増加させる方向に回転するとき、
前記ねじ付き軸が回転し、
前記モジュールが、前記シャフト部材の前記モジュールコネクタ溝にスライド可能に接続された前記モジュールの前記回転防止コネクタによって前記ねじ付き軸の前記長手方向軸の周りで回転することが防止され、前記ねじ付き軸に沿って移動し、
前記モジュールの前記傾斜面を持つ円錐部分が、前記シャフト部材の前記モジュール空洞の前記傾斜接面に対して、前記シャフト部材の傾斜接面を有する前記モジュール空洞の外側に向けてスライドし、
前記複数のシャフト部材の前記各シャフト部材は、前記ねじ付き軸の前記長手軸に垂直に前記ねじシャフトの前記長手軸の反対方向に移動し、
前記鞘は弾性的にその元の形から変形し、前記鞘胴回りの胴回り寸法が増加し、
前記鞘胴回りの胴回り寸法が増加したときに、前記コントローラーが前記鞘胴回りを減少させる方向に回転するとき、
前記ねじ付き軸が回転し、
前記モジュールが、前記シャフト部材の前記モジュールコネクタ溝にスライド可能に接続された前記モジュールの前記回転防止コネクタによって前記ねじ付き軸の前記長手方向軸の周りで回転することが防止され、前記ねじ付き軸に沿って戻るように移動し、
前記鞘はその元の形に戻ろうとし、
前記モジュールの前記傾斜面を持つ円錐部分が、前記シャフト部材の前記モジュール空洞の前記傾斜接面に対して、前記シャフト部材の傾斜接面を有する前記モジュール空洞の中側に向けてスライドし、
前記複数のシャフト部材の前記各シャフト部材は、前記ねじ付き軸の前記長手軸に垂直に前記ねじシャフトの前記長手軸の方向に戻るように移動し、
そして前記鞘胴回りの胴回り寸法が減少し、
ここで前記鞘の胴回りの胴回り寸法の増加と前記鞘の胴回りの胴回り寸法の減少は繰り返し可能である装置。
【請求項２】
胴回り調整可能装置であって、
Ａ）第１端部および第２端部を有する少なくとも１つのコントローラー、
Ｂ）第１端部、中間部、第２端部、および長手方向軸を有する少なくとも１つのねじ付き軸であって、
前記ねじ付き軸の前記第１端部は、前記コントローラーの前記第２端部に接続されているもの、
Ｃ）コントローラー第１端部、複数のシャフト部材溝および複数のシャフト部材突起を有するシャフト部材の第２端部、コントローラー管、およびねじ付き管、少なくとも１つのファスナーキャビティを有するねじ付き管、および少なくとも１つのファスナーキャビティを有するねじなし管からなる群から選択されるハウジング管、を有するハウジングであって、
ここで前記コントローラー管は、前記コントローラーの前記第２端部および前記ねじ付き軸の第１端部を受け入れ、
ここで前記ハウジングは、前記コントローラーの前記第２端部および前記ねじ付き軸の第１端部をとり囲むもの、
Ｄ）傾斜面を有する円錐部分、および、ねじなし管、ねじ付き管、少なくとも１つのファスナーキャビティを持つねじ付き管、および少なくとも１つのファスナーキャビティを持つねじなし管からなるグループから選択されるモジュール管を有する、少なくとも１つのモジュールであって、
ここで前記モジュール管はねじ付き軸を受け入れ、
ここで前記モジュールは前記ねじ付き軸に固定されているもの、
Ｅ）少なくとも１つのハウジング溝を有する第１端部、中央部、傾斜接面を備えた少なくとも１つのモジュール窪み、少なくとも１つのモジュールコネクタ溝、および先端を有する複数のシャフト部材であって、
ここで前記複数のシャフト部材は、前記ねじ付き軸と前記モジュールを取り囲み、
ここで、前記ハウジングの複数のシャフト部材溝と複数のシャフト部材突起とを有する前記シャフト部材第２端部は、前記シャフト部材の前記第１端部をスライド可能に受容し、
ここで前記シャフト部材の傾斜接面を有する前記モジュールキャビティは、前記モジュールの前記傾斜面を持つ円錐部分を滑ることが可能なように受け入れるもの、
そして、
Ｆ）第１端部、中間部、先端と鞘胴回りを持つ少なくとも１つの鞘であって、
ここで、前記鞘は少なくとも前記の複数のシャフト部材をとり囲み、
ここで前記鞘は軟性材料でつくられているもの、
で構成され、
ここで、前記コントローラーが前記鞘胴回りを増加させる方向に回転するとき、
前記コントローラー、前記ねじ付き軸、前記モジュールが回転し、前記ねじ付き軸の前記長手軸に沿って移動し、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の外側に向けてスライドし、
前記複数のシャフト部材の前記各シャフト部材は、前記ねじ付き軸の前記長手軸に垂直に前記ねじシャフトの前記長手軸の反対方向に移動し、
前記鞘は弾性的にその元の形から変形し、
前記鞘胴回りの胴回り寸法が増加し、
前記鞘胴回りの胴回り寸法が増加したときに、前記コントローラーが前記鞘胴回りを減少させる方向に回転するとき、
前記コントローラー、前記ねじ付き軸、前記モジュールが回転し、そして前記ねじ付き軸の前記長手軸に沿って戻るように移動し、
前記シャフト部材の前記ねじ付き軸に沿って戻るように移動し、
前記鞘はその元の形に戻ろうとし、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の中側に向けてスライドし、
前記複数のシャフト部材の前記各シャフト部材は、前記ねじ付き軸の前記長手軸に垂直に前記ねじシャフトの前記長手軸の方向に戻るように移動し、
そして前記鞘胴回りの胴回り寸法が減少する
ここで前記鞘の胴回りの胴回り寸法の増加と前記鞘の胴回りの胴回り寸法の減少は繰り返し可能である
装置。
【請求項３】
胴回り調整可能装置であって、
Ａ）第１端部および、ねじ付き管、少なくとも１つのファスナーキャビティを有するねじ付き管、および少なくとも１つのファスナーキャビティを有するねじなし管からなる群から選択されるねじ付き軸管を持つ第２端部を有する少なくとも１つのコントローラー、
Ｂ）第１端部、中間部、第２端部、および長手方向軸を有する少なくとも１つのねじ付き軸であって、
前記コントローラーの前記第２端部のねじ付き軸管が前記ねじ付き軸の前記第１端部を受け入れるもの、
Ｃ）コントローラーの第１端部、複数のシャフト部材溝および複数のシャフト部材突起を有するシャフト部材第２端部、およびねじなし管を有するハウジングであって、
ここで前記ねじなし管は、前記ねじ付き軸の第１端部を受け入れ、
ここで前記ハウジングは、前記コントローラーの前記第２端部および前記ねじ付き軸の第１端部をとり囲むもの、
Ｄ）傾斜面を有する少なくとも１つの円錐部分、平坦な回転防止コネクタ、大文字のＴ形回転防止コネクタ、および傾斜した大文字Ｔからなるグループから選択された少なくとも１つの回転防止コネクタ、および、ねじなし管、ねじ付き管、少なくとも１つのファスナーキャビティを持つねじ付き管、および少なくとも１つのファスナーキャビティを持つねじなし管からなるグループから選択されるモジュール管を有する、少なくとも１つのモジュールであって、
ここで前記モジュール管はねじ付き軸を受け入れ、
ここで前記モジュールは前記ねじ付き軸に固定されているもの、
Ｅ）少なくとも１つのハウジング溝を有する第１端部、中央部、傾斜接面を持つ少なくとも１つのモジュール窪み、少なくとも１つのモジュールコネクタ溝、および先端を有する複数のシャフト部材であって、
ここで前記複数のシャフト部材は、前記ねじ付き軸と前記モジュールを取り囲み、
ここで、複数のシャフト部材溝と複数のシャフト部材突起とを有する前記ハウジングの前記シャフト部材第２端部は、前記シャフト部材の前記第１端部をスライド可能に受容し、
ここで前記シャフト部材の傾斜接面を有する前記モジュールキャビティは、前記モジュールの前記傾斜面を持つ円錐部分を滑ることが可能なように受け入れ、
ここで、前記シャフト部材の前記モジュールコネクター窪みは前記モジュールの回転防止コネクターをスライド可能に受容するもの、
そして、
Ｆ）第１端部、中間部、先端と鞘胴回りを持つ少なくとも１つの鞘であって、
ここで、前記鞘は少なくとも前記の複数のシャフト部材をとり囲み、
ここで前記鞘は軟性材料でつくられているもの、
で構成され、
ここで、前記コントローラーが前記鞘胴回りを増加させる方向に回転するとき、
前記シャフト部材の前記モジュールコネクタ溝にスライド可能に接続された前記モジュールの前記回転防止コネクタによって前記ねじ付き軸の前記長手方向軸の周りで回転することが防止された前記ねじ付き軸と前記モジュールは、前記ねじ付き軸の前記長手軸に沿って移動し、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の外側に向けてスライドし、
前記複数のシャフト部材の前記各シャフト部材は、前記ねじ付き軸の前記長手軸に垂直に前記ねじシャフトの前記長手軸の反対方向に移動し、
前記鞘は弾性的にその元の形から変形し、
前記鞘胴回りの胴回り寸法が増加し、
前記鞘胴回りの胴回り寸法が増加したときに、前記コントローラーが前記鞘胴回りを減少させる方向に回転するとき、
前記ねじ付き軸と前記モジュールが、前記シャフト部材の前記モジュールコネクタ溝にスライド可能に接続された前記モジュールの前記回転防止コネクタによって前記ねじ付き軸の前記長手方向軸の周りで回転することが防止され、前記ねじ付き軸の前記長手軸に沿って戻るように移動し、
前記鞘はその元の形に戻ろうとし、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の中側に向けてスライドし、
前記複数のシャフト部材の前記各シャフト部材は、前記ねじ付き軸の前記長手軸に垂直に前記ねじシャフトの前記長手軸の方向に戻るように移動し、
そして前記鞘胴回りの胴回り寸法が減少する
ここで前記鞘の胴回りの胴回り寸法の増加と前記鞘の胴回りの胴回り寸法の減少は繰り返し可能である
装置。
【請求項４】
胴回り調整可能装置であって、
Ａ）第１端部および第２端部を有する少なくとも１つのコントローラー、
Ｂ）第１端部、中間部、第２端部、および長手方向軸を有する少なくとも１つのねじ付き軸であって、
ここで前記ねじ付き軸の前記第１端部は、前記コントローラーの前記第２端部に接続されているもの、
Ｃ）コントローラーの第１端部、複数のシャフト部材溝および複数のシャフト部材突起を有するシャフト部材第２端部、少なくとも１つのモジュール回転防止突起、およびねじなし管を有するハウジングであって、
ここでねじなし管は、前記ねじ付き軸の前記第１端部を受け入れ、
ここで前記ハウジングは、少なくとも前記コントローラーの前記第２端部および前記ねじ付き軸の前記第１端部を囲むもの、
Ｄ）傾斜面を有する円錐部分、少なくとも１つのハウジング回転防止窪み、および、ねじ付き管、ファスナーキャビティを持つねじ付き管、および少なくとも１つのファスナーキャビティを持つなじなし管からなるグループから選択される管を有する、少なくとも１つのモジュールであって、
ここで、前記モジュールの前記ハウジング回転防止窪みは、前記ハウジングの前記モジュール回転防止突起をスライド可能に受け入れるもの、
Ｅ）少なくとも１つのハウジング溝を有する第１端部、中央部、傾斜接面を備えた少なくとも１つのモジュール窪み、および先端を有する複数のシャフト部材であって、
ここで前記複数のシャフト部材は、前記ねじ付き軸と前記モジュールを取り囲み、
ここで前記ハウジングの複数のシャフト部材溝と複数のシャフト部材突起とを有する前記シャフト部材第２端部は、前記シャフト部材の前記第１端部をスライド可能に受容し、
ここで前記シャフト部材の傾斜接面を有する前記モジュールキャビティは、前記モジュールの前記傾斜面を持つ円錐部分を滑ることが可能なように受け入れるもの、
そして、
Ｆ）第１端部、中間部、先端と鞘胴回りを持つ少なくとも１つの鞘であって、
ここで前記鞘は少なくとも前記の複数のシャフト部材をとり囲み、
ここで前記鞘は軟性材料でつくられているもの、
で構成され、
ここで、前記コントローラーが前記鞘胴回りを増加させる方向に回転するとき、
前記ねじ付き軸は回転し、
前記モジュールのハウジング回転防止窪みにスライド可能に接続された前記ハウジングのモジュール回転防止突起によって、前記ねじ付き軸の前記長手軸の周りに回転することを防止された前記モジュールは、前記ねじ付き軸に沿って移動し、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の外側に向けてスライドし、
前記複数のシャフト部材の前記各シャフト部材は、前記ねじ付き軸の前記長手軸に垂直に前記ねじシャフトの前記長手軸の反対方向に移動し、
前記鞘は弾性的にその元の形から変形し、
前記鞘胴回りの胴回り寸法が増加し、
ここで、前記コントローラーが前記鞘胴回りを減少させる方向に回転するとき、
前記ねじ付き軸は回転し、
前記モジュールの前記ハウジング回転防止窪みにスライド可能に接続された前記ハウジングのモジュール回転防止突起によって、前記ねじ付き軸の前記長手軸の周りに回転することを防止された前記モジュールは、前記ねじ付き軸に沿って戻るように移動し、
前記鞘はその元の形に戻ろうとし、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の中側に向けてスライドし、
前記複数のシャフト部材の前記各シャフト部材は、前記ねじ付き軸の前記長手軸に垂直に前記ねじシャフトの前記長手軸の方向に移動し、
前記鞘は弾性的にその元の形に戻り、そして前記鞘胴回りの胴回り寸法が減少し、
ここで前記鞘の胴回りの胴回り寸法の増加と前記鞘の胴回りの胴回り寸法の減少は繰り返し可能である
装置。
【請求項５】
胴回り調整可能装置であって、
Ａ）第１端部および、ねじ付き管、少なくとも１つのファスナーキャビティを有するねじ付き管、および少なくとも１つのファスナーキャビティを有するねじなし管からなる群から選択されるねじ付き軸管を持つ第２端部を有する少なくとも１つのコントローラー、
Ｂ）第１端部、中間部、第２端部、および長手方向軸を有する少なくとも１つのねじ付き軸であって、
前記コントローラーの前記第２端部のねじ付き軸管が前記ねじ付き軸の前記第１端部を受け入れるもの、
Ｃ）コントローラーの第１端部、複数のシャフト部材溝および複数のシャフト部材突起を有するシャフト部材の第２端部、少なくとも１つのモジュール回転防止突起、およびねじなし管を有するハウジングであって、
ここで前記ねじなし管は、前記ねじ付き軸の第１端部を受け入れ、
ここで前記ハウジングは、前記コントローラーの前記第２端部および前記ねじ付き軸の第１端部をとり囲むもの、
Ｄ）傾斜面を有する少なくとも１つの円錐部分、少なくとも１つのハウジング回転防止窪み、および、ねじなし管、ねじ付き管、少なくとも１つのファスナーキャビティを持つねじ付き管、および少なくとも１つのファスナーキャビティを持つねじなし管からなるグループから選択されるモジュール管を有する、少なくとも１つのモジュールであって、
ここで前記モジュールの前記ハウジング回転防止窪みは、前記ハウジングの前記モジュール回転防止突起をスライド可能に受け入れ、
ここで前記モジュール管は前記ねじ付き軸を受け入れ、
ここで前記モジュールは前記ねじ付き軸に固定されているもの、
Ｅ）少なくとも１つのハウジング溝を有する第１端部、中央部、傾斜接面を持つ少なくとも１つのモジュール窪み、および先端を有する複数のシャフト部材であって、
ここで前記複数のシャフト部材は、前記ねじ付き軸と前記モジュールを取り囲み、
ここで、複数のシャフト部材溝と複数のシャフト部材突起とを有する前記ハウジングの前記シャフト部材第２端部は、前記シャフト部材の前記第１端部をスライド可能に受容し、
ここで前記シャフト部材の傾斜接面を有する前記モジュールキャビティは、前記モジュールの前記傾斜面を持つ円錐部分を滑ることが可能なように受け入れるもの、
そして、
Ｆ）第１端部、中間部、先端と鞘胴回りを持つ少なくとも１つの鞘であって、
ここで、前記鞘は少なくとも前記の複数のシャフト部材をとり囲み、
ここで前記鞘は軟性材料でつくられているもの、
で構成され、
ここで、前記コントローラーが前記鞘胴回りを増加させる方向に回転するとき、
前記モジュールのハウジング回転防止窪みにスライド可能に接続された前記ハウジングのモジュール回転防止突起によって前記ねじ付き軸の前記長手方向軸の周りで回転することが防止された前記ねじ付き軸と前記モジュールは、前記軸の前記長手軸に沿って移動し、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の外側に向けてスライドし、
前記複数のシャフト部材の前記各シャフト部材は、前記ねじ付き軸の前記長手軸に垂直に前記ねじ付き軸の前記長手軸の反対方向に移動し、
前記鞘は弾性的にその元の形から変形し、
前記鞘胴回りの胴回り寸法が増加し、
前記鞘胴回りの胴回り寸法が増加したときに、前記コントローラーが前記鞘胴回りを減少させる方向に回転するとき、
前記モジュールのハウジング回転防止窪みにスライド可能に接続された前記ハウジングのモジュール回転防止突起によって前記ねじ付き軸の前記長手方向軸の周りで回転することが防止された前記ねじ付き軸と前記モジュールは、前記軸の前記長手軸に沿って戻るように移動し、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の中側に向けてスライドし、
前記複数のシャフト部材の前記各シャフト部材は、前記ねじ付き軸の前記長手軸に垂直に前記ねじ付き軸の前記長手軸の方向に移動し、
前記鞘はその元の形に戻ろうとし、
前記モジュールの前記傾斜面を持つ円錐部分が、前記シャフト部材の傾斜接面を持つ前記モジュール空洞の前記傾斜接面に対して、前記シャフト部材の傾斜接面を有する前記モジュール空洞の中側に向けてスライドし、
前記複数のシャフト部材の前記各シャフト部材は、前記ねじ付き軸の前記長手軸に垂直に前記ねじ付き軸の前記長手軸の方向に戻るように移動し、
そして前記鞘胴回りの胴回り寸法が減少し、
ここで前記鞘の胴回りの胴回り寸法の増加と前記鞘の胴回りの胴回り寸法の減少は繰り返し可能である
装置。
【請求項６】
請求項１、２、３、４、または５に記載の胴回り調整可能装置であって、前記鞘が、前記複数のシャフト部材および／または前記ハウジングに固定されている装置。
【請求項７】
請求項１、２、３、４、または５に記載の胴回り調節可能装置であって、前記鞘が、前記複数のシャフト部材または前記複数のシャフト部材および前記ハウジングに取り外し可能に固定される装置。
【請求項８】
請求項１、２、または４に記載の胴回り調整可能装置であって、さらに少なくとも１つのコントローラー―コネクターを備える装置。
【請求項９】
請求項１、２、３、４、または５に記載の胴回り調整可能装置であって、さらに前記ねじ付き軸が、少なくとも１つの最大移動ストッパーを備える装置。
【請求項１０】
請求項１、２、３、４、または５に記載の胴回り調整可能装置であって、さらに前記ねじ付き軸が、少なくとも１つの最小移動ストッパーを備える装置。
【請求項１１】
請求項１または３に記載の胴回り調整可能装置であって、さらに少なくとも１つのハウジング回転防止窪みを備える装置。
【請求項１２】
請求項１１に記載の胴回り調整可能装置であって、さらに少なくとも１つのモジュール回転防止突起を備える装置。
【請求項１３】
請求項１、２、３、４または５に記載の胴回り調整装置であって、さらに前記ハウジングは、少なくとも１つのベアリングを含み、前記ベアリングは、前記ねじ付き軸の前記第１端部および／または前記コントローラーの前記第２端部を受け入れる装置。
【請求項１４】
請求項１、２、３、４、または５に記載の胴回り調整可能装置であって、さらに少なくとも１つの摩擦低減器を備える装置。
【請求項１５】
請求項１、２、３、４、または５に記載の胴回り調節可能装置であって、さらに前記ハウジングは、カンチレバースナップフィットとして構成された少なくとも１つの前記シャフト部材突出部を備える装置。
【請求項１６】
請求項３、または５に記載の胴回り調節可能装置であって、さらに前記ハウジングが、ねじ付き管、少なくとも１つのファスナー窪みを有するねじ付き管、および  少なくとも１つのファスナー窪みを有するねじなし管から選択されるハウジング管を備え、前記ハウジング管は、前記ねじ付き軸を受け入れる装置。
【請求項１７】
請求項２に記載の胴回り調節可能装置であって、さらに前記ハウジングが、ねじ付き管、少なくとも１つのファスナーキャビティを有するねじ付き管、および少なくとも１つのファスナーキャビティを有するねじなし管からなる群から選択される前記コントローラー管を含む装置。
【請求項１８】
請求項１７に記載の胴回り調整可能装置であって、前記コントローラーの前記第２端部がねじつきであり、前記コントローラー管が前記コントローラーの前記第２端部を受け入れる装置。
【請求項１９】
請求項１、２、３、４、または５に記載の胴回り調整可能装置であって、さらに前記複数のシャフト部材は、少なくとも１つの側部延長部を備える装置。
【請求項２０】
請求項１、２、３、４、または５に記載の胴回り調節可能装置であって、さらに前記複数のシャフト部材は、少なくとも１つの溝を有する少なくとも１つの側方延長部を備える装置。
【請求項２１】
請求項２０に記載の胴回り調節可能装置であって、さらに前記複数のシャフト部材は、少なくとも１つの側部延長溝コネクタを備える装置。
【請求項２２】
請求項１、２、３、４、または５に記載の胴回り調節可能装置であって、さらに前記コントローラーが、ベアリングを有する少なくとも１つのハンドルを含む装置。
【請求項２３】
請求項１、２、３、４、または５に記載の胴回り調整可能装置であって、さらに少なくとも１つのシャフト部材上に開口部刺激突起を備える装置。
【請求項２４】
請求項１、２、３、４、または５に記載の胴回り調整可能装置であって、さらに少なくとも１つの鞘開口部刺激突起を備える装置。
【請求項２５】
請求項１、２、３、４、または５に記載の胴回り調節可能装置であって、さらに少なくとも１つの前立腺刺激突起を備える装置。
【請求項２６】
請求項１、２、３、４、または５に記載の胴回り調節可能装置であって、さらに少なくとも１つのハウジング外部突起を備える装置。
【請求項２７】
請求項１、２、３、４、または５に記載の胴回り調節可能装置であって、さらに少なくとも１つの鞘外部突起を備える装置。
【請求項２８】
請求項１、２、３、４、または５に記載の胴回り調整可能装置であって、さらに少なくとも１つの胴回り調整インジケータを備える装置。
【請求項２９】
請求項１、２、３、４、または５に記載の胴回り調節可能装置であって、さらに少なくとも１つのストラップを備える装置。
【請求項３０】
請求項１、２、３、４、または５に記載の胴回り調節可能装置であって、さらに少なくとも１つの身体皮膚保護要素を備える装置。
【請求項３１】
請求項１、２、３、４、または５に記載の胴回り調節可能装置であって、さらに少なくとも１つの磁石を備える装置。
【請求項３２】
請求項１、２、３、４、または５に記載の胴回り調整可能装置であって、さらに少なくとも１つの弾性バンドを備える装置。
【請求項３３】
請求項１、２、３、４、または５に記載の胴回り調整可能装置であって、さらに前記ハウジングが少なくとも１つのばねを含む装置。
【請求項３４】
請求項１、２、３、４、または５に記載の胴回り調整可能装置であって、さらに少なくとも１つのシャフトばねを備える装置。
【請求項３５】
請求項１、２、３、４、または５に記載の胴回り調節可能装置であって、さらに少なくとも１つの重りを備える装置。
【請求項３６】
請求項１、２、３、４、または５に記載の胴回り調節可能装置であって、さらに少なくとも１つの陰茎リングを備える装置。
【請求項３７】
請求項１、２、３、４、または５に記載の胴回り調整可能装置であって、さらに少なくとも１つの閉鎖要素を備える装置。
【請求項３８】
請求項１、２、３、４または５に記載の胴回り調整可能装置であって、さらに少なくとも１つのコントローラー角度付き伝達部を備える装置。
【請求項３９】
請求項１に記載の胴回り調整可能装置であって、さらにねじ付き軸角度付き伝達ハウジングを有する少なくとも１つのねじ付きシャフト角度付き伝達部を備える装置。
【請求項４０】
請求項１、２、３、４、または５に記載の胴回り調整可能装置であって、さらに前記コントローラーが複数のギアを含む装置。
【請求項４１】
請求項４０に記載の胴回り調整可能装置であって、さらに前記コントローラーは、第３端部をさらに備え、前記複数のギアは、前記コントローラーの前記第２端部を前記コントローラーの前記第３端部に接続する装置。
【請求項４２】
請求項１、２、３、４または５に記載の胴回り調整可能装置であって、さらに前記コントローラーの前記第１端部は、少なくとも１つのオス型接続および少なくとも１つのメス型接続を含み、前記オス型接続は、前記メス型接続に着脱可能に嵌合し、ここで、前記オス接続が前記メス接続に接続され、前記コントローラーの前記第１端部が回転すると、前記コントローラーの前記第２端部が回転する装置。
【請求項４３】
請求項４２に記載の胴回り調整可能装置であって、さらに前記コントローラーは、少なくとも１つのロックシステムを備える装置。
【請求項４４】
請求項１、２、３、４、または５に記載の胴回り調整可能装置であって、さらに少なくとも１つの視覚的および／または触覚的表示を備える装置。
【請求項４５】
請求項１、２、３、４、または５に記載の胴回り調整可能装置であって、さらに少なくとも１つのカラーコードを含む装置。
【請求項４６】
請求項１、２、３、４、または５に記載の胴回り調整可能装置であって、さらに少なくとも１つのシリアル番号を備える装置。
【請求項４７】
請求項１、２、３、４、または５に記載の胴回り調整可能装置であって、前記コントローラーは、剛性材料で作られている装置。
【請求項４８】
請求項１、２、３、４、または５に記載の胴回り調整可能装置であって、前記コントローラーが半剛性材料で作られている装置。
【請求項４９】
請求項１、２、３、４、または５に記載の胴回り調整可能装置であって、前記ハウジングは、剛性材料で作られている装置。
【請求項５０】
請求項１、２、３、４、または５に記載の胴回り調整可能装置であって、前記ハウジングが半剛性材料で作られている装置。
【請求項５１】
請求項１、２、３、４、または５に記載の胴回り調整可能装置であって、前記ねじ付きシャフトが金属で作られている装置。
【請求項５２】
請求項１、２、３、４、または５に記載の胴回り調整可能装置であって、前記ねじ付きシャフトがプラスチックで作られている装置。
【請求項５３】
請求項１、２、３、４、または５に記載の胴回り調整可能装置であって、前記シャフト部材がプラスチックで作られている装置。
【請求項５４】
請求項１、２、３、４、または５に記載の胴回り調整可能装置であって、前記シャフト部材が金属で作られている装置。
【請求項５５】
請求項１、２、３、４、または５に記載の胴回り調節装置であって、前記モジュールがプラスチックで作られている装置。
【請求項５６】
請求項１、２、３、４、または５に記載の胴回り調整可能装置であって、前記モジュールが金属で作られている装置。
【請求項５７】
請求項１、２、３、４、または５に記載の胴回り調整可能装置であって、前記鞘がシリコーンで作られている装置。
【請求項５８】
請求項１、２、３、４、または５に記載の胴回り調整可能装置であって、前記鞘がゴムでできている装置。
【請求項５９】
請求項１、２、３、４、または５に記載の胴回り調節可能装置であって、さらに少なくとも１つの電気部品を有する少なくとも１つの電子部品を備える装置。
【請求項６０】
請求項５９に記載の胴回り調節可能装置であって、さらに少なくとも１つの振動モーターを備える装置。
【請求項６１】
請求項５９に記載の胴回り調節可能装置であって、さらに少なくとも１つの加熱要素を備える装置。
【請求項６２】
請求項５９に記載の胴回り調節可能装置であって、さらに少なくとも１つの心拍数モニターを含む装置。
【請求項６３】
請求項５９に記載の胴回り調節可能装置であって、さらに少なくとも１つの電気的刺激電極を備える装置。
【請求項６４】
請求項５９に記載の胴回り調節可能装置であって、前記電子部品が前記胴回り調節可能装置に固定されている装置。
【請求項６５】
請求項５９に記載の胴回り調節可能装置であって、前記電子部品は、前記胴回り調節可能装置に取り外し可能に固定される装置。
【請求項６６】
請求項５９に記載の胴回り調整可能装置であって、前記電子部品は、少なくとも１つの電子コントローラーを介して操作される装置。
【請求項６７】
請求項５９に記載の胴囲調節装置であって、前記電子部品は音声によって操作される装置。
【請求項６８】
請求項５９に記載の胴回り調節可能装置であって、前記電子部品は、デスクトップコンピュータ上で実行するように設計された少なくとも１つのコンピュータプログラムを介して操作される装置。
【請求項６９】
請求項５９に記載の胴回り調整可能装置であって、前記電子部品は、モバイル装置上で実行するように設計された少なくとも１つのコンピュータプログラムを介して操作される装置。
【請求項７０】
請求項５９に記載の胴回り調整装置であって、さらにモーターシャフトとモーターハウジングとを有するを有する少なくとも１つの密閉型電気モーターを含み、モータシャフトを有する前記モータの前記モータシャフトは、前記コントローラーの前記第１端部に接続され、前記密閉型電気モータのモータシャフトを有する前記モータの前記モータシャフトが回転すると、前記コントローラーの前記第１端部および前記コントローラーの前記第２端部が回転する装置。
【請求項７１】
請求項７０に記載の胴回り調整可能装置であって、前記密閉型電気モーターの前記モーターハウジングが前記ハウジングに固定されている装置。
【請求項７２】
請求項７０に記載の胴回り調整可能装置であって、前記密閉型電気モーターの前記モーターハウジングが、前記ハウジングに取り外し可能に固定されている装置。
【請求項７３】
請求項７０に記載の胴回り調整可能装置であって、モーターシャフトを有する前記モーターの前記モーターシャフトが、前記コントローラーの前記第１端部に固定されている装置。
【請求項７４】
請求項７０に記載の胴回り調整可能装置であって、モーターシャフトを有する前記モーターの前記モーターシャフトが、前記コントローラーの前記第１端部に取り外し可能に固定されている装置。
【請求項７５】
請求項７０に記載の胴回り調整可能装置であって、さらに前記密閉型電気モーターが少なくとも１つの遊星歯車システムを含む装置。
【請求項７６】
請求項７０に記載の胴回り調節可能装置前記密閉型電気モーターが複数のギアをさらに含み、前記複数のギアが、モーターシャフトを有する前記モーターの前記モーターシャフトを前記コントローラーに接続する装置。
【請求項７７】
請求項１、２、３、４または５に記載の胴回り調整可能装置であって、前記鞘胴回りの最小胴回りサイズは、３．２５センチメートルより大きい装置。
【請求項７８】
請求項１、２、３、４、または５に記載の胴回り調整可能装置であって、前記鞘胴回りの最大胴回りサイズが、４．７７センチメートルより大きい装置。
【請求項７９】
請求項１、２、３、４、または５に記載の胴回り調整可能装置であって、前記鞘胴回りの最小胴回りサイズは、４．７０センチメートルより大きい装置。
【請求項８０】
請求項１、２、３、４または５に記載の胴回り調整可能装置であって、前記鞘胴回りの最大胴回りサイズが７．１６センチメートルより大きい装置。
【請求項８１】
請求項１、２、３、４または５に記載の胴回り調整可能装置であって、前記鞘の胴回りの最小胴回りサイズが７．０９センチメートルより大きい装置。
【請求項８２】
請求項１、２、３、４、または５に記載の胴回り調整可能装置であって、前記鞘の胴回りの最大胴回りサイズが１０．８５センチメートルより大きい装置。
【請求項８３】
請求項１、２、３、４、または５に記載の胴回り調整可能装置であって、前記鞘の胴回りの最小胴回りサイズが１０．７７センチメートルより大きい装置。
【請求項８４】
請求項１、２、３、４、または５に記載の胴回り調整可能装置であって、前記鞘胴回りの最大胴回りサイズが、１６．３６センチメートルより大きい装置。
【請求項８５】
請求項１、２、３、４、または５に記載の胴回り調整可能装置であって、前記鞘胴回りの最小胴回りサイズが、１６．２６センチメートルより大きい装置。
【請求項８６】
請求項１、２、３、４、または５に記載の胴回り調整可能装置であって、前記鞘胴回りの最大胴回りサイズが、２４．５４センチメートルより大きい装置。
【請求項８７】
請求項１、２、３、４または５に記載の胴回り調整可能装置であって、前記鞘胴回りの最小胴回りサイズは、２４．４３センチメートルより大きい装置。
【請求項８８】
請求項１、２、３、４、または５に記載の胴回り調整可能装置であって、前記鞘の胴回りの最大胴回りサイズが３７．０センチメートルより大きい装置。
【請求項８９】
請求項１、２、３、４、または５に記載の胴回り調整可能装置であって、前記ねじ付き軸は、１センチメートル当たり６３．４本未満のねじ山を含む装置。
【請求項９０】
請求項１、２、３、４、または５に記載の胴回り調整可能装置であって、前記ねじ付きシャフトが１センチメートル当たり３１．９未満のねじ山を含む装置。
【請求項９１】
請求項１、２、３、４、または５に記載の胴回り調整可能装置であって、前記ねじ付きシャフトが１センチメートル当たり２５．６未満のねじ山を含む装置。
【請求項９２】
請求項１、２、３、４、または５に記載の胴回り調整可能装置であって、前記ねじ付きシャフトが１センチメートル当たり１６．１未満のねじ山を含む装置。
【請求項９３】
請求項１、２、３、４、または５に記載の胴回り調整可能装置であって、さらに前記モジュールがモジュールキャップを含む装置。
【請求項９４】
請求項１、２、３、４、または５に記載の胴回り調整可能装置であって、さらに前記鞘が、少なくとも１つの長手方向の突出部を含む装置。
【請求項９５】
請求項１、２、３、４または５に記載の胴回り調整可能装置であって、前記複数のシャフト部材の少なくとも１つの前記シャフト部材の前記先端は、ある輪郭形状で構成されている装置。
【請求項９６】
請求項１、２、３、４、または５に記載の胴回り調節可能装置であって、さらに前記コントローラーが少なくとも１つの手に合った領域を含む装置。
【請求項９７】
請求項１、２、３、４、または５に記載の胴回り調整可能装置であって、さらに前記鞘が少なくとも１つの液体通路を含む装置。
【請求項９８】
請求項１、２、３、４、または５に記載の胴回り調整可能装置であって、さらに可撓性シャフトを備える装置。
【請求項９９】
請求項４２に記載の胴回り調整可能装置であって、前記コントローラーの前記オス接続部および／または前記メス接続部が強磁性材料で作られている装置。
【請求項１００】
請求項４２に記載の胴回り調整可能装置であって、さらに前記コントローラーは、可撓性シャフトを備える装置。
【請求項１０１】
請求項７０に記載の胴回り調整可能装置であって、さらに前記コントローラーの前記第１端部は、少なくとも１つのオス接続部および少なくとも１つのメス接続部を含み、ここで前記オス接続部は、前記メス接続部に取り外し可能に嵌合し、ここで、前記オス接続部は、前記メス接続部に接続され、前記コントローラーの前記第１端部が時計回りまたは反時計回りに回転すると、前記コントローラーの前記第２端部が回転する装置。
【請求項１０２】
請求項１０１に記載の胴回り調整可能装置であって、前記コントローラーの前記オス接続部および／または前記メス接続部が強磁性材料で作られている装置。
【請求項１０３】
請求項１０１に記載の胴回り調整可能装置であって、さらに前記コントローラーは、可撓性シャフトを備える装置。
【請求項１０４】
請求項１０１に記載の胴回り調節可能装置であって、さらに前記コントローラーは、少なくとも１つのロックシステムを備える装置。
【請求項１０５】
請求項８に記載の胴回り調節可能装置であって、さらに前記コントローラーコネクタは、少なくとも１つの蝶ナットファスナを備える装置。
【請求項１０６】
請求項１、２、３、４、または５に記載の胴回り調節可能装置であって、さらに前記鞘が添加剤を含む装置。
【請求項１０７】
請求項１、２、３、４、または５に記載の胴回り調整可能装置であって、前記コントローラーの前記第１の端部は、カップリングナットとして構成される装置。
【請求項１０８】
請求項１、２、３、４、または５に記載の胴回り調節可能装置であって、前記コントローラーの前記第１の端部は、モーターシャフトカプラーとして構成される装置。
【請求項１０９】
請求項１、２、３、４、または５に記載の胴回り調整可能装置であって、前記コントローラーの前記第１の端部は、レンチとして構成される装置。
【請求項１１０】
請求項１、２、３、４、または５に記載の胴回り調節可能装置であって、さらに前記ハウジングが、コネクターとして構成された少なくとも１つの前記シャフト部材突起を備える装置。
【請求項１１１】
請求項１、２または４に記載の胴回り調整可能装置であって、前記コントローラーは、前記ねじ付き軸と共に製造される装置。
【請求項１１２】
請求項４に記載の胴回り調節可能装置であって、さらに前記複数のシャフト部材は、少なくとも１つのモジュールコネクタ溝を備える装置。
【請求項１１３】
請求項１１２に記載の胴回り調節可能装置であって、
さらに傾斜面を有する少なくとも１つの円錐部分を有する少なくとも１つのモジュールはさらに、平坦回転防止コネクタと、大文字のＴ形回転防止コネクタ、および傾斜した大文字のＴ形回転防止コネクタからなる群から選択される少なくとも１つの回転防止コネクタ、およびねじ付き管、少なくとも１つのファスナーキャビティを持つねじ付き管、および少なくとも１つのファスナーキャビティを備えたねじなし管からなるグループから選択される管とを備え
ここで、前記管はねじ付き軸を受け入れ、
前記シャフト部材の前記モジュールコネクター溝は、前記モジュールの前記回転防止コネクターをスライド可能に受け入れ、
前記モジュールは、傾斜面を持つ円錐部分、平坦回転防止コネクターと、大文字のＴ形回転防止コネクター、および傾斜した大文字のＴ形回転防止コネクターからなる群から選択される少なくとも１つの回転防止コネクター、および、ねじ付き管、少なくとも１つのファスナー窪みを持つねじ付き管、少なくとも１つのファスナー窪みを持つねじなし管からなるグループから選択される管を持つ、
装置。
【請求項１１４】
請求項５に記載の胴回り調節可能装置であって、さらに前記複数のシャフト部材は、少なくとも１つのモジュールコネクター溝を備える装置。
【請求項１１５】
請求項１１４に記載の胴回り調節可能装置であって、さらに
傾斜面を有する少なくとも１つの円錐部分、線形回転防止コネクターと、大文字のＴ形回転防止コネクター、および傾斜した大文字のＴ形回転防止コネクターからなる群から選択される少なくとも１つの回転防止コネクター、およびねじなし管、ねじ付き管、少なくとも１つのファスナー窪みを備えたねじ付き管、および少なくとも１つのファスナー窪みを有するねじなし管からなるグループから選択される管、を有する少なくとも１つのモジュールを備え、
ここで、前記管は前記ねじ付き軸を受け入れ、
ここで、前記シャフト部材の前記モジュールコネクタ溝は、
傾斜面を持つ少なくとも１つの円錐部分と、線形回転防止コネクター、大文字のＴ形回転防止コネクター、および傾斜した大文字のＴ形状からなるグループから選択された少なくとも１つの回転防止コネクターと、非ねじ込み管、ねじ付き管、少なくとも１つのファスナー窪みを持つねじ付き管、および少なくとも１つのファスナー窪みを持つねじなし管からなるグループから選択される管とを有する前記モジュールの前記回転防止コネクタをスライド可能に受け入れ、
ここで、傾斜面を持つ少なくとも１つの円錐部分、平坦回転防止コネクター、大文字のＴ字形回転防止コネクター、および傾斜した大文字のＴ字形回転防止コネクターからなるグループから選択された少なくとも１つの回転防止コネクター、およびねじなし管、ねじ付き管、少なくとも１つのファスナー空洞を有するねじ付き管、および少なくとも１つのファスナー空洞を有するねじなし管からなる群から選択される管を有する前記モジュールは、
ねじ付きシャフトに固定される
装置。
【請求項１１６】
請求項１、２、３、４または５に記載の胴回り調整可能装置であって、前記コントローラーが前記鞘の胴回りの増加方向に回転すると、前記鞘の胴回りの胴回り寸法が１ミリメートル未満を増分として増加する装置。
【請求項１１７】
請求項１、２、３、４または５に記載の胴回り調整可能装置であって、前記コントローラーが前記鞘の胴回りの増加方向に回転すると、前記鞘の胴回りの胴回り寸法が１ミリメートル以上を増分として増加する装置。
【請求項１１８】
請求項１、２、３、４または５に記載の胴回り調整可能装置であって、前記コントローラーが前記鞘の胴回りの減少方向に回転すると、前記鞘の胴回りの胴回りサイズが１ミリメートル未満を増分として減少する装置。
【請求項１１９】
請求項１、２、３、４または５に記載の胴回り調整可能装置であって、前記コントローラーが前記鞘の胴回りの減少方向に回転すると、前記鞘の胴回りの胴回りサイズが１ミリメートル以上を増分として段階的に減少する装置。
【請求項１２０】
請求項１、２、３、４または５に記載の胴回り調整可能装置であって、前記コントローラーは、磁化された金属で作られている装置。
【請求項１２１】
請求項１、２、３、４または５に記載の胴回り調整可能装置であって、前記ねじ付き軸は、磁化された金属で作られている装置。、
【請求項１２２】
請求項１、２、３、４または５に記載の胴回り調整可能装置であって、前記ハウジングは、磁化された金属で作られている装置。
【請求項１２３】
請求項１、２、３、４または５に記載の胴回り調整可能装置であって、前記モジュールは、磁化された金属で作られている装置。
【請求項１２４】
請求項１、２、３、４または５に記載の胴回り調整可能装置であって、前記シャフト部材は、磁化された金属で作られている装置。
【請求項１２５】
請求項３７に記載の胴回り調整可能装置であって、さらに前記閉鎖要素が少なくとも１つのコネクタを含む装置。
【請求項１２６】
請求項３９に記載の胴回り調整可能装置であって、さらに前記ねじ付き軸の角度付き伝達部の前記ねじ付きシャフト角度付き伝達ハウジングは、少なくとも１つの角度付き伝達コネクタを備える装置。
【請求項１２７】
身体開口部を拡張および／または伸張する方法であって、以下のステップ、
１）前記胴回り調整可能装置によって提供される前記鞘の胴回り寸法が最小のときに、前記鞘の前記先端から前記ハウジングに前記胴回り調節可能装置を身体開口部に挿入するステップ、
２）鞘の胴回りが増加する方向に調整を実行するステップ、
３）鞘の胴回りが減少する方向に調整を実行するステップ、および
４）身体の開口部から前記胴回り調整可能装置を取り外すステップ、
を含む方法。
【請求項１２８】
身体開口部を拡張および／または伸張する方法であって、次のステップ、
１）前記胴回り調整可能装置によって提供される鞘の周囲の胴回り寸法が最小のときに、鞘の前記先端から前記ハウジングまで前記胴回り調整可能装置を挿入するステップ、
２）前記鞘の胴回りが増加する方向に調整を実行するステップ、
３）前記胴回り調節装置を身体開口部内に移動させ、かつ／または前記電子部品を操作することにより、身体開口部をマッサージおよび／または刺激するステップ、
４）鞘の胴回りが減少する方向に調整を実行するステップ、および
５）身体の開口部から前記胴回り調節可能装置を取り外すステップ、
を含む方法。
【請求項１２９】
体の開口部を拡張および／または伸張する方法であって、次のステップ、
１）体の開口部の内部および／または前記胴回り調整可能装置上に潤滑剤を塗布するステップ、
２）前記胴回り調整可能装置によって提供される前記鞘胴回りの胴回り寸法が最小であるときに、前記鞘調整可能装置を前記鞘の前記先端から前記ハウジングまで挿入するステップ、
３）鞘の胴回りが増加する方向に調整を実行するステップ、
４）鞘の胴回りが減少する方向に調整を実行するステップ、および
５）身体の開口部から前記胴回り調節可能装置を取り外すステップ、
を含む方法。
【請求項１３０】
身体の開口部を拡張および／または伸張する方法であって、以下のステップ、
１）前記胴回り調整可能装置によって提供される前記鞘胴回りの胴回り寸法が最小であるときに、前記鞘調整可能装置を前記鞘の前記先端から前記ハウジングまで挿入するステップ、
２）鞘の胴回りが増加する方向に調整を実行するステップ、
３）胴囲内の前記胴回り調節可能装置を動かすことおよび／または前記電子部品を操作することによって、身体開口をマッサージおよび／または刺激するステップ、
４）鞘のどうまわりが減少する方向に調整を実行するステップ、および
５）身体の開口部から前記胴回り調整可能装置を取り外すステップ、
を含む方法。
【発明の詳細な説明】
【技術分野】
【０００１】
＜関連出願の相互参照＞
この出願は、２０１８年２月２８日に提出された米国仮出願番号６２６３６２４０および２０１８年６月１２日に提出された米国非仮出願番号１６００５６７９の優先権を主張する。
【０００２】
本発明は、理学療法装置に関し、より具体的には、身体開口部の拡張と伸張のための胴回り調整可能な装置に関する。
【背景技術】
【０００３】
膣または直腸拡張器のように身体開口部拡張と伸張のための装置は、主として以下のようなで関心が高まって来ている、すなわち婦人科、腫瘍学、などである。それは男性と女性に関係する。
【０００４】
膣または肛門などの身体開口部は管状の身体部分である。身体開口部の形状は中空のシリンダと考えることができる。したがって、身体開口部には、中心、直径、側面の面積、および長さがある。身体開口部を拡張および伸長する効率的な方法は、身身体開口部の側面全体に対して、繰り返し均一で持続可能な圧力を徐々に生成できる装置を使用することである。この圧力は、身体開口部の中心から側面の表面領域に向かう必要がある。
【０００５】
身体開口部は敏感な身体部分と見なすことができるので、そのような装置は、圧力の安全で段階的かつ正確な制御を提供する必要がある。
【０００６】
身体開口部の拡張と伸長は時間を必要とする手順であるため、ユーザーはそのような装置を身体開口部に留めておき、他の活動を自由に行えるようにすることを好むかもしれず、その装置は軽量で、したがってモーターを使わず、できるだけコンパクトにする必要がある。
【０００７】
現在市場に出ている装置には、非電動バージョン、取り外し可能なコントローラーを備えたバージョン、理学療法および／または身体開口部刺激に関連する身体拡張手順を強化する他の機能を提供するバージョン、そして２つの身体開口部を同時に拡張および伸長するバージョンがあるが、ユーザーが身体開口部の側面全体に対して、繰り返し、安全に、徐々に、正確かつ快適に、均一で持続可能な圧力を生成できる装置は見当たらない。
【０００８】
一部の装置は、固定胴回り装置のセットを提案している。例えば、特許文献１は、胴回りの大きさの違いを示す一連の色付き拡張装置のセットを開示している。このような拡張器セットの使用はユーザーが複数の装置を管理する必要があるため混乱を招く。その本身体開口部の外側の表面領域上に生成される圧力は、各装置の周囲が固定されているため、緩やかではない。
【０００９】
一般に膨張式装置と呼ばれる他の装置には、いくつかの欠点がある。それらの設計は通常、ユーザーがかさばると考えるかもしれない固定ポンプとパイプでできている。これらの装置で使用される空気チャンバーは、身身体開口部の側面の表面に対して持続可能で正確な圧力を提供できず、装置を過剰に充填して身身体開口部で破裂するリスクがある。
【発明の概要】
【００１０】
本発明は、身体開口部の拡張および伸張のための胴回り調整可能な装置を提供するためのものである。以下「装置」と呼ぶ。また同様のものはマッサージ、身体開口部改良、性および治療的処置などとこれらに限定されない用途にも利用できる。
【００１１】
装置は、好ましくは、コントローラー、ハウジング、ねじ付き軸、少なくとも１つの傾斜面を持つ円錐部分を有する少なくとも２つのモジュール、または傾斜面を有する少なくとも２つの円錐部分を有する少なくとも１つのモジュール、複数のシャフト部材と鞘から構成される。その好ましい一実施例における装置は、わずか１０個の部品（または少なくとも１つの傾斜面を持つ円錐部分を有する２つのモジュールで構成された場合は１１個の部品、または３つのモジュールで構成された場合は１２個のみの部品）のアセンブリであるという事実が注目される。少なくとも１つの傾斜面を持つ円錐部分を有することは、製造および組立てに関して重要な利点である。
【００１２】
身体開口部に挿入することができ、胴回り寸法を安全に、徐々に、正確にそして快適に繰り返し調整して、身体開口部の側面全体均一で持続可能な圧力を生成することができる装置の部分は、以下、「シャフト」と呼ぶ。
【００１３】
ユーザは、コントローラーを介して装置のシャフトの胴回り寸法を増減でき、これは、シャフトの胴回り寸法を任意の寸法に調整して、拡張および伸張手順を実行することを意味する。ユーザーがコントローラーを介してシャフトの胴回り寸法を増減することを以下「調整」と呼ぶ。ユーザーが調整を行う。この調整には、装置を挿入したユーザーにとって、再現性があり、安全で、段階的で、正確で、快適であるという特徴がある。これらの調整の特性を、以下「特定可特性」と呼ぶ。
【００１４】
そのため、コントローラーを介してユーザーが身体開口部のシャフトの胴回り寸法を大きくすると、身体開口部の表面積全体に対して安全で段階的で持続可能で実質的に均一な圧力が発生する装置であることが注目される。コントローラーを介してユーザーがシャフトの胴回り寸法を小さくすると、身体開口部の側面全体に対する圧力が安全かつ段階的に均一に低下する。この特性は、部分的に装置に含まれる複数のシャフト部材（装置の好ましい一実施例では５つまたは６つのシャフト部材）の長手方向および均一な構成によって実現可能である。装置の調整の特定可特性により、ユーザーは身体開口部の拡張と伸張を効果的に実行できる。
【００１５】
その好ましい一実施例における装置は非電動式であり、したがって、ユーザーによる最適な利用のために軽量でコンパクトで実質的にノイズのない装置を保証するという事実が注目される。
【００１６】
したがって、本発明の詳細な説明をよりよく理解できるようにするために、本発明のより重要な特徴をかなり広く概説した。以下には、本明細書に記述され、そして特許請求の範囲の主題を形成する本発明の追加の特徴を説明する。
【００１７】
本装置は、その用途において、構造の詳細および以下の説明に記載されるかまたは図面に示される構成要素の配置に限定されないことを理解されたい。本発明は、他の一実施例が可能であり、様々な方法で実施および実行することができる。また、以下で使用される表現および用語は、説明を目的としたものであり、限定と見なされるべきではないことを理解されたい。
【００１８】
上記および関連する目的を達成するために、本発明は、添付の図面に示される形で具体化することができるが、図面は例示にすぎず、特定の構造に変更を加えることができるという事実が注目される。添付の特許請求の範囲内で図示および説明される。
【図面の簡単な説明】
【００１９】
【図１】図１Ａは、装置１０の好ましい一実施例により、シャフト１７がその最小胴回り寸法にある装置１０の正面図を示す図。図１Ｂは、装置１０の好ましい一実施例により、シャフト１７がその最大胴回り寸法にある装置１０の正面図を示す図。図１Ｃは、装置１０の好ましい一実施例により、シャフト１７がその最小胴回り寸法にある装置１０の上面図を示す図。図１Ｄは、装置１０の好ましい一実施例により、シャフト１７がその最大胴回り寸法にある装置１０の上面図を示す図である。
【図２】図２Ａは、装置１０の好ましい一実施例（鞘１６は図示せず）により、シャフト１７がその最小胴回り寸法にある装置１０の正面図を示す図、図２Ｂは、装置１０の好ましい一実施例（鞘１６は図示せず）により、シャフト１７がその最大胴回り寸法にある装置１０の正面図を示す図、図２Ｃは、装置１０の好ましい一実施例（鞘１６は図示せず）により、シャフト１７がその最小胴回り寸法にある装置１０の上面図を示す図、図２Ｄは、装置１０の好ましい一実施例（鞘１６は図示せず）により、シャフト１７がその最大胴回り寸法にある装置１０の上面図を示す図である。
【図３】図３Ａは、装置１０の好ましい一実施例（鞘１６は図示せず）により、シャフト１７がその最小胴回り寸法にある装置１０の斜視図を示す図、図３Ｂは、装置１０の好ましい一実施例（鞘１６は図示せず）により、シャフト１７がその最大胴回り寸法にある装置１０の斜視図を示す図である。
【図４】図４Ａは、図２Ｃの断面図を示す図、図４Ｂは、図２Ｄの断面図を示す図、図４Ｃは、装置１０の好ましい一実施例により（鞘１６および複数のシャフト部材１５は図示せず）、シャフト１７がその最小胴回り寸法にある装置１０の正面図を示す図、図４Ｄは、装置１０の好ましい一実施例により、シャフト１７がその最大胴回り寸法にある装置１０の正面図を示す（鞘１６および複数のシャフト部材１５は図示せず）図である。
【図５】図５Ａは、装置１０の好ましい一実施例によるコントローラー１１の正面図、図５Ｂは、装置１０の好ましい一実施例によるねじ付き軸１３の正面図、図５Ｃは、装置１０の好ましい一実施例により、ねじ付き軸１３に接続されたコントローラー１１の正面図を示す図、図５Ｄは、装置１０の好ましい一実施例によるコネクター１１の斜視図を示す図である。
【図６】図６Ａは、装置１０の好ましい一実施例による、ハウジング１２の内側のねじ付き軸１３に接続されたコントローラー１１の斜視図を示す図、図６Ｂは、装置１０の好ましい一実施例による、ハウジング１２の内側のねじ付き軸１３に接続されたコントローラー１１の底面図を示す図、図６Ｃは、図６Ｂの断面図を示す図である。
【図７】図７Ａは、装置１０の一実施例により、ねじ付き軸１３に接続されたコネクター１１の斜視図を示す図、図７Ｂは、装置１０の一実施例により、シャフト１７がその最小胴回り寸法にある装置１０の斜視図を示す図である。
【図８】図８は、装置１０の一実施例による、シャフト１７がその最小胴回り寸法にある装置１０の斜視図を示す図である。
【図９】図９は、装置１０の一実施例により、シャフト１７がその最小胴回り寸法にある装置１０の斜視図を示す図である。
【図１０】図１０Ａは、装置１０の一実施例により、ねじ付き軸１３に接続されたコントローラー１１に接続された密閉型電気モータ１９（モータハウジング１９Ｂの一部のみが示されている）の斜視図を示す図、図１０Ｂは、装置１０の一実施例による、シャフト１７がその最小胴回り寸法にある装置１０の斜視図を示す図である。
【図１１】図１１は、装置１０の一実施例により、シャフト１７がその最小胴回り寸法にある装置１０の斜視図を示す。
【図１２】図１２Ａは、装置１０の一実施例により、ねじ付き軸１３に接続されたコネクター１１の斜視図を示す。図１２Ｂは、装置１０の一実施例による、シャフト１７がその最小胴回り寸法にある装置１０の斜視図を示す。
【図１３】図１３Ａは、装置１０の一実施例により、ねじ付き軸１３に接続されたコネクター１１の斜視図を示す図、図１３Ｂは、装置１０の一実施例により、シャフト１７がその最小胴回り寸法にある装置１０の斜視図を示す図である。
【図１４】図１４Ａは、装置１０の一実施例により、ねじ付き軸１３に接続されたコントローラー１１の斜視図を示す図、図１４Ｂは、装置１０の一実施例による、シャフト１７がその最小胴回り寸法にある装置１０の斜視図を示す図である。
【図１５】図１５Ａは、装置１０の一実施例により、ねじ付き軸１３に接続されたコントローラー１１に接続された密閉型電気モータ１９（モータハウジング１９Ｂの一部のみが示されている）の斜視図を示す図、図１５Ｂは、装置１０の一実施例により、シャフト１７がその最小胴回り寸法にある装置１０の斜視図を示す図である。
【図１６】図１６は、装置１０の一実施例により、シャフト１７がその最小胴回り寸法にある装置１０の斜視図を示す図である。
【図１７】図１７は、装置１０の一実施例により、シャフト１７がその最小胴回り寸法にある装置１０の斜視図を示す図である。
【図１８】図１８は、装置１０の一実施例により、シャフト１７がその最小胴回り寸法にある装置１０の斜視図を示す図である。
【図１９】図１９Ａは、装置１０の一実施例により、シャフト１７がその最小胴回り寸法にある装置１０の斜視図を示す図、図１９Ｂは、装置１０の一実施例により、シャフト１７がその最小胴回り寸法にある２つの装置１０の斜視図を示す図である。
【図２０】図２０Ａは、装置１０の一実施例により、シャフト１７がその最小胴回り寸法にある装置１０の斜視図を示す図、図２０Ｂは、装置１０の一実施例によるコントローラー１１の正面図を示す図、図２０Ｃは、装置１０の一実施例によるコントローラー１１の側面図を示す図である。
【図２１】図２１Ａは、装置１０の一実施例により、ハウジング１２の内側のねじ付き軸１３に接続されたコントローラー１１の斜視図を示す（ハウジング１２の一部のみが示されている）図、図２１Ｂは、装置１０の一実施例により、シャフト１７がその最小胴回り寸法にある装置１０の斜視図を示す図である。
【図２２】図２２Ａは、装置１０の一実施例により、シャフト１７がその最大胴回り寸法にある装置１０の正面図を示す（鞘１６および複数のシャフト部材１５は図示せず）図、図２２Ｂは、装置１０の一実施例により、シャフト１７がその最小胴回り寸法にある装置１０の正面図を示す（鞘１６および複数のシャフト部材１５は図示せず）図、図２２Ｃは、装置１０の一実施例により、ねじ付き軸１３に接続されたコントローラー１１を示す図である。
【図２３】図２３Ａは、装置１０の一実施例により、シャフト１７がその最小胴回り寸法にある装置１０の正面図を示す（鞘１６は図示されず、１個のシャフト部材１５のみが図示され、ねじ付き軸角度付き伝達ハウジングの一部のみが図示され、１３ＧＡを図示）図、図２３Ｂは、装置１０の一実施例により、シャフト１７がその最小胴回り寸法にある装置１０の斜視図を示す図、図２３Ｃは、装置１０の一実施例により、シャフト１７がその最大胴回り寸法にある装置１０の斜視図を示す図である。
【図２４】図２４Ａは、装置１０の一実施例によるハウジング１２の正面図を示す図、図２４Ｂは、装置１０の一実施例によるハウジング１２の斜視図を示す図、図２４Ｃは、装置１０の一実施例によるハウジング１２の上面図を示す図、図２４Ｄは、装置１０の一実施例によるハウジング１２の底面図を示す図である。
【図２５】図２５Ａは、装置１０の一実施例によるハウジング１２の一部の斜視図を示す図、図２５Ｂは、装置１０の一実施例によるハウジング１２の一部の斜視図を示す図である。
【図２６】図２６Ａは、装置１０の一実施例によるハウジング１２の一部の斜視図を示す図、図２６Ｂは、装置１０の一実施例によるハウジング１２の一部の斜視図を示す図、図２６Ｃは、装置１０の一実施例によるハウジング１２の一部の斜視図である。
【図２７】図２７Ａは、装置１０の一実施例によるハウジング１２の一部の斜視図を示す図、図２７Ｂは、装置１０の一実施例によるハウジング１２の一部の斜視図を示す図、図２７Ｃは、装置１０の一実施例によるハウジング１２の一部の上面図を示す図、図２７Ｄは、図２７Ｃの断面図を示す図である。
【図２８】図２８Ａは、装置１０の一実施例により、シャフト１７がその最小胴回り寸法にある装置１０の正面図を示す図、図２８Ｂは、装置１０の一実施例によるハウジング１２の底面図を示す図、図２８Ｃは、図２８Ｂの２８Ｃにおける断面図である。
【図２９】図２９Ａは、装置１０の一実施例によるハウジング１２の一部の斜視図を示す図、図２９Ｂは、装置１０の一実施例によるハウジング１２の一部の斜視図を示す図、図２９Ｃは、一実施例によるハウジング１２の一部の上面図を示す図、図２９Ｄは、図２９Ｃの２９Ｄにおける断面図である。
【図３０】図３０Ａは、一実施例によるモジュール１４の斜視図を示す図、図３０Ｂは、一実施例によるモジュール１４の側面図を示す図、図３０Ｃは、一実施例によるモジュール１４の斜視図を図示する図、図３０Ｄは、一実施例によるモジュール１４の斜視図を示す図、図３０Ｅは、一実施例によるモジュール１４の斜視図を示す図、図３０Ｆは、一実施例によるモジュール１４の斜視図を示す図、図３０Ｇは、一実施例によるモジュール１４の斜視図を図示する図、図３０Ｈは、一実施例によるモジュール１４の斜視図を図示する図である。
【図３１】図３１Ａは、一実施例によるシャフト部材１５の正面図を示す図、図３１Ｂは、一実施例によるシャフト部材１５の背面図を示す図、図３１Ｃは、一実施例によるシャフト部材１５の上面図を示す図、図３１Ｄは、図３１Ｃの３１Ｄにおける断面図を示す図である。
【図３２】図３２Ａは、一実施例によるシャフト部材１５の上面図を示す図、図３２Ｂは、図３２Ａの３２Ｂにおける断面図を示す図、図３２Ｃは、一実施例によるシャフト部材１５の正面図を示す図、図３２Ｄは、一実施例によるシャフト部材１５の側面図を示す図である。
【図３３】図３３Ａは、装置１０（鞘１６は図示せず）の一実施例により、シャフト１７がその最小胴回り寸法にある装置１０の斜視図を示す図、図３３Ｂは、装置１０の一実施例により、１７がその最大胴回り寸法にある装置１０の斜視図を示す（鞘１６は図示せず）図である。
【図３４】図３４Ａは、一実施例によるシャフト部材１５の正面図を示しており、装置１０のシャフト１７がその最小胴回り寸法にあるときの図、図３４Ｂは、一実施例によるシャフト部材１５の背面図を示しており、装置１０のシャフト１７がその最小胴回り寸法にあるときの図、図３４Ｃは、一実施例によるシャフト部材１５の正面図を示しており、装置１０のシャフト１７がその最大胴回り寸法にあるときの図、図３４Ｄは、一実施例によるシャフト部材１５の背面図を示し、装置１０のシャフト１７がその最大胴回り寸法にあるときの図である。
【図３５】図３５Ａは、装置１０（鞘１６は図示せず）の一実施例による、シャフト１７がその最小胴回り寸法にある装置１０の正面図を示す図、図３５Ｂは、装置１０（鞘１６は図示せず）の一実施例による、シャフト１７がその最大胴回り寸法にある装置１０の正面図を示す図、図３５Ｃは、装置１０（鞘１６は図示せず）の一実施例によりシャフト１７がその最小胴回り寸法にある装置１０の上面図を示す図、図３５Ｄは、装置１０の一実施例（鞘は図示せず）によりシャフト１７がその最大胴回り寸法にある装置１０の上面図を示す図である。
【図３６】図３６Ａは、一実施例によるシャフト部材１５の正面図を示しており、装置１０のシャフト１７がその最小胴回り寸法にあるときを示している図、図３６Ｂは、一実施例によるシャフト部材１５の背面図を示しており、装置１０のシャフト１７がその最小胴回り寸法にあるときを示している図、図３６Ｃは、一実施例によるシャフト部材１５の正面図を示しており、装置１０のシャフト１７がその最大胴回り寸法にあるときの図、図３６Ｄは、一実施例によるシャフト部材１５の背面図を示しており、装置１０のシャフト１７がその最大胴回り寸法にあるときの図である。
【図３７】図３７Ａは、装置１０（鞘１６は図示せず）の一実施例により、シャフト１７がその最小胴回り寸法にある装置１０の斜視図である図、図３７Ｂは、装置１０（鞘１６は図示せず）の一実施例により、シャフト１７がその最大胴回り寸法にある装置１０の斜視図である。
【図３８】図３８Ａは、装置１０（鞘１６は図示せず）の一実施例により、シャフト１７がその最小胴回り寸法にある装置１０の斜視図を示す図、図３８Ｂは、一実施例によるシャフト部材１５の斜視図を示す図である。
【図３９】図３９Ａは、装置１０の好ましい一実施例によりシャフト１７がその最小胴回り寸法にある装置１０の正面図である。図３９Ｂは、装置１０の好ましい一実施例により、シャフト１７がその最大胴回り寸法にある装置１０の正面図である。図３９Ｃは、装置１０の好ましい一実施例による、シャフト１７がその最小胴回り寸法にある装置１０の正面図である。図３９Ｄは、装置１０の好ましい一実施例による、シャフト１７がその最大胴回り寸法にある装置１０の正面図である。
【図４０】図４０Ａは、装置１０の一実施例により、シャフト１７がその最小胴回り寸法にある装置１０の正面図を示す図、図４０Ｂは、一実施例による、鞘１６の底面図を示す図、図４０Ｃは、図４０Ｂの４０Ｃにおける断面図を示す図である。
【図４１】図４１は、装置１０の一実施例によりシャフト１７がその最小胴回り寸法にある装置１０の斜視図を示す図である。
【図４２】図４２は、装置１０の一実施例によりシャフト１７がその最小胴回り寸法にある装置１０の斜視図を示す図である。
【図４３】図４３Ａは、一実施例による閉鎖要素２６の斜視図を示す図、図４３Ｂは、一実施例による閉鎖要素２６の斜視図を示す図、図４３Ｃは、装置１０（鞘１６は図示せず）の一実施例により、シャフト１７がその最小胴回り寸法にある装置１０の上面図を示す図である。
【図４４】図４４Ａは、装置１０（鞘１６は図示せず）の一実施例により、シャフト１７がその最小胴回り寸法にある装置１０の斜視図を示す図、図４４Ｂは、装置１０の一実施例（鞘は図示せず）により、シャフト１７がその最大胴回り寸法にある装置１０の斜視図を示す図である。
【図４５】図４５は、装置１０の一実施例により、シャフト１７がその最小胴回り寸法にある装置１０の斜視図を示す図である。
【図４６】図４６は、装置１０の一実施例により、シャフト１７がその最小胴回り寸法にある装置１０の斜視図を示す図である。
【図４７】図４７は、装置１０の一実施例により、シャフト１７がその最小胴回り寸法にある装置１０の斜視図を示す図である。
【図４８】図４８は、装置１０の一実施例により、シャフト１７がその最小胴回り寸法にある装置１０の斜視図を示す図である。
【図４９】図４９は、装置１０の一実施例により、シャフト１７がその最小胴回り寸法にある装置１０の斜視図を示す図である。
【図５０】図５０は、装置１０の一実施例により、シャフト１７がその最小胴回り寸法にある装置１０の正面図を示す図である。
【図５１】図５１Ａは、一実施例による、鞘１６の底面図を示す図、図５１Ｂは、図５１Ａの５１Ｂにおける断面図を示す図である。
【図５２】図５２は、装置１０の一実施例により、シャフト１７がその最小胴回り寸法にある装置１０の斜視図を示す図である。
【図５３】図５３は、装置１０（鞘１６は図示せず）の一実施例により、シャフト１７がその最小胴回り寸法にある装置１０の斜視図を示す図である。
【図５４】図５４Ａは、装置１０の一実施例により、コントローラー１１、２つのねじ付き軸１３、およびハウジング１２の一部の間の接続の正面図を示す図、図５４Ｂは、装置１０の一実施例により、２つのシャフト１７がそれらの最小胴回り寸法である装置１０の正面図を図示する図である。
【図５５】図５５Ａは、装置１０の一実施例により、２つのコントローラー１１、２つのねじ付き軸１３、およびハウジング１２の一部の間の接続の正面図を示す図、図５５Ｂは、装置１０の一実施例による、２つのシャフト１７がそれらの最小胴回り寸法である装置１０の正面図を示す図である。
【図５６】図５６Ａは、装置１０（鞘１６および複数のシャフト部材１５）の一実施例により、シャフト１７がその最小胴回り寸法にある装置１０の正面図を示す図、図５６Ｂは、装置１０の一実施例により、シャフト１７がその最大胴回り寸法にある装置１０の正面図を示す（鞘１６および複数のシャフト部材１５）図、図５６Ｃは、図５６Ａの底面図を示す図、図５６Ｄは、図５４Ａの底面図を示す図、図５６Ｅは図５６Ｃの５６Ｅにおける断面図を示す図、図５６Ｆは図５６Ｄの５６Ｆにおける断面図を示す図である。
【図５７】図５７Ａは、装置１０の一実施例（鞘１６および複数のシャフト部材１５）により、シャフト１７がその最小胴回り寸法にある装置１０の正面図を示す図、図５７Ｂは、装置１０の一実施例により、シャフト１７がその最大胴回り寸法にある装置１０の正面図を示す（鞘１６および複数のシャフト部材１５）図、図５７Ｃは、図５７Ａの底面図を示す図、図５７Ｄは図５７Ｂの底面図を示す図、図５７Ｅは図５７Ｃの５７Ｅにおける断面図を示す図、図５７Ｆは、図５７Ｄの５７Ｆにおける断面図を示す図である。
【図５８】図５８Ａは、装置１０の一実施例によるシャフト１７がその最小胴回り寸法にある装置１０の正面図を示す（鞘１６は図５８Ａに示さず、図５８Ａに１つのシャフト部材１５のみが示される）図、図５８Ｂは、装置１０の一実施例によるシャフト１７がその最大胴回り寸法にある装置１０の正面図を示す（鞘１６は図５８Ｂに示さず、図５８Ｂに１つのシャフト部材１５のみが示される）図、図５８Ｃは、図５８Ａの底面図を示す図、図５８Ｄは、図５７Ａの底面図を示す図、図５８Ｅは、図５８Ｃの５８Ｅにおける断面図を示す図である。
【図５９】図５９Ａは、装置１０の一実施例による、コントローラー１１の斜視図を示す図、図５９Ｂは、装置１０の一実施例による、鞘１６の斜視図を図示する図である。
【発明を実施するための形態】
【００２０】
本明細書で使用される場合、「および／または」という用語は、関連するリストされた項目の１つまたは複数のありとあらゆる組み合わせを含む。本明細書で使用する場合、単数形名詞「ａ」、「ａｎ」、および「および」および「ｔｈｅ」は、文脈で明確に示されていない限り、単数形だけでなく複数形も含むものとする。さらに、「持っている」、「持っている」、「構成されている」、「構成されている」、「構成されている可能性がある」、「含む」、「含む」、および／または「含む」という用語は、この明細書で使用する場合、記載されている機能、メンバー、部品、要素、および／またはコンポーネントの存在を指定するが、１つ以上の他の機能、メンバー、部品、要素、コンポーネント、および／またはその存在または追加をそのグループから排除するように仮定してはならない。
【００２１】
「プラスチック」という用語は、主にプラスチックでできた材料を意味し、プラスチックと他のプラスチック、材料、要素の組み合わせを含む。「金属」という用語は、主に金属でできた材料を意味し、金属と別の金属、材料、元素の組み合わせを含む。「シリコーン」という用語は、主にシリコーンでできている材料を意味し、シリコーンと別のシリコーン、材料および／または要素との組み合わせを含む。「ゴム」という用語は、主にゴムでできた材料を意味し、ゴムと他のゴム、材料、要素の組み合わせを含む。「木材」という用語は、主に木材でできている材料を意味し、木材と他の木材、材料、要素の組み合わせを含む。「革」という用語は、主に革でできた素材を意味し、革と他の革、素材、要素の組み合わせを含む。「ガラス」という用語は、主にガラスで作られた材料を意味し、ガラスと別のガラス、材料、および／または要素との組み合わせを含む。「鋼体材料」という用語は、主に硬質の材料を意味し、鋼体材料と別の材料の組み合わせを含む。「半鋼体材料」という用語は、主に半硬質の材料を意味し、半鋼体材料と別の材料の組み合わせを含む。「軟性材料」という用語は、主に軟質の材料を意味し、軟質材料と別の材料の組み合わせを含む。「固定」という用語は、ゆるんだり、緩んだり、失われたりしないように、取り付け、定置、または固定されていることを意味する。
【００２２】
次に、説明的に図面について述べると、同様の参照文字または符号は、いくつかの図を通して同様の要素を示す。
【実施例】
【００２３】
図１、図２、図３および図４は、好ましくはコントローラー１１、ハウジング１２、ねじ付き軸１３（図２、図３および図４に示される）、少なくとも１つの傾斜面を有する円錐部分を有する少なくとも２つのモジュール１４（図２、図３および図４に示されている）、または傾斜面を有する少なくとも２つの円錐部分を有する少なくとも１つのモジュール１４（図１、図２、図３、図４には示されない）、少なくとも５つのシャフト部材１５および鞘１６（図１に示す）を備える装置１０を示す。図１Ａ、図１Ｂに示されるように、装置１０のシャフト１７は、鞘１６の先端１６Ｃからハウジング１２の周囲の最も近い縁部に向かっている。図１Ａは、装置１０の好ましい一実施例により、シャフト１７がその最小胴回り寸法にある装置１０の正面図を示す。図１Ｂは、装置１０の好ましい一実施例により、シャフト１７がその最大胴回り寸法にある装置１０の正面図を示す。図１Ｃは装置１０の好ましい一実施例により、シャフトがその最小胴回り寸法にある装置１０の上面図を示す。図１Ｄは装置１０の一実施例により、シャフトがその最大胴回り寸法にある装置１０の上面図を示す。このシャフト１７の胴回り寸法はその最小寸法から最大寸法までの任意の寸法に調節でき、その結果シャフト１７の胴回り寸法を、その最小寸法から最大寸法に、そして最大寸法から最小寸法に任意の寸法に設定できることを意味する。シャフト１７の胴回り寸法の増加および減少の増分は、コントローラー１１の回転およびねじ付き軸１３の１ｃｍ当たりのねじの量依存する。装置１０の機構をよりよく理解するために、鞘１６は図２および図３には示されていない。図２Ａは、装置１０の好ましい一実施例により、シャフト１７がその最小胴回り寸法にある装置１０の正面図を示す。図２Ｂは、装置１０の好ましい一実施例により、シャフト１７がその最大胴回り寸法にある装置１０の正面図を示す。図２Ｃは、装置１０の好ましい一実施例により、シャフト１７がその最小胴回り寸法にある装置１０の上面図を示す。図２Ｄは、装置１０の好ましい一実施例により、シャフト１７がその最大胴回り寸法にある装置１０の上面図を示す。図３Ａは、装置１０の好ましい一実施例により、シャフト１７がその最小胴回り寸法にある装置１０の斜視図を示す。図３Ｂは、装置１０の好ましい一実施例により、シャフト１７がその最大胴回り寸法にある装置１０の斜視図を示す。装置１０の機構をよりよく理解するために、鞘１６および複数のシャフト部材１５は図４Ｃ、４Ｄには示されていない。図４Ｃは、装置１０の好ましい一実施例により、シャフト１７がその最小胴回り寸法にある装置１０の正面図を示す（鞘１６および複数のシャフト部材１５は図示されていない）。図４Ｄは、装置１０の好ましい一実施例により、シャフト１７がその最大胴回り寸法にある装置１０の正面図を示す（鞘１６および複数のシャフト部材１５は図示されていない）。
【００２４】
ねじ付き軸１３（図５Ｂに示す）は、第１端部１３Ａ、中間部１３Ｂ、および第２端部１３Ｃを有する。ねじ付き軸１３の第１端部１３Ａから第２端部１３Ｃへ、または第２端部１３Ｃ第１端部１３Ａへ向かう配向の方向を、以下では「ねじ付き軸の長手軸」と呼ぶ。シャフト部材１５（図３１に示す）は、少なくとも１つのハウジング溝１５ＡＡ、中間部１５Ｂ、傾斜接面１５ＣＡを持つ少なくとも１つのモジュール窪み１５Ｃ、少なくとも１つのモジュールコネクタ溝１５Ｄ、および先端１５Ｅを持つ。以下、シャフト部材１５の第１端部１５Ａから先端部１５Ｅまたは先端部１５Ｅ第１端部１５Ａに向かう方向を「シャフト部材の長手軸」と呼ぶ。
【００２５】
コントローラー１１は、ハウジング１２内のねじ付き軸１３に接続され、モジュール１４（または複数のモジュール１４）は、ねじ付き軸１３を受け取り、モジュール１４（または複数のモジュール１４）は、複数のシャフト部材にスライド可能に接続され、複数のシャフト部材は、ハウジング１２にスライド可能に接続され、複数のシャフト部材１５は、モジュール１４（または複数のモジュール１４）を取り囲み、各シャフト部材１５の各縦軸は、ほぼまたは正確にねじ付き軸１３の長手軸に平行である。鞘１６は複数のシャフト部材１５または複数のシャフト部材１５およびハウジング１２に接続され、鞘１６は複数のシャフト部材１５または複数のシャフトを取り囲む。好ましい一実施例では、コントローラー１１、ハウジング１２、ねじ付き軸１３、モジュール１４（または複数のモジュール１４）、複数のシャフト部材１５および鞘のアセンブリが装置１０を特徴あるものにしており、ユーザーがコントローラー１１を時計回りに回転させると、ねじ付き軸１３が時計回りに回転し、モジュール１４（または複数のモジュール１４）がねじ付き軸１３の縦軸の周りを回転するのを防ぎ、ハウジング１２の方向にねじ付き軸１３に沿って移動させ、各シャフト部材１５をねじ付き軸１３の長手方向軸から離れる方向にねじ付き軸１３の長手方向軸に垂直に移動させる、各シャフト部材の各長手方向軸１５は、ねじ付き軸１３の長手方向軸とほぼまたは正確に平行に維持されており、弾性材料で作られた鞘１６は、元の形状から弾性変形し、コントローラー１１が回転しなくなるまで、シャフト１７の胴回り寸法が増加する。ユーザーがもうそれ以上時計回りに回せなくなると、ユーザーはシャフト１７の所望の胴回り寸法に達したことを意味する。つまり、ねじ付き軸１３は回転しなくなり、モジュール１４（または複数のモジュール１４）はもはやねじ付き軸１３に沿って移動せず、各シャフト部材１５はもはやねじ付き軸１３の長手方向軸から離れる方向にねじ付き軸１３の長手方向軸に垂直に移動しない。鞘１６はもはや弾性変形せず、シャフト１７の胴回り寸法の増加が停止される。シャフト１７の胴回り寸法はこの寸法で維持される。次に、ユーザーがコントローラー１１を反時計回りに回転させると、ねじ付き軸１３が反時計回りに回転し、モジュール１４（または複数のモジュール１４）がねじ付き軸１３の縦軸を中心に回転するのを防ぎ、ねじ付き軸１３に沿ってハウジング１２の方向へ戻り、鞘１６はその元の形状を取り戻し、各シャフト部材１５はねじ付き軸１３の長手方向軸に近づく方向にねじ付き軸１３の長手方向軸に垂直に戻り、各シャフト部材１５の各長手方向軸は、ねじ付き軸１３の長手方向軸とほぼまたは正確に平行に維持され、シャフト１７の胴回り寸法は減少する。コントローラー１１がユーザーによって反時計回りに回転しなくなるまで、すなわち、ユーザーがシャフト１７の所望の胴回り寸法に達すると、つまりねじ付き軸１３が回転しなくなり、モジュール１４（または複数のモジュール１４）がもはやねじ付き軸１３に沿って移動しなくなり、各シャフト部材１５はもはやねじ付き軸１３の長手方向軸に垂直にねじ付き軸１３の長手方向軸に近づく方向に移動せず、鞘１６はもはやその元の形状を取り戻さず、シャフト１７の胴回り寸法減少は停止する。シャフト１７の胴回り寸法は、ユーザーがコントローラー１１を再び時計回りまたは反時計回りに回転させるまで、この寸法で維持される。
【００２６】
ユーザーが装置１０によって提供されるシャフト１７の最大胴回り寸法に達した場合、コントローラー１１は回転できなくなる、つまり、少なくとも１つのモジュール１４がハウジング１２の少なくとも１つの縁部に押し当たることにより、移動を停止するため、ねじ付き軸１３は回転できなくなる。および／または図２２Ａに示される別の好ましい一実施例では、少なくとも１つの最大移動ストッパー１３Ｅを押し付けることによりねじ付き軸１３に沿って移動するのを停止する。および／または少なくとも１つのシャフト部材１５のモジュールコネクタ溝１５Ｄ（図３１に示すモジュールコネクタ溝１５Ｄ）の少なくとも１つの端部を押し付けることにより、および／または、少なくとも１つのシャフト部材１５が、ハウジング１２の少なくとも１つの縁部を押し付けることにより、ねじシャフト１３の長手軸から離れる方向にねじシャフト１３の長手軸に垂直に移動するのを止められる。
【００２７】
ユーザーが装置１０によって提供されるシャフト１７の最小胴回り寸法に達した場合、コントローラー１１はそれ以上回転できなくなる。つまり、少なくとも１つのモジュール１４が、少なくとも１つのシャフト部材１５のモジュール窪み１５Ｃの少なくとも１つの端部（図３１に示されるモジュール窪み１５Ｃ）および／または図２２Ｂに示される別の好ましい一実施例において少なくとも１つの最小移動ストッパー１３Ｆを押し付けることによって、ねじ付き軸１３に沿う移動を止められるため、ねじ付き軸１３は回転できなくなる。
【００２８】
＜コントローラー＞
コントローラー１１は、ねじ付き軸１３の時計回りおよび反時計回りの回転を制御する機能によって特徴付けられる。好ましい一実施例では、装置１０は、１つのコントローラー１１を備える。装置１０の好ましい一実施例では、コントローラー１１は直接操作される。つまり、少なくとも片手でユーザーがコントローラー１１を時計回りまたは反時計回りに回転させるが、別の一実施例では、コントローラー１１が密閉型電気モーター１９（密閉型電気モーターセクションで記述する密閉型電気モーター１９）に接続されている場合、コントローラー１１はユーザーが電子部品１８（電子部品１８  電子部品セクションで記述する）によって操作される。
【００２９】
図５Ａと図５Ｄに示す好ましい一実施例では、コントローラー１１は、第１端部１１Ａおよび第２端部１１Ｂを有する。好ましくは、コントローラーの第１端部１１Ａは、第２端部１１Ｂに接続され、第１端部１１Ａがユーザによって回転されると、第２端部１１Ｂは、第１端部１１Ａの回転に従って回転する。図５Ｃに示すように、第２端部１１Ｂはねじ付き軸１３の第１端部１３Ａ（図５Ｂに示す）に接続し、第２端部１１Ｂが回転すると、ねじ付き軸１３が第２端部１１Ｂの回転に追従して回転する。図６に示すように、コントローラー１１の第２端部１１Ｂおよびねじ付き軸１３の第１端部１３Ａは、ハウジング１２の内側で嵌合するように構成される。コントローラー１１の第２端部１１Ｂおよびねじ付き軸１３の第１端部１３Ａは、ねじ付き軸１３の縦軸を中心に時計回りまたは反時計回りに回転する。好ましくは、コントローラー１１の第１端部１１Ａは、片手または両手でのユーザによるその制御を容易にする人間工学的形状で構成される。好ましくは、コントローラー１１は、少なくとも１つの着色添加剤剤で作製されるが、コントローラー１１は、着色添加剤なし作製されてもよい。好ましくは、コントローラー１１の第１端部１１Ａは、キー形状、吸盤形状（図１８に示される）、ノブ形状（図１９Ａに示される）、円柱形状、ハート形状、動物の尾形、ナックルパンチ形状、多面体形状、宝石形状、人間の顔形状、動物の顔形状、および／またはジャガイモ形状などであるがこれらに限定されず、ほぼまたは正確に幾何学的形状に構成される。コントローラー１１の第１端部１１Ａは、カップリングナット、モータ軸カプラ、およびレンチとして構成され得る。好ましくは、コントローラー１１は、プラスチック、硬質ゴム、金属、ガラス、および／または木材などであるがこれらに限定されない剛性材料で作られるが、コントローラー１１は、プラスチック、シリコン、ゴムなどこれらに限定されないが半剛性材料で作られてもよい。またはコントローラー１１は、シリコン、皮革、ゴムなどの半剛体および／または軟性材料と組み合わせた剛体材料で作成できるが、これらに限定されない。コントローラー１１は、金属製の場合、磁化されて血流を増加させ、身体開口部領域の筋肉および靭帯を弛緩させ、したがって、装置１０の使用中に身体開口部の拡張および伸張を強化することができる。第１端部１１Ａは、図７に示すように、可撓性シャフト１１ＡＡを備えて構成されてもよく、すると可撓性シャフト１１ＡＡで構成された第１端部１１Ａがユーザーによって時計回りまたは反時計回りに回転されると、第２端部１１Ｂおよびねじ付き軸１３は、可撓性シャフト１１ＡＡで構成された第１端部１１Ａの回転に従って回転する。可撓性シャフト１１ＡＡは、ワイヤロープ、可撓性スネークドリルシャフトおよび／または可撓性コイルなどであり得るが、これらに限定されない。可撓性シャフト１１ＡＡは、曲がるが回転しないカバーを備えることができる。可撓性シャフト１１ＡＡは、ハンドルを備えたカバーを備えることができる。コントローラー１１は、少なくとも１つのカラーコードおよび／または少なくとも１つの連続番号を用いて構成され、装置１０を別の装置１０と区別して、（同じ機能を有するかまたは持たない）複数の装置１０のユーザの利用を容易にし得る。コントローラー１１は、装置１０の使用方法をユーザに示すために、少なくとも１つの視覚的および／または触覚的指示を用いて構成され得る。
【００３０】
別の一実施例では、図８に示されるように、コントローラー１１は、ベアリング２０を有する少なくとも１つのハンドルを含み得る。好ましくは、ベアリング２０を有するハンドルは、プレーンベアリングおよび／または転動要素ベアリングなどの少なくとも１つを含むが、これらに限定されない。この一実施例は、一方の手でユーザがベアリング２０を有するハンドルを握ることができ、他方の手でコントローラー１１の第１端部１１Ａを回転させて装置１０の調整を行うことができるので、コントローラー１１の利用の代替となる。
【００３１】
図９に示されるように、コントローラー１１は、少なくとも１つの電子部品１８（電子部品セクションに記載された電子部品１８）を備えることができる。
【００３２】
別の一実施例では、図１０および図１１に示されるように、装置１０は、少なくとも１つの密閉された電気モーター１９および少なくとも１つの電子部品１８（密閉された電気モーターセクションに記載された密閉された電気モーター１９）を含み得る。図１０に示す一実施例では、密閉型電気モーター１９のモーターハウジング１９Ｂは、ハウジング１２に接続され、密閉型電気モーター１９のモーターシャフト１９Ａを有するモーターのモーターシャフトは、コントローラー１１の第１端部１１Ａに接続される。モーターシャフト１９Ａを有するモータのモータシャフトが、電子部品１８を介してユーザによって時計回りまたは反時計回りに回転されると、コントローラー１１の第１端部１１Ａおよび第２１１Ｂは、モータシャフトの回転に従って回転する。コントローラー１１の第２端部１１Ｂはねじ付き軸１３に接続されており、コントローラー１１の第２１１Ｂが回転すると、ねじ付き軸１３が回転に追従して回転するようになっている。図１１に示す一実施例では、密閉型電気モータ１９は、コントローラー１１の可撓性シャフト１１ＡＡで構成される第１端部１１Ａに接続され、密閉型電気モータ１９のモータシャフト１９Ａを有するモータのモータシャフトが電子部品１８を介してユーザにより時計回りまたは反時計回りに回転すると、可撓性シャフト１１ＡＡで構成された第１端部１１Ａおよびコントローラー１１の第２１１Ｂが封入されたモータシャフト１９Ａを有するモータのモータシャフトの回転に従って回転するようになっている。コントローラー１１の第２１１Ｂはねじ付き軸１３に接続され、その結果、コントローラー１１の第２端部１１Ｂが回転すると、ねじ付き軸１３は、コントローラー１１の第２端部１１Ｂの回転に従って回転する。
【００３３】
図１２から図１８および図１８Ｂに示されるもう一つの一実施例においては、コントローラー１１の第１端部１１Ａは、少なくとも１つのオス型接続部１１Ｃおよび少なくとも１つのメス型接続部１１Ｄを備えることができる。好ましくは、メス接続部１１Ｄは、これらに限定されないが、クラッチ、ワンウェイタイプ、ブリストルタイプ、クアドレックスタイプ、ペンタローブタイプ、スパナヘッドスクリュードライブタイプのようなソケットレンチタイプ、キーホールタイプ、またはネジ式タイプなどで構成されるが、これらに限定されない。好ましくは、オス型接続部１１Ｃおよびメス型接続部１１Ｄは、プラスチック、金属、および／または強磁性材料などで作られるが、これらに限定されない。オス接続部１１Ｃが金属で作られ、メス接続部１１Ｄが強磁性材料で作られているか、またはオス接続部１１Ｃが強磁性材料で作られ、メス接続部１１Ｄが金属で作られ、磁気吸引により、オス型接続部１１Ｃとメス型接続部１１Ｄとの間の接続を容易にすることができるように作られているという事実が注目される。オス接続部１１Ｃは、メス接続部１１Ｄに取り外し可能に嵌合するように構成されている。つまり、オス接続部１１Ｃは繰り返し接続でき、メス接続部１１Ｄに接続し、次にメス接続部１１Ｄから取り外して、再度メス接続部１１Ｄに接続することができる。オス型接続部１１Ｃがメス型接続部１１Ｄに接続され、オス型接続部１１Ｃが時計回りまたは反時計回りに回転すると、メス型接続部１１Ｄは、オス型接続部１１Ｃの回転に従って回転する。図１２に示すように、第１端部１１Ａは、オス型接続部１１Ｃおよびメス型接続部１１Ｄに接続され、その結果、オス型接続部１１Ｃがメス型接続部１１Ｄに接続され、第１端部１１Ａが時計回りまたは反時計回りに回転されると、第２１１Ｂは、第１端部１１Ａの回転に従って回転する。コントローラー１１の第２端部１１Ｂは、ねじ付き軸１３に接続され、コントローラー１１の第２端部１１Ｂが回転すると、ねじ付き軸１３は、コントローラー１１の第２１１Ｂの回転に追従して回転する。図１３に示すように、可撓性シャフト１１ＡＡで構成される第１端部１１Ａは、オス型接続部１１Ｃおよびメス型接続部１１Ｄに接続され、その結果、オス型接続部１１Ｃがメス型接続部１１Ｄに接続されると、可撓性シャフト１１ＡＡで構成された第１端部１１Ａがユーザによって時計回りまたは反時計回りに回転されると、第２１１Ｂは、可撓性シャフト１１ＡＡで構成された第１端部１１Ａの回転に従って回転する。コントローラー１１の第２端部１１Ｂは、ねじ付き軸１３に接続され、コントローラー１１の第２端部１１Ｂが回転すると、ねじ付き軸１３は、コントローラー１１の第２の１１Ｂの回転に従って回転する。図１４に示すように、可撓性シャフト１１ＡＡで構成される第１端部１１Ａは、２つのオス接続１１Ｃおよび２つのメス接続１１Ｄを含むことができ、第１のオス接続１１Ｃが第１のメス接続１１Ｄに接続され、第２のオス接続１１Ｃが第２のメス接続１１Ｄに接続され、可撓性シャフト１１ＡＡで構成された第１端部１１Ａがユーザーによって時計回りまたは反時計回りに回転すると、第２端部１１Ｂは、可撓性シャフト１１ＡＡで構成された第１端部１１Ａの回転に従って回転する。コントローラー１１の第２端部１１Ｂはねじ付き軸１３に接続され、コントローラー１１の第２端部１１Ｂが回転すると、ねじ付き軸１３がコントローラー１１の第２端部１１Ｂの回転に追随して回転する。図１５に示すように、密閉型電気モーター１９を備える装置１０の一実施例では、密閉型電気モーター１９のモーターシャフト１９Ａを有するモーターのモーターシャフトは、コントローラー１１の第１端部１１Ａに接続されるオス接続部１１Ｃとメス接続部１１Ｄに接続され、オス接続部１１Ｃがメス接続部１１Ｄに接続されるとき、および密閉型電気モーター１９のモーターシャフト１９Ａを有するモーターのモーターシャフトが、電子部品１８を介してユーザーによって回転させられると、コントローラー１１の第１端部１１Ａおよび第２１１Ｂは、密閉された電気モータ１９のモータシャフト１９Ａを有するモータのモータシャフトの回転に追随して回転する。コントローラーの第２端部１１Ｂはねじ付き軸１３に接続され、コントローラー１１の第２１１Ｂが回転すると、ねじ付き軸１３がコントローラー１１の第２端部１１Ｂの回転に従って回転する。図１６に示すように、密閉型電気モータ１９を備える装置１０の一実施例では、密閉型電気モータ１９のモータシャフト１９Ａを有するモータのモータシャフトは、コントローラー１１の可撓性シャフト１１ＡＡで構成される第１端部１１Ａに接続される。可撓性シャフト１１ＡＡで構成された第１端部１１Ａは、オス型接続部１１Ｃおよびメス型接続部１１Ｄに接続され、その結果、オス型接続部１１Ｃがメス型接続部１１Ｄに接続されるとき、およびモータシャフトを有するモータのモータシャフトが密閉型電気モーター１９のシャフト１９Ａ（図１６には図示せず）が、電子部品１８を介してユーザーによって時計回りまたは反時計回りに回転されるとき、第１端１１Ａはフレキシブルシャフト１１ＡＡで構成され、コントローラー１１の第２１１Ｂは、密閉型電気モーター１９のモーターシャフト１９Ａ（図１６には図示せず）を有するモーターのモーターシャフトの回転に追随して回転する。コントローラー１１の第２１１Ｂは、ねじ付き軸に接続されているので、コントローラー１１の第２の１１Ｂが回転すると、ねじ付き軸１３がコントローラー１１の第２の１１Ｂの回転に追従して回転する。図１７に示すように、密閉型電気モーター１９を備える装置１０の一実施例では、可撓性シャフト１１ＡＡで構成された第１端部１１Ａは、２つのオス接続１１Ｃおよび２つのメス接続１１Ｄを備えることができ、その結果、第１のオス接続１１Ｃが第１のメス接続１１Ｄ、および第２のオス接続１１Ｃは、第２の他のメス接続１１Ｄに接続され、密閉された電気モーター１９のモーターシャフト１９Ａ（図１７には図示せず）を有するモーターのモーターシャフトが回転すると、電子部品１８を介してユーザによって時計回りまたは反時計回りに回転すると、可撓性シャフト１１ＡＡで構成される第１端部１１Ａおよびコントローラー１１の第２１１Ｂは、モータシャフト１９Ａを有するモータのモータシャフトの回転に従って回転する。コントローラー１１の第２１１Ｂは、ねじ付き軸１３に接続されているので、コントローラー１１の第２の１１Ｂが回転すると、ねじ付き軸は、コントローラー１１の第２の１１Ｂの回転に追従して回転する。図１９Ｂに示すように、可撓性シャフト１１ＡＡで構成される第１端部１１Ａは、２つのオス接続１１Ｃおよび１つのメス接続１１Ｄを含むことができ、第１のオス接続１１Ｃがメス接続１１Ｄに接続され、第２のオス接続１１Ｃが他の装置１０（そのコントローラー１１の１つのオス接続１１Ｃを有するその第１端部１１Ａ使用されず、取り外されている他の装置１０；他の装置１０は、好ましくは、左ねじのねじ付き軸１３を含む；左ねじのねじ付き軸１３はねじ付き軸のセクションで説明される）のメス接続１１Ｄに接続される、そして装置１０のフレキシブルシャフト１１ＡＡで構成された第１端部１１Ａがユーザーによって時計回りまたは反時計回りに回転すると、装置１０の第２端部１１Ｂおよび他の装置１０の第２端部１１Ｂが回転する。この一実施例は、いくつかの装置１０の利用中に、ユーザの身体開口部拡張および伸張手順を強化する他の特徴を提供する。
【００３４】
図２０に示す他のある一実施例においては、コントローラー１１の第１端部１１Ａは、少なくとも１つの雄型接続部１１Ｃおよび少なくとも１つの雌型接続部１１Ｄそして少なくとも１つのロックシステム２１を備える。これは、雄型接続１１Ｃを繰り返し、つまり雌型接続１１Ｄに固定し、次に雌型接続１１Ｄから取り外して、再度雌型接続１１Ｄに固定することを意味する。ロッキングシステム２１は、好ましくは、以下に限定されないが、ばね式ロードシステムなどの容易な解放システムである。この一実施例は、装置１０の使用中に装置１０の使用を強化し、ユーザが装置１０の使用中にコントローラー１１の望ましくない切断を防止する。ユーザは、コントローラー１１を介してロックシステム２１を操作する。
【００３５】
別の一実施例（図示せず）では、コントローラー１１またはコントローラー１１の第２端部１１Ｂのみを、ねじ付き軸１３を１つの部品として製造することができる。この一実施例は、装置１０の製造最適化の代替である。
【００３６】
別の一実施例では、図２１に示されるように、コントローラー１１は、少なくとも１つのコントローラーの角度付伝達部１１Ｅを含み得る。また、図２１に示すように、コントローラーの角度付伝達部１１Ｅは、複数の歯車１１Ｈ（複数の歯車の項で記述する複数の歯車１１Ｈ）またはギアレス（図示せず）で構成することができる。好ましくは、コントローラー角度付き伝達部１１Ｅは、コントローラー１１において、ねじ付き軸１３の長手方向軸と０．１°以上の角度を生成するように構成される。好ましくは、少なくとも１つのコントローラーの角度付伝達部１１Ｅを有するコントローラー１１が接続される。少なくとも１つのコントローラーの角度付伝達部１１Ｅを有するコントローラー１１が回転すると、ねじ付き軸１３は、第２端部１１Ｂの回転に従って回転する。好ましくは、コントローラーの角度付伝達部１１Ｅは、コントローラー１１において、ねじ付き軸１３の長手方向軸と０．１°以上の角度を生じるように構成される。少なくとも１つのコントローラーの角度付伝達部１１Ｅを有するコントローラー１１は、ユーザのためにコントローラー１１に到達する距離を短縮し、したがって、装置１０の利用を容易にする。
【００３７】
別の一実施例では、図５９Ａに示すように、コントローラー１１は、少なくとも１つのハンディエリア１１Ｉを備えることができ、ハンディエリアは、ユーザがその指および／またはその手の一部を用いてコントローラー１１を時計回りおよび反時計回りに簡単に回転させるのに十分な大きさのコントローラー１１の第１端部１１Ａ上の領域である。
【００３８】
＜ねじ付き軸＞
好ましい一実施例では、装置１０は、１つのねじ付き軸１３を備える。図５Ｂに示すように、ねじ付き軸１３は、第１端部１３Ａ、中間部１３Ｂ、第２端部１３Ｃ、および長手方向軸を有する。ねじ付き軸１３の第１端部１３Ａから第２端部１３Ｃへ、または第２端部１３Ｃ第１端部１３Ａへ向かう配向の方向を、以下では「ねじ付き軸の長手方向軸」と呼ぶ。ねじ付き軸１３の第１端部１３Ａは、コントローラー１１の第２端部１１Ｂに接続され（図５Ｃに示すように）、第２端部１１Ｂが時計回りまたは反時計回りに回転すると、ねじ付き軸１３がコントローラー１１の第２端部１１Ｂの回転に従って回転する。好ましくは、ねじ付き軸１３は、長さが２５．４ミリメートルより大きく、外径が１．８５ミリメートルより大きく、１ｃｍまたは当たり６３ねじ以下のねじ付き留め棒である。ねじ付き軸１３の１センチメートルまたは１インチあたりのねじ山の量は、装置１０の調整の特定可特性を部分的に定義し、コントローラー１１がユーザによって回転されるときのシャフト胴回りが増加減少する増分を定義する。好ましい一実施例では、シャフト胴回りの増分は、１ミリメートル未満である。好ましくは、ねじ付き軸１３は右ねじであり、これは右ねじで作られることを意味するが、ねじ付き軸１３は左ねじであることもあり、これは左ねじで作られ、したがって回転方向を逆にすることができる。好ましくは、ねじ付き軸１３は、金属またはプラスチックなどで作られるが、これらに限定されない。金属製のねじ付き軸１３は、磁化されて血流を増加させ、身体開口部領域の筋肉および靭帯を弛緩させ、したがって、装置１０の使用中に身体開口部の拡張および伸張を強化することができる。
【００３９】
別の一実施例では、図２２Ａに示すように、ねじ付き軸１３は、金属および／またはプラスチックなどであるがこれらに限定されない剛性材料で作製されることが好ましい。しかし少なくとも１つの最大移動ストッパ１３Ｅは、プラスチック、シリコーンおよび／またはゴムなどただしこれらに限定されない半鋼体材料で作製することもできる。最大移動ストッパー１３Ｅは、シリコーンおよび／またはゴムなどのこれらに限定されない軟性材料と組み合わせて作られ、モジュール１４（または複数のモジュール１４）との衝撃を吸収することができる。最大移動ストッパー１３Ｅは、ナットファスナーおよび／またはワッシャーファスナーなどであり得るがこれらに限定されない。好ましくは、最大移動ストッパー１３Ｅは、ねじ付き軸１３に固定される。最大移動ストッパー１３Ｅは、ねじ付き軸１３上に構成され、モジュール１４がねじ付き軸１３に沿って移動するのを停止し、したがって、コントローラー１１の回転を停止する。この一実施例では、ハウジング１２およびシャフト部材１５（この一実施例では図示せず）は、最大移動ストッパ１３Ｅを受け入れるように構成されている。最大移動ストッパー１３Ｅは、ユーザーが装置１０を使用中に受ける摩擦および取り扱いストレスを低減する。
【００４０】
図２２Ｂに示すように、ねじ付き軸１３は、金属および／またはプラスチックなどであるがこれらに限定されない剛性材料で作製されることが好ましい少なくとも１つの最小移動ストッパ１３Ｆを備えることができるが、最小移動ストッパ１３Ｆは、半剛性材料で作製され得る。プラスチック、シリコーンおよび／またはゴムなどのただしこれらに限定されない最小移動ストッパー１３Ｆは、シリコーンおよび／またはゴムなどのこれらに限定されない軟性材料と組み合わせて作られ、モジュール１４（または複数のモジュール１４）との衝撃を吸収することができる。最小移動ストッパー１３Ｆは、ナットファスナーおよび／またはワッシャーファスナーなどであり得るが、これらに限定されない。好ましくは、最小移動ストッパー１３Ｆは、ねじ付き軸１３に固定される。好ましくは、最小移動ストッパー１３Ｆは、ねじ付き軸１３上に構成され、モジュール１４がねじ付き軸１３に沿って移動するのを止め、したがって、この一実施例では、ハウジング１２およびシャフト部材１５（この一実施例では図示せず）は、最小移動ストッパ１３Ｆを受け入れるように構成されている。最小移動ストッパー１３Ｆは、ユーザーによる使用中の装置１０への摩擦および取り扱いストレスを低減する。最小移動ストッパー１３Ｆは、鞘１６を第２端部１３Ｃから保護するために、キャップナットファスナー（図２２Ｂに示される）などであるがこれらに限定されないもので構成される。
【００４１】
別の一実施例では、図２２Ｃに示されるように、ねじ付き軸１３は、金属および／またはプラスチックなどであるがこれらに限定されない剛性材料で作製された少なくとも１つのコントローラーコネクタ１３Ｄを備え得る。コントローラーコネクタ１３Ｄは、ナットファスナー（図２２Ｃに示される）および／またはウィングナットファスナー（図示せず）などであり得るがこれらに限定されない。コントローラーコネクタ１３Ｄは、ねじ付き軸１３へ第１端部１３Ａに構成され、コントローラー１１の第２端部１１Ｂをねじ付き軸１３に接続する。好ましくは、コントローラーコネクタ１３Ｄは、ねじ付き軸１３に固定される。コネクタ１３Ｄは、コントローラー１１とねじ付き軸１３との間の接続を強化し、使用中の装置１０への摩擦および取り扱いストレスを低減する。図２２Ｃは、この一実施例において、コントローラーコネクタ１３Ｄを介してねじ付き軸１３に接続されたコントローラー１１の正面図を示す。
【００４２】
別の一実施例では、ねじ付き軸１３は、ねじ付き軸角度付き伝達ハウジング１３ＧＡを有する少なくとも１つのねじ付き軸の角度付き伝達コネクター１３Ｇを備えることができる。ねじ付き軸の角度付き伝達コネクター１３Ｇは、複数のギア１１Ｈ（この一実施例では図示せず）で、または図２３に示すようにギアレスで構成することができる。好ましくは、ねじ付き軸角度付き伝達コネクター１３Ｇは、ねじ付き軸１３において、ねじ付き軸１３の長手軸と０．１°以上の角度を生成するように構成される。ねじ付き軸１３の第１端部１３Ａに配置された角度付き伝達コネクター１３Ｇ（この一実施例では図示せず）の角度は、ユーザーのためのコントローラー１１に到達する距離を短縮し、したがって、装置１０の利用を容易にし、角度付き伝達コネクター１３Ｇが中央セクション１３Ｂに位置するとき（図２３に示すように）および／またはねじ付き軸１３の第２端部１３Ｃ（この一実施例では図示せず）は、前立腺の刺激など（ただしこれらに限定されない）のユーザの身体開口拡張および伸張手順を強化する他の特徴を提供する。この一実施例では、シャフト部材１５および鞘１６は、少なくとも１つの角度付き伝達コネクター１３Ｇを有するねじ付き軸１３を受け入れるように構成される。ねじ付き軸の角度付き伝達ハウジング１３ＧＡは、モジュールコネクタ溝１５Ｄの内側にスライド可能に嵌合して少なくとも１つの角度付き伝達コネクター１３Ｇを有するねじ付き軸１３の望ましくない移動および／または回転を防止する少なくとも１つの角度付き伝達コネクタ（図示せず）を備え得る。図２３Ａは、この一実施例における最小胴回り寸法のシャフト１７を有する装置１０の正面図を示す（鞘１６は図示されず、上シャフト部材１５のみが図示され、ねじ付き軸角度付き伝達ハウジング１３ＧＡの一部のみが図示されている）。図２３Ｂは、この一実施例におけるシャフト１７がその最小胴回り寸法にある装置１０の斜視図を示す図、図２３Ｃは、この一実施例における、シャフト１７がその最大胴回り寸法にある装置１０の斜視図を示す。
【００４３】
＜ハウジング＞
好ましい一実施例では、装置１０はハウジング１２を備える。好ましい一実施例では、ハウジング１２は図２４、図２５および図２６に示すように、コントローラー向け第１端部１２Ａ、複数のシャフト部材溝１２ＢＡおよび複数のシャフト部材突起１２ＢＢを有するシャフト部材向け第２端部１２Ｂ、およびねじなし管１２Ｃを有する。ハウジング１２は、コントローラー１１の第２端部１１Ｂおよびねじ付き軸１３の第１端部１３Ａを囲んでいる。しかしながら、ハウジング１２は、コントローラー１１の第１端部１１Ａを部分的または全体的に囲んでもよい。好ましくは、ねじなし管１２Ｃはねじ山のついていない管である。ねじなし管１２Ｃは、ねじ付き軸１３の第１端部１３Ａを受け入れ、コントローラー向け第１端部１２Ａは、第１端部１３Ａに接続されたコントローラー１１の第２端部１１Ｂを受け入れ、その結果、ハウジング１２が第２端部１１Ｂと第１端部１３Ａを囲むとき、第２端部１１Ｂと第１端部１３Ａはねじ付き軸１３の長手方向軸の周りで時計回または反時計回りにのみ回転することができる。ハウジングのシャフト部材向け第２端部１２Ｂは、複数のシャフト部材溝１２ＢＡと複数のシャフト部材突起１２ＢＢを介して、複数のシャフト部材１５（図３１に示すシャフト部材１５）の少なくとも１つのハウジング溝１５ＡＡを有する各第１端部１５Ａをハウジング１２のシャフト突起１２ＢＢがスライド可能に受容するので、ユーザが装置１０の調整を行うと、複数のシャフト部材１５の各シャフト部材１５は、ねじ付き軸１３の長手方向軸に対して垂直方向にのみ移動することができる。各シャフト部材の溝１２ＢＡは、シャフト部材溝１２ＢＡあたり少なくとも１つのシャフト部材突起１２ＢＢを介して、シャフト１７の胴回り寸法が最小胴回り寸法、最大胴回り寸法のとき、およびユーザーが装置の調整を実行したときに、１つのシャフト部材１５のシャフト部材１５の縦軸をねじ付き軸１３の縦軸とほぼまたは正確に平行に維持する。シャフト部材突起１２ＢＢは、限定はしないが、ハウジング１２に固定されたねじ、釘、またはピンなどの留め具であってもよい。ハウジング１２の少なくとも１つのシャフト部材突起１２ＢＢは、片持ちスナップ（図２７Ｃおよび図２７Ｄに示される）として構成されてもよい。その場合、シャフト部材１５の第１端部１５Ａは、ハウジング１２でカンチレバースナップフィットとして構成されたシャフト部材突起１２ＢＢを受け入れるように構成される（図３２Ｃに示す）。各シャフト部材溝１２ＢＡは、対応するシャフト部材１５を受け入れ、各シャフト部材突起１２ＢＢは、対応するハウジング溝１５ＡＡを受け入れて、装置１０の使用中に対応するシャフト部材１５の望ましくない移動および／または回転を防止する。
【００４４】
好ましくは、複数のシャフト部材突起１２ＢＢのそれぞれの長手方向軸は、ねじ付き軸１３の長手方向軸にほぼまたは正確に垂直であるが、装置１０使用中の複数のシャフト部材１５への摩擦および取り扱い応力を低減するために、複数のシャフト部材突起１２ＢＢのそれぞれの長手方向軸は、ねじ付き軸１３の長手方向軸と９０°よりも大きいまたは小さい角度をなすように構成され得る。その場合、シャフト部材１５の収容溝１５ＡＡは、ねじ付き軸１３の長手方向軸と９０°よりも大きいまたは小さい角度をなす長手方向軸で構成されるシャフト部材突起１２ＢＢを受け入れるように構成される。
【００４５】
装置１０の使用中の複数のシャフト部材１５への摩擦および取り扱い応力を低減するために、ハウジング１２は、複数の摩擦低減器３４を備えて構成されてもよい。摩擦低減器３４は、空洞に保持された車輪とその軸（図２９Ｃおよび図２９Ｄに示すような）および／または空洞に保持されたボール（図示せず）などであるがこれらに限定されない。摩擦低減器３４はプラスチックおよび／または金属などで作られるがこれらに限定されない。
【００４６】
装置１０の使用中のコントローラー１１および複数のシャフト部材１５への摩擦および取り扱いストレスを低減するために、ハウジング１２は潤滑されてもよい。
【００４７】
少なくとも１つのシャフト部材溝１２ＢＡは、ハウジング１２に最も近いモジュール１４の傾斜面１４Ａを有する円錐部分の最も近い頂点（または最も近い平坦底面）をスライド可能に受け入れる（図示せず）ように構成され得る。これはモジュール１４のねじ付き軸１３の長手軸を中心とした望ましくない回転を防止するためである。
【００４８】
好ましくは、ハウジング１２は、限定されないが、球形（図２４Ａおよび図２４Ｂに示されるような）、くさび形、直方体形、長方形、じゃがいも形、円錐形、円柱形、角錐形、角柱形、四面体形、二十面体形、八面体形、トーラス形、五角形、楕円形、または十二面体形などの幾何学的形状に構成される。好ましくは、ハウジング１２は、身体開口部内への装置１０の過剰挿入を防止する。好ましくは、ハウジング１２は、プラスチック、硬質ゴム、金属、ガラス、および／または木材などの剛性材料から作られるがこれらに限定されない。ハウジング１２は、プラスチック、シリコーン、および／またはゴムなどの半剛性材料から作られてもよいがこれらに限定されない。またはハウジング１２は、シリコーン、革、および／またはゴムなどの半鋼体および／または軟性材料と組み合わせた鋼体材料で作られてもよいがこれらに限定されない。ハウジング１２は、金属で作られると、磁化させて血流を増加させ、装置１０の使用中に身体開口部領域の筋肉および靭帯を弛緩させ、したがって、身体開口部の拡張および伸張を強化することができる。望ましくはハウジング１２は着色剤として少なくとも１つの着色添加剤で作られるが、着色添加剤なしで作られてもよい。ハウジング１２は、装置１０の使用方法をユーザに示すために、少なくとも１つの視覚的および／または触覚的表示を付けてもよい。ハウジング１２は、いくつかの装置１０（同じ機能を有するか、または有していない）を使用するユーザーの利用を容易にするのに別の装置１０と区別するためのカラーコードおよび／または連続番号を付けてもよい。装置１０の製造および／または組立最適化目的の、ハウジング１２は、１、２（図２５に示される）、３（図２６に示される）またはそれ以上の部品で作られてもよい。
【００４９】
ハウジング１２がいくつかの部分で作られる場合、これらの部分は、限定するものではないが、インターロック、ゴムバンド３５（図３８に示す）、シリコーンバンド、ラッピング、接着、および／またはねじ込みなどによって互いに接続される。
【００５０】
別の一実施例では、少なくとも１つのシャフト部材溝１２ＢＡは、少なくとも１つのばねを含むことができる。ばねは、少なくとも１つのばねを有するシャフト部材溝１２ＢＡの内側に嵌合するシャフト部材１５の第１端部１５Ａに接続する。好ましくは、ばねは、これらに限定されないが、シャフト部材溝１２ＢＡの内側に嵌合する少なくとも１つの圧縮ばね３６（図４３Ｃに示されるような）であり、シャフト１７の胴回り寸法がユーザーによって減少されたとき、シャフト部材１５の第１端部１５Ａがねじ付き軸１３の長手方向軸に垂直に、ねじ付き軸１３の方向への移動するを容易にする。またはばねは、以下に限定されないが、シャフト部材溝１２ＢＡの内側に嵌合する少なくとも１つの引張りばね（図示せず）であり、使用者がシャフト１７の胴回り寸法を増加させたとき、シャフト部材１５の第１端部１５Ａがねじ付き軸１３の縦軸に垂直に反対側へ移動するのを容易にする。好ましくは、ばねは金属またはプラスチックなどで作られるが、これらに限定されない。
【００５１】
図２５Ａに示すように、ハウジング１２は、少なくとも１つのモジュール回転防止突起１２Ｆを含むことができる。モジュール回転防止突起１２Ｆは、少なくとも１つのハウジング回転防止窪み１４Ｄ（図３０Ｆに示される）を有するモジュール１４の回転防止突起窪み１４Ｄの内側にスライド可能に嵌合するように構成され、その結果、ねじ付き軸１３が時計回りに回転すると、モジュール１４は、回転防止突起窪み１４Ｄにスライド可能に接続されたモジュール回転防止突起１２Ｆとの間の相互作用によってねじ付き軸１３の長手方向軸の周りを回転するのを防止され、ねじシャフト１３に沿ってハウジングの方向に移動する。そして、ねじ付き軸１３が反時計回りに回転すると、モジュール１４は、回転防止突起窪み１４Ｄにスライド可能に接続されたモジュール回転防止突起１２Ｆとの間の相互作用によってねじ付き軸１３の長手方向軸を中心に回転するのを防止され、ねじ付き軸１３に沿ってハウジング１２の反対方向に移動する。好ましくは、モジュール回転防止突起１２Ｆはハウジング１２の一部として作成されるとよい、しかしながら、モジュール１２の回転防止突起１２Ｆは、別個に作製され、その後、ハウジング１２に固定されてもよい。その場合、モジュールの回転防止突起１２Ｆは、限定されないが、例えば、金属および／またはプラスチックで作られる。
【００５２】
別の一実施例では、図２７Ａに示されるように、ハウジング１２は、少なくとも１つのベアリング１２Ｅを含み得る。好ましくは、ベアリング１２Ｅは、プレーンベアリング、ワッシャーファスナー、および／または回転要素ベアリングなどであるが、これらに限定されず、これは金属および／またはプラスチックなどで作られるがこれらに限定されない。好ましくは、ベアリング１２Ｅは、ねじ付き軸１３の第１端部１３Ａおよび／またはコントローラー１１の第２端部１１Ｂを受け入れるように構成される。ベアリング１２Ｅは、装置１０の使用中に装置１０の摩擦および取り扱い応力を低減する。
【００５３】
別の一実施例では、図２７および図２８に示されるように、ハウジング１２は、少なくとも１つのハウジング外部突起１２Ｄを含み得る。ハウジングの外部突起１２Ｄは、使用者が装置１０のシャフト１７が挿入される身体開口部に最も近い身体部分を押すことによって、使用者が装置１０の調整を行うとき、装置１０が身体開口部内で回転するのを防止する。ハウジング外部突起１２Ｄはまた、装置１０の利用を容易にするためのハンドルでもある。ハウジング外部突起１２Ｄは、少なくとも１つの電子部品１８（図２８Ｃに示される）、振動モーター２２（図２８Ｃに示され、振動モーター２２は振動モーターセクションに記述される）、加熱要素（図示せず；加熱要素セクションに記載）、心拍数モニター（図示せず、心拍数モニターセクションに記載されている心拍数モニター）、電気電極（図示せず、電気刺激電極セクションに記載された電気電極）、陰茎リング（図示せず、陰茎リングセクションに記載された陰茎リング）、ウェイト３２（この一実施例に図示せず、ウェイトセクションに記載されたウェイト３２）、および／または、胴回り調整指示器２３（この一実施例では図示されていない、胴回り調整インジケータセクションに記載されている胴回り調整指示器２３）を含み得る。ハウジングの外部突起１２Ｄはまた、装置１０の身体開口部への過剰挿入を防止する。ハウジング外部突起１２Ｄはまた、装置１０の使用中に身体開口部拡張手順を強化するために、別の身体部分（装置１０が女性の肛門に挿入されるときの膣など）に接触することによって刺激するように構成され得る。１２Ｄはまた、（装置１０が肛門に挿入されるときの膣のような）それに挿入されることによって別の身体開口部を刺激して、装置１０の利用中の身体開口部拡張手順を強化するように構成され得る。好ましくはハウジング外部突起１２Ｄは、ハウジング１２の一部として作られるが、ハウジング外部突起１２Ｄは、別個に作られ、ハウジング１２に取り外し可能に固定されるように構成されてもよい。これはハウジング外部突起１２Ｄがハウジング１２に繰り返し取り付けられ、そしてハウジング１２から取り外されることを意味する。その場合、ハウジングの外部突起は、限定されないが、プラスチック、硬質ゴム、金属、ガラス、および／または木材のような剛性材料で作られることが好ましい。ただし、ハウジングの外部突起１２Ｄは、これらに限定されないが、プラスチック、シリコン、および／またはゴムのような半剛性材料から作られてもよい、またはハウジングの外侮突起１２Ｄは、これらに限定されないが、シリコーン、皮革、および／またはゴムなどの半剛性および／または軟性材料と組み合わせた剛性材料から作製されてもよい。図２７Ａは、この一実施例におけるハウジング１２の一部の斜視図を示す。図２７Ｂは、この一実施例におけるハウジング１２の一部の斜視図を示す。図２８Ａは、この一実施例におけるシャフト１７がその最小胴回り寸法にある装置１０の正面図を示す。図２８Ｂは、本一実施例に係るハウジング１２の底面図である。図２８Ｃは、図２８Ｂの断面図を示す。この一実施例は、装置１０の利用中に、使用者のための身体開口部拡張および伸張手順を強化する他の特徴を提供する。
【００５４】
別の一実施例では、ハウジング１２は、以下のものから少なくとも１つを含むことができる、電子部品１８（図４５に示されるように）、振動モーター２２（図２９Ａに示されるように）、図２９Ｂに示されている胴回り調節指示器２３、加熱要素（図示せず）、電子部品１８（図示せず）に接続された心拍数モニターユニット（図示せず）、電気刺激電極（図示せず）、陰茎リング（図示せず）、および／またはウェイト３２（  図２９Ｂに示される）。この一実施例は、装置１０の利用中に、使用者のための身体開口部拡張および伸張手順を強化する他の特徴を提供する。
【００５５】
＜モジュール＞
好ましい一実施例では、モジュール１４は、図３０に示すように、傾斜面１４Ａを有する少なくとも１つの円錐部分、平坦回転防止コネクタ１４Ｂ、大文字のＴ字形の回転防止コネクタ２４、傾斜した大文字のＴ字形回転防止コネクタ２５からなる群から選択される少なくとも１つの回転防止コネクタ、そして１つの管１４Ｃを有する。図２、図３および図４に示す好ましい一実施例では、装置１０はねじ付き軸１３ごとに、傾斜面１４Ａを有する１つの円錐部分、少なくとも１つの回転防止コネクタ、および管１４Ｃを有する少なくとも２つのモジュール１４（図３０Ａ、図３０Ｂ、図３０Ｄ、図３０Ｅ、図３０Ｇ、および図３０Ｈに示される一実施例におけるモジュール１４）、または傾斜面１４Ａを有する少なくとも２つの円錐部分、少なくとも１つの回転防止コネクタ、および管１４Ｃを有する少なくとも１つのモジュール１４（この一実施例では装置１０は図示されていないが、この一実施例のモジュール１４は図３０Ｃおよび図３０Ｆに図示されている）を備える。しかし、ねじ付き軸１３あたり傾斜面１４Ａを有する１つの円錐部分、少なくとも１つの回転防止コネクタ、およびの運河１４Ｃ（この一実施例では装置１０は図示せず）を有する１つのモジュール１４で装置１０を構成することも可能である。
【００５６】
好ましくは、傾斜面１４Ａを有する円錐部分は、ほぼまたは正確に円錐形に構成され、したがって、頂点、傾斜面、および平坦底面で構成される。傾斜面１４Ａの円錐部分の傾斜面は、２．５４ミリメートルより大きい。好ましくは、管１４Ｃは、頂点から平坦な基部の中心まで、傾斜面１４Ａの円錐部分を通過する。管１４Ｃは、ねじ付き管、少なくとも１つのファスナー窪みを有するねじ付き管、または少なくとも１つのファスナー窪み１４ＣＡを有するねじなし管（図３０Ｅ、図３０Ｆおよび図３０Ｇに示される）などである。管１４Ｃの機能は、ねじ付き軸１３が回転するときにねじ付き軸１３と機械的に相互作用して、モジュール１４（ねじ付き軸１３の長手方向軸の周りの回転が防止される）をねじ付き軸１３に沿って移動させることである。管１４Ｃにねじが切られているとき、管１４Ｃとねじ付き軸１３との間の機械的相互作用は直接的である。管１４Ｃが少なくとも１つのファスナー窪みを有する非ねじであるとき、ファスナー窪みは、これらに限定されないがナットファスナーおよび／またはウィングナットファスナーであり、管１４Ｃとねじ付き軸１３の間の機械的相互作用は、ファスナー窪み内に挿入されたファスナーを介して行われる。管１４Ｃにねじが切られていて、少なくとも１つのファスナー窪みがある場合、ここで、ファスナー窪みは、ナットファスナー、および／または蝶ナットファスナーなどの少なくとも１つのファスナーを含み、管１４Ｃとねじ付き軸１３との間の機械的相互作用は、直接的であり、かつファスナー窪みの内側に挿入されたファスナーを介しておこなわれる。管１４Ｃは、ねじ付き軸１３を受け入れるように構成されており、ねじ付き軸１３が時計回りに回転すると、モジュール１４は、少なくとも１つのシャフト部材１５の少なくとも１つのモジュールコネクタ溝１５Ｄに摺動可能に接続された少なくとも１つの回転防止コネクタの相互作用により、ねじ付き軸１３の長手方向軸を中心に回転するのを防止し、ハウジング１２の方向にねじ付き軸１３に沿って移動する。ねじ付き軸１３が反時計回りに回転すると、モジュール１４は、少なくとも１つのシャフト部材１５の少なくとも１つのモジュールコネクタ溝１５Ｄにスライド可能に接続された少なくとも１つの回転防止コネクタ間の相互作用によってねじ付き軸１３の長手軸周りに回転するのを防ぎ、ハウジング１２の反対方向にねじ付き軸１３に沿って移動する。
【００５７】
少なくとも１つのモジュール１４の傾斜面１４Ａを有する円錐部分の平坦底面は、ねじ切りされた次のモジュール１４の傾斜面１４Ａを有する円錐部分の頂点をスライド可能に受け入れる（図示せず）ように構成され得る。これはねじ付き軸１３の長手方向軸の周りで、スライド可能に接続されたモジュール１４のねじ付き軸１３周りの望ましくない回転を防止するためである。
【００５８】
好ましくは、傾斜面１４Ａの円錐部分の頂点は、ハウジング１２の方向にあるが、傾斜面１４Ａの円錐部分の頂点は、ハウジング１２の反対方向にあり、方向を逆にすることもでき、ねじ付き軸１３の回転によるシャフト１７の胴回り寸法の増減が逆になる。装置１０の使用中に複数のシャフト部材１５への摩擦と取り扱い応力を低減するために、モジュール１４は、少なくとも１つで構成されてもよい。摩擦低減装置３４は、空洞（図３０Ｆに示す）に保持されたホイールおよびその軸、および／または空洞（図示せず）にボールなどであるがこれらに限定されない。
【００５９】
装置１０の使用中の複数のシャフト部材１５への摩擦および取り扱い応力を低減するために、モジュール１４は潤滑されてもよい。
【００６０】
好ましくは、モジュール１４は、プラスチックおよび／または金属などであるがこれらに限定されない剛性材料から作製される。モジュール１４が、金属でできている場合、磁化されて血流を増加させ、身体開口部領域の筋肉および靭帯を弛緩させ、したがって、装置１０の使用中に身体開口部の拡張および伸張を強化することができる。好ましくは傾斜面１４Ａはほぼまたは正確に円錐形に構成されるが、傾斜面１４Ａの円錐部分は、球形、三角形、ピラミッド形状、直方体形状、プリズム形状、ジャガイモ、二十面体形状、八面体形状、五角形形状、楕円形、十二面体形状および／または長方形形状など、これらに限定されないが、ほぼまたは正確に幾何学的形状に構成されてもよい。
【００６１】
図３０Ａから図３０Ｇに図示されているように、モジュール１４の回転防止コネクタは、平坦回転防止コネクタ１４Ｂ（図３０Ａ、図３０Ｂ、図３０Ｄ、図３０Ｅ、および図３０Ｆに示されている）、大文字のＴ字形である回転防止コネクタ２４（図３０Ｃおよび図３０Ｇに示されている）、および／または傾斜した大文字のＴ字形回転防止コネクタ２５（図３０Ｄおよび図３０Ｈに示されている）である。モジュール１４の回転防止コネクタ（シャフト部材１５のモジュールコネクタ溝１５Ｄにスライド可能に接続される）の機能は、ねじ付き軸１３が回転するときにモジュール１４が回転するのを防止することであり、したがって、ねじ付き軸１３が回転すると、モジュール１４はモジュールに沿って移動し、シャフト部材１５がねじ付き軸１３の長手方向軸に対して垂直に、ねじ付き軸１３の長手方向軸の方向または反対方向に移動するように案内する。
【００６２】
図３０Ａ、図３０Ｂ、図３０Ｄ、図３０Ｅ、および図３０Ｆに図示するように、平坦回転防止コネクタ１４Ｂは、ねじ付き軸１３の長手方向軸に対してほぼまたは正確に垂直に配置される。
【００６３】
図３０Ｃ、図３０Ｇでは、大文字のＴ字形回転防止コネクタ２４は、ねじ付き軸１３の長手方向軸に対してほぼまたは正確に垂直に配置された大文字のＴ字形とほぼまたは全く同様の形状で構成される。シャフト部材１５は、Ｔ字形回転防止コネクタ２４に合うよう構成された場合、モジュールコネクタ溝１５Ｄ（図３１に示す）を介して、大文字のＴ字形回転防止コネクタ２４をスライド可能に受け入れるように構成される。
【００６４】
図３０Ｄ、図３０Ｈに図示するように、傾斜した大文字のＴ字形回転防止コネクタ２５は、傾斜した大文字のＴ字形でほぼまたはまったく同様の形状に構成されている。傾斜した大文字のＴ字形回転防止コネクタ２５は、ねじ付き軸１３の長手方向軸と０．１°より大きい角度をなす。モジュール１４が傾斜した大文字のＴ字形の回転防止コネクタ２５で構成される場合、シャフト部材１５は、モジュールコネクタの溝１５Ｄ（図３１に示す）を介して傾斜した大文字Ｔ形回転防止コネクター２５をスライド可能に受容するように構成される。
【００６５】
図３０Ａは、一実施例における、傾斜面１４Ａ、複数の平坦回転防止コネクタ１４Ｂ、および管１４Ｃを備えた１つの円錐部分を有するモジュール１４の斜視図を示す。図３０Ｂは、一実施例における、傾斜面１４Ａ、複数の平坦回転防止コネクタ１４Ｂ、および管１４Ｃを備えた１つの円錐部分を有するモジュール１４の側面図を示す。図３０Ｃは、一実施例における、傾斜面１４Ａを有する２つの円錐部分、複数の大文字のＴ字形回転防止コネクタ２４、および管１４Ｃを有するモジュール１４の斜視図を示す。図３０Ｄは、一実施例における、傾斜面１４Ａ、複数の直線回転防止コネクタ１４Ｂおよび複数の傾斜した大文字のＴ字形回転防止コネクタ２５、および管１４Ｃを有する１つの円錐断面を有するモジュール１４の斜視図を示す。図３０Ｅは、一実施例における、傾斜面１４Ａ、複数の平坦回転防止コネクタ１４Ｂ、および管１４Ｃを備えた１つの円錐部分を有するモジュール１４の斜視図を示す。図３０Ｆは、一実施例における、傾斜面１４Ａ、複数の平坦回転防止コネクタ１４Ｂ、および管１４Ｃを備えた２つの円錐部分を有するモジュール１４の斜視図を示す。図３０Ｇは、一実施例における、傾斜面１４Ａ、複数の大文字のＴ字形回転防止コネクタ２４、および管１４Ｃを備えた１つの円錐断面を有するモジュール１４の斜視図を示す。図３０Ｈは、一実施例における、傾斜面１４Ａ、複数の傾斜した大文字のＴ字形回転防止コネクタ２５、および管１４Ｃを備えた１つの円錐断面を有するモジュール１４の斜視図を示す。
【００６６】
別の一実施例では、（図３０Ｆに示すように）モジュール１４は、少なくとも１つの回転防止突起窪み１４Ｄを含むことができる。ハウジング回転防止窪み１４Ｄは、少なくとも１つのモジュール回転防止突起１２Ｆを有するハウジング１２のモジュール回転防止突起１２Ｆをスライド可能に受容するように構成され、その結果、ねじ付き軸１３が時計回りに回転すると、モジュール１４はねじ付き軸１３周りの回転を防止される。ハウジング回転防止空洞１４Ｄとモジュール回転防止突起１２Ｆとの間の相互作用によりねじ付き軸１３の長手軸の周りを回転するのが防止され、ハウジング１２の方向に移動し、ねじ付き軸１３が反時計回りに回転すると、モジュール１４は、モジュール回転防止突起回転防止突起窪み１４Ｄとの間の相互作用によってねじ付き軸１３の長手方向軸の周りを回転するのが防止され、ハウジング１２の反対方向に移動する。ユーザが装置１０の調整を行うとき、モジュール回転防止突起１２Ｆとと回転防止突起窪み１４Ｄとの間の相互作用は、モジュール１４の望ましくない回転を防止し、装置１０の全体的な構造を強化する。ハウジング１２にハウジング回転防止空洞１４Ｄを配置し、かつモジュール１４にモジュール回転防止突起１２Ｆを配置することも可能であるという事実が注目される。
【００６７】
図５８に示すように、傾斜面１４Ａの円錐部分の頂点がハウジング１２の反対方向にあるとき、少なくとも１つのモジュール１４は、ねじ付き軸１３の第２端部１３Ｃに位置して、使用者がシャフト１７の胴回り寸法を大きくした場合、鞘１６の長さを鞘１６の先端１６Ｃで拡張することができ（鞘１６は鞘セクションで説明する）、したがってシャフト１７の長さも拡張することができる。図５８Ａは、装置１０の一実施例によるシャフト１７がその最小胴回り寸法にある装置１０の正面図を示す（鞘１６は図５８Ａに示さず、図５８Ａに１つのシャフト部材１５のみが示されている）。図５８Ａに示すように、この一実施例では、鞘１６の長さを拡張するためにねじ付き軸１３の第２端部１３Ｃに位置するモジュール１４は、ハウジング１２から最も遠い側である管１４Ｃを閉じるモジュールキャップ１４Ｅで構成され得る。この一実施例は、装置１０の利用中の装置１０の長さ調節などの、ユーザの身体拡張手順を強化する他の特徴を提供する。図５８Ｂは、装置１０の一実施例によるシャフト１７がその最大胴回り寸法にある装置１０の正面図を示す（鞘１６は図５８Ｂに示さず、図５８Ｂに１つのシャフト部材１５のみが示される）。図５８は、図５８Ａの底面図を示す。図５８Ｄは、図５７Ｂの底面図を示す。図５８Ｅは、図５８Ｃの断面図を示す。図５８Ｆは、図５８Ｄの断面図を示す。
【００６８】
＜シャフト部材＞
好ましい一実施例では、装置１０は、複数のシャフト部材１５を備える。好ましい一実施例では、シャフト部材１５は、少なくとも１つのハウジング溝１５ＡＡを有する第１端部１５Ａ、中間部１５Ｂ、傾斜接面１５ＣＡを持つ少なくとも１つのモジュール窪み１５Ｃ、少なくとも１つのモジュールコネクタ溝１５Ｄ、および先端部１５Ｅを有する（図３１に示されるシャフト部材１５）。以下、軸部材１５の第１端部１５Ａから先端部１５Ｅまたは先端部１５Ｅ第１端部１５Ａに向かう方向を「シャフト部材の長手軸」という。先端部１５Ｅは、図３２Ｃ  ３２Ｄに示されるような輪郭形状で構成されてもよい。これはシャフト１７の身体開口部への挿入を容易にするためである。
【００６９】
調整中に、中央から身体開口部の側面全体に渡って実質的に均一な圧力を生成することを目的として、あるいは中央から身体開口部の側面全体に渡って実質的に均一な圧力を削減することを目的として、装置１０がねじ付き軸１３あたり４つより多いシャフト部材１５（好ましい一実施例では５つまたは６つのシャフト部材）を含むことが好ましいという事実が注目される。この特定可圧力の再分配は、身体開口部の拡張と伸張に対してユーザーに最適なパフォーマンスと快適さを提供することを目的としているが、２つ、３つまたは４つのシャフト部材（この一実施例では装置１０は図示されていない）だけで装置を構成することも可能である（図３３に示すように、なお鞘１６は図示されていない）。好ましくは、シャフト部材１５は、モジュール１４（または複数のモジュール１４）が傾斜面１４Ａを有する円錐部分をねじ付き軸の中間部１３、そして／また第２端部１３Ｃで構成するのが摺動自在に嵌り込むよう同じ数のモジュール窪み１５Ｃを有する。装置１０の調整中、シャフト１７の胴回り寸法を大きくするとき、モジュール１４の傾斜面１４Ａの円錐部分の傾斜面が、モジュール窪み１５Ｃの外側の傾斜接面１５ＣＡに対してスライドし、シャフト部材１５は、ねじ付き軸１３の長手方向軸に対して垂直に、ねじ付き軸１３の長手方向軸の反対方向に移動する。各シャフト部材１５の各長手方向軸は、ねじ付き軸の長手方向軸とほぼまたは正確に平行に維持される。シャフト１７の胴回り寸法が減少するとき、鞘と回転防止コネクタと組み合わせて、モジュール１４の傾斜面１４Ａの円錐部分の傾斜面が、モジュール窪み１５Ｃ内部の傾斜接面１５ＣＡに対してスライドし、それは各シャフト部材１５をねじ付き軸１３の長手方向軸に対して垂直にねじ付き軸１３の長手方向軸の方向に移動させ、各シャフト部材１５の各長手方向軸は、ねじ付き軸１３の長手方向軸とほぼまたは正確に平行に維持される。したがって、傾斜面１４Ａを有する円錐部分の傾斜面の高さの値およびモジュール空洞１５Ｃの傾斜接面１５ＣＡの傾斜は、装置１０の調整の特定可特性を部分的に定義し、傾斜面１４Ａを持つ円錐部分が高いほど、および／またはモジュール窪み１５Ｃの傾斜接面が急なほど、ユーザーが最大および最小胴回り寸法に到達するために必要なコントローラー１１の回転が多くまた少なくなる。しかしながら、モジュール１４の傾斜面１４Ａを有する円錐部分がほぼまたは正確な円錐形状と異なる幾何学的形状に構成されている場合でも、モジュール窪み１５Ｃの傾斜接面１５ＣＡは、モジュール１４の他のどのような接面に対してもスライドすることができる。
【００７０】
複数のシャフト部材１５は、ねじ付き軸１３およびモジュール１４（または複数のモジュール１４）を取り囲むように構成される。装置１０のシャフト１７がその最小胴回り寸法にあるとき、複数のシャフト部材１５の胴回り寸法は、３１．７ミリメートルより大きい。複数のシャフト部材１５の胴回り寸法は、複数のシャフト部材１５によって形成される円筒形状の側面面積を用いて算出される。好ましくは、軸部材１５の第１端部１５Ａから先端部１５Ｅまでの長さは２５．４ミリメートルより大きい。
【００７１】
装置１０の使用中のハウジング１２および／またはモジュール１４（または複数のモジュール１４）に対する摩擦および取り扱い応力を低減するために、各シャフト部材１５は、少なくとも１つの摩擦低減器３４で構成され得る。摩擦低減器３４は、（図３８Ｂに示すように）空洞に保持された車輪およびその車軸、および／または空洞（図示せず）に保持されたボールなどであるが、これらに限定されない。
【００７２】
装置１０の使用中のハウジング１２およびモジュール１４（または複数のモジュール１４）に対する摩擦および取り扱い応力を低減するために、各シャフト部材１５は潤滑されてもよい。
【００７３】
好ましくは、シャフト部材１５は、プラスチックおよび／または金属などとこれらに限定されない剛性材料であるが、装置１０の使用中に身身体開口部との衝撃を軽減するため、シャフト部材１５は、限定されないがシリコーンおよび／またはゴムのような半剛性および／または軟性材料と組み合わせて作製されてもよい。金属でできているシャフト部材１５は磁化されて血流を増加させ、身身体開口部の筋肉と靭帯領域をリラックスさせ、したがって、装置１０の使用中の身体開口部の拡張および伸張を強化する。図３１Ａは、一実施例における１つのシャフト部材１５の正面図を示す。図３１Ｂは、一実施例における１つのシャフト部材１５の背面図を示す。図３１Ｃは、一実施例における１つのシャフト部材１５の上面図を示す。図３１Ｄは、図３０Ａの断面図を示す。図３２Ｃは、一実施例における１つのシャフト部材１５の正面図を示す。図３２Ｄは、一実施例における１つのシャフト部材１５の正面図を示す。図３３Ａは、装置１０の一実施例によるシャフト１７がその最小胴回り寸法にある装置１０の斜視図を示す（鞘１６は図３３Ａに示されていない）。図３３Ｂは、装置１０の一実施例による、シャフト１７がその最大胴回り寸法にある装置１０の斜視図を示す（鞘１６は図３３Ｂに示されていない）。
【００７４】
別の一実施例では、少なくとも１つのシャフト部材１５は、電子部品１８、振動モーター２２（図３２Ｂに示す）、加熱要素（図示せず）、電気刺激電極（図示せず）および心拍数モニター（図示せず）の少なくとも１つを含むことができる。この一実施例は、装置１０の利用中に、使用者のための身体開口拡張手順を他の特徴を提供する。
【００７５】
別の一実施例では、図３４および図３５に示されるように、少なくとも１つのシャフト部材１５は、少なくとも１つの側部延長部１５Ｆを含み得る。側部延長部１５Ｆは、（図３５に示されるように）ねじ付き軸１３の長手方向軸の周りで次に並ぶシャフト部材１５を摺動可能に接続する。この一実施例は、シャフト１７の胴回り寸法がユーザーによって増減されたときに、身体開口部の側面全体に対して生成される圧力の再分配を向上させるという事実が注目される。好ましくは、側部延長部１５Ｆは、プラスチックなどであるがこれに限定されない半剛性で弾性のある材料でできている。好ましくは、側部延長部１５Ｆは、シャフト部材１５がプラスチックで作られるとき、シャフト部材１５の一部として作られるが、側部延長部１５Ｆは、別個に作られ、軸部材１５に固定されてもよい。図３４Ａは、装置１０のシャフト１７がその最小胴回り寸法にあるときの、元の形状の少なくとも１つの側部延長部１５Ｆを有するシャフト部材１５の正面図を示す。図３４Ｂは、装置１０のシャフト１７がその最小胴回り寸法にあるときの、元の形状の少なくとも１つの側部延長部１５Ｆを有するシャフト部材１５の背面図を示す。図３４Ｃは、装置１０のシャフト１７がその最大胴回り寸法にあるとき、その元の形状から弾性的に変形した少なくとも１つの側方延長部１５Ｆを有するシャフト部材１５の正面図を示す。図３４Ｄは、装置１０のシャフト１７がその最大胴回り寸法にあるときに、その元の形状から弾性的に変形した少なくとも１つの側方延長部１５Ｆを有するシャフト部材１５の背面図を示す。図３５Ａは、この一実施例におけるシャフト１７がその最小胴回り寸法にある装置１０の正面図を示す（鞘１６は図示せず）。図３５Ｂは、本一実施例におけるシャフト１７がその最大胴回り寸法にある装置１０の正面図を示す（鞘１６は図示せず）。図３５Ｃは、この一実施例におけるシャフト１７がその最小胴回り寸法にある装置１０の上面図を示す（鞘１６は示されていない）。図３５Ｄは、この一実施例におけるシャフト１７がその最大胴回り寸法にある装置１０の上面図を示す（鞘１６は図示せず）。
【００７６】
図３６と図３７に示すように、複数のシャフト部材１５は、少なくとも１つの溝１５ＦＡを有する少なくとも１つの側部延長部１５Ｆと、少なくとも１つの側部延長溝コネクタ１５Ｇとを備えることができる。少なくとも１つの側部延長溝コネクタ１５Ｇは、少なくとも１つの溝１５ＦＡを有する少なくとも１つの側部延長１５Ｆを有する１つ前のシャフト部材１５の溝１５ＦＡおよび少なくとも１つの側部延長溝コネクター１５Ｇにスライド可能に嵌合するように構成される。１つのシャフト部材１５の溝１５ＦＡと、それにスライド可能に接続された別のシャフト部材１５の側部延長溝コネクタ１５Ｇとの間の相互作用は、複数のシャフト部材１５の各シャフト部材のねじ付き軸１３の長手方向軸に垂直でねじ付き軸１３の長手方向軸の反対方向への移動を、そしてシャフト１７の胴回り寸法がユーザによって減少されたときには、ねじ付き軸１３の長手方向軸の方向への移動を容易にする。好ましくは、側方延長溝コネクタ１５Ｇはシャフト部材１５で作られるが、側方延長溝コネクタ１５Ｇは別個に作られシャフト部材１５に固定されてもよい。その場合、側方延長溝コネクタ１５Ｇは好ましくはプラスチックおよび／または金属などでできているがこれらに限定されない。図３６Ａは、装置１０のシャフト１７の胴回り寸法が最小であるときの、元の形状の少なくとも１つの溝１５ＦＡを有する少なくとも１つの側方延長部１５Ｆ、および少なくとも１つの側方延長溝コネクタ１５Ｇを有するシャフト部材１５の正面図を示す。図３６Ｂは、装置１０のシャフト１７が最小であるときの、元の形状の少なくとも１つの側部延長溝１５ＦＡを有する少なくとも１つの側部延長部１５Ｆ、および少なくとも１つの側部延長溝コネクタ１５Ｇを有するシャフト部材１５の背面図を示す。図３６Ｃは、装置１０のシャフト１７の胴回り寸法が最大であるときの、その元の形状から弾性的に変形した少なくとも１つの溝１５ＦＡを有する少なくとも１つの側面延長部１５Ｆ、および少なくとも１つの側面延長溝コネクタ１５Ｇを有するシャフト部材１５の正面図を示す。図３６Ｄは、装置１０のシャフト１７の胴回り寸法が最大であるときの、その元の形状から弾性的に変形した少なくとも１つの溝１５ＦＡを有する少なくとも１つの側面延長部１５Ｆ、および少なくとも１つの側面延長溝コネクタ１５Ｇを有するシャフト部材１５の背面図を示す。図３７Ａは、この一実施例におけるシャフト１７がその最小胴回り寸法にある装置１０の斜視図を示す（鞘１６は図示せず）。図３７Ｂは、この一実施例におけるシャフト１７がその最大胴回り寸法にある装置１０の斜視図を示す（鞘１６は図示せず）。
【００７７】
図３８Ａに示されるように、少なくとも１つのシャフト部材１５は、少なくとも１つのシャフト部材開口部刺激突起１５Ｅを含み得る。シャフト部材開口部刺激突起１５Ｅは、装置１０の利用中に、鞘１６を介して身体開口部を刺激する。この一実施例は、装置１０の利用中にユーザの身体開口部拡張および伸張手順を強化する他の特徴を提供する。
【００７８】
別の一実施例（図示せず）では、シャフト部材１５は、少なくとも１つのシャフトばね（図示せず）を含むことができる。好ましくは、シャフトばねは、これらに限定されないが、引張ばね、円形ばね、円形ばねクランプ、および／または円形ばねクランプクリップなどであり、これらはこれらに限定されないが金属またはプラスチックで作られる。好ましくは、シャフトばねは、複数のシャフト部材１５を一緒に、少なくとも１つのシャフト部材１５をハウジング１２に、少なくとも１つのシャフト部材１５を少なくとも１つのモジュール１４（または複数のモジュール１４）に接続する。シャフトばねは、シャフト１７の胴回り寸法がユーザーによって減少するとき、少なくとも１つのシャフト部材１５、または複数のシャフト部材１５の各シャフト部材１５が、ねじ付き軸１３の長手軸に垂直に、ねじ軸１３の長手軸の方向に移動するのを容易にし、装置１０の全体的な構造を強化する。
【００７９】
＜鞘＞
好ましい実施例では、装置１０は、１つの鞘１６を備える。好ましい一実施例では、鞘１６は、図１に示すように、第１端部１６Ａ、中間部１６Ｂ、先端部１６Ｃ、および鞘の周囲を有する。好ましい一実施例では、鞘１６は、複数のシャフト部材１５を囲むように構成されるが、別の好ましい一実施例では、鞘１６の第１端部１６Ａは、（図１Ａ、図１Ｂ、図３９Ａ、および図３９Ｂに示すように）ハウジング１２を部分的に、または（図３９Ｃおよび図３９Ｄに示すように）ハウジング１２全体を囲むように構成され得る。図１Ａは、装置１０の好ましい一実施例により、シャフト１７がその最小胴回り寸法にある装置１０の正面図である。図１Ｂは、装置１０の好ましい一実施例により、シャフト１７がその最大胴回り寸法にある装置１０の正面図である。図３９Ａは、装置１０の好ましい一実施例による、シャフト１７がその最小胴回り寸法にある装置１０の正面図である。図３９Ｂは、装置１０の好ましい一実施例による、シャフト１７がその最大胴回り寸法にある装置１０の正面図である。図３９Ｃは、装置１０の好ましい一実施例に対するシャフト１７がその最小胴回り寸法にある装置１０の正面図である。図３９Ｄは、装置１０の好ましい一実施例に対する最大胴回り寸法でシャフト１７を有する装置１０の正面図である。
【００８０】
好ましくは、鞘１６は、シリコーンおよび／またはゴムなどであるがこれらに限定されない柔らかくて弾力性のある材料で作られる。好ましくは、鞘１６は、少なくとも１つの着色添加剤を加えて作製されるが、鞘１６は、着色添加剤から作製されてもよい。鞘１６は、香料添加剤、蛍光添加剤、白熱添加剤または導電性添加剤などであるがこれらに限定されない少なくとも１つの添加剤を含むことができる。この添加剤は、装置１０の使用中に、ユーザーの身体開口部拡張および伸張手順を強化する他の機能を提供する。鞘１６は、いくつかの装置１０（同じ機能を有するか、または有していない）のユーザのための利用を容易にするため、本装置１０を別の装置１０と区別するために、カラーコードおよび／または連続番号を設定することができる。鞘１６は、装置１０の使用方法をユーザーに示すために、少なくとも１つの視覚的および／または触覚的表示を設定することができる。好ましくは、鞘１６は、複数のシャフト部材１５および／またはハウジング１２に固定される。鞘１６は、複数のシャフト部材１５または複数のシャフト部材１５およびハウジング１２に取り外し可能に固定されるように構成され得る、これは、鞘１６が複数のシャフト部材１５または複数のシャフト部材１５およびハウジング１２に繰り返し固定され、その後、複数のシャフト部材１５または複数のシャフト部材１５およびハウジング１２から取り外され、その後、複数のシャフト部材１５または複数のシャフト部材１５およびハウジング１２に再び固定され得ることを意味する。好ましくは、第１端部１６Ａから先端部１６Ｃまでの鞘１６の長さは、２．５４センチメートルより大きい。好ましくは、装置１６のシャフト１７がその最小胴回り寸法にあるとき、鞘１６の鞘の胴回り寸法は、３．２５センチメートルより大きい。鞘周囲の胴回り寸法は、鞘１６の中間部１６Ｂに形成された円筒形状の側面面積を用いて算出される。シャフト１７の胴回り寸法を増加させ、したがって、鞘１６の鞘胴回りの胴回り寸法を増加させるための、ユーザがコントローラ１１を時計回りまたは反時計回りの一方向に回転させたときのコントローラ１１の回転方向は、「鞘胴回りの増加方向」と呼ばれる。シャフト１７の胴回り寸法を減少させ、したがって、鞘１６の鞘胴回りの胴回り寸法を減少させるための、ユーザがコントローラ１１を時計回りまたは反時計回りの一方向に回転させるときのコントローラ１１の回転方向は、「鞘周囲の減少方向」と呼ばれる。好ましくは、先端１６Ｃは、図１Ｃおよび図１Ｄに示されるように装置１０を閉じる。
【００８１】
別の一実施例では、図４０と図４１に示されるように、鞘１６は、少なくとも１つの鞘外部突起１６Ｄを含むことができる。鞘外部突起１６Ｄは、ユーザが装置１０のシャフト１７が挿入される身体開口部の最も近い身体部分を押すことによって、ユーザが装置１０の調整を行うときに、装置１０が身体開口部内で回転するのを防止する。鞘外部突起１６Ｄはまた、装置１０の利用を向上させるためのハンドルである。鞘外部突起１６Ｄは、少なくとも１つの、電子部品１８（図４０Ｃに示される）、振動モーター２２（図４０Ｃに示される）、加熱要素（図示せず）、心拍数モニター（図示せず）、電気刺激電極（図示せず）、陰茎リング（図示せず）、重し３２（この一実施例では図示せず）、および／または胴回り調整指示器２３（この一実施例では図示せず）を含み得る。鞘外部突出部１６Ｄはまた、身体開口部内への装置１０の過剰挿入を防止する。鞘外部突出部１６Ｄはまた、別の身体部分（装置１０が女性の肛門に挿入されるときの膣など）に接触することによって刺激し、装置１０の利用中に身体開口部拡張手順を強化するように構成され得る。鞘外部突出部１６Ｄはまた、それに挿入される（装置１０が肛門に挿入されたときの膣など）ことで別の身体開口部を刺激して、装置１０の利用中に身体開口部拡張手順を強化するように構成され得る。鞘外部突出部１６Ｄは、好ましくは、鞘１６から作られるが、鞘外部突出部１６Ｄは、別個に作られ、鞘１６に取り外し可能に固定されるように構成されてもよい。その場合、鞘外部突起１６Ｄは、プラスチックなどの剛性材料で作られるのが好ましいが、それに限定されず、外部突起１６Ｄは、プラスチック、シリコーン、および／またはゴムなどとこれらに限定されない半剛性材料で作られるか、および／または外部突出部１６Ｄは、半剛性および／またはシリコン、革、ゴムなどとこれらに限定されない軟性素材と組み合われて作られる。この一実施例は、装置１０の利用中に、使用者のための身体開口部拡張および伸張手順を強化する他の特徴を提供する。
【００８２】
別の一実施例では、図４２に示されるように、装置１０は、少なくとも１つの前立腺刺激突起１６Ｇを含み得る。前立腺刺激突起１６Ｇは、装置１０の利用中に（例えば、男性の肛門の身体開口部において）、肛門の身体開口部を介して前立腺を刺激する。この一実施例は、装置１０の利用中に、使用者のための身体開口部拡張および伸張手順を強化する他の特徴を提供する。
【００８３】
別の一実施例では、鞘１６は少なくとも１つの、図４０Ｃに示されるような電子部品１８、振動モータ２２、胴回り調整指示器２３（この一実施例では図示せず）、加熱要素（図示せず）、心拍数モニタ（図示せず）、電気刺激電極（図示せず）、陰茎リング（図示せず）、  および／またはウェイト３２（この一実施例では図示せず）を含んでもよい。この一実施例は、装置１０の利用中に、使用者のための身体開口部拡張および伸張手順を強化する他の特徴を提供する。
【００８４】
別の一実施例では、図４８に示されるように、鞘１６は、少なくとも１つの鞘開口部刺激突起１６Ｆを含み得る。鞘開口部刺激突起１６Ｆは、使用者による装置１０の利用中に、身体開口部を刺激する。図４８に示されるように、鞘開口部刺激突起１６Ｆはまた、利用中に身体開口部からの装置１０の望ましくない排出を防止するように構成され得る。
【００８５】
別の一実施例（図示せず）では、鞘１６は、少なくとも１つの長手方向突出部を含むことができる。長手方向突出部の長さは、シャフト１７の長さよりも短いか、ほぼまたは正確に同じであり、ねじ付き軸１３の長手方向軸に従う。長手方向突出部は、ねじ付き軸１３の長手方向軸の周りの２つの後続のシャフト部材１５間の隙間の感覚を最小にする。この感覚は、少なくとも１つの側部延長部１５Ｆを備えて構成されていないと、鞘の胴回りの胴回り寸法が大きくなると、各シャフト部材１５間に空間が生じるために生じる。
【００８６】
別の一実施例では、図５９Ｂに示されるように、鞘１６は、少なくとも１つの液体チャネル１６Ｅを含み得る。ユーザーが装置１０で潤滑剤を使用すると、液体チャネル１６Ｅは、装置１０の鞘１６上に潤滑剤をより長く保持し身体開口部の潤滑を確実により長くして装置１０の使用をより快適にする。
【００８７】
＜電子部品＞
別の一実施例では、装置１０は、以下に限定されないがそのような、少なくとも１つの電気部品を有する少なくとも１つの電子部品１８を含むことができる、すなわち、電池（使い捨てまたは有線および／または無線充電により複数回充電可能）、電子回路、プリント回路基板、マイクロプロセッサ、エンコーダ、回転センサー、送信機、受信機、発光ダイオード（ＬＥＤ）、タイマー、電気スピーカー、電線、およびノブ、押しボタン、スイッチ、および／または触覚スイッチなどとこれらに限らない電子制御器。電子部品１８は、密閉型電気モーター１９、振動モーター２２、胴回り調整指示器２３、加熱要素（図示せず）、心拍数モニタユニットユニット（図示せず）および／または電気刺激電極（図示せず）などとそれらに限定されない要素を有線および／または無線接続によって電力を供給、設定および／または作動するように構成することもできる。電子部品１８は、マッサージ、刺激、身体情報および／または操作情報などとこれらに限定されない身体開口部拡張および伸張手順を強化する機能をユーザーに提供するために、以下に限定されないが、所定の動作機能を備えるよう構成することができる、すなわち、モーターシャフト１９Ａを有するモーターのモーターシャフトのねじ付き軸１３の長手方向軸周りの種々の回転角度、モーターシャフト１９Ａを有するモーターのモーターシャフトの種々の回転速度、モーターシャフト１９Ａを有するモーターのモーターシャフトの種々の回転、振動モーター２２、胴回り調整指示器２３、加熱要素  （図示せず）、心拍数モニターユニット（図示せず）および／または電気刺激電極（図示せず）の少なくとも１つの種々の構成。電子部品１８は、好ましくは装置１０に固定されるが、電子部品１８（またはその構成要素の少なくとも１つ）は、装置１０に取り外し可能に固定されるように構成されてもよい。すなわち電子部品１８（またはそのコンポーネントの１つ）は繰り返し装置１０に固定し、装置１０から取り外して、再度装置１０に固定するということを意味する。電子部品１８は、ユーザーが次のような方法によって操作できる、すなわち、電子コントローラ、音声によって、および／またはデスクトップコンピュータおよび／またはモバイル電話および／もしくはモバイルコンピューティング装置などとそれらに限定されないモバイル装置上で実行されるように設計されたコンピュータプログラム（図示せず）を介して。
【００８８】
＜密閉型電気モーター＞
別の一実施例では、装置１０は、図１０、図１１、図１５、図１６および図１７に示されるように、モーターシャフト１９Ａ、モーターハウジング１９Ｂを有する少なくとも１つのモーターを有する密閉型電気モーター１９を含み得る。モーターシャフト１９Ａを有するモーターは、電子部品１８を介して、電力供給、設定および／または操作される。密閉された電気モーター１９は、（図１５に示すように）少なくとも１つの遊星歯車システム１９Ｃを含み得て、モーターシャフト１９Ａを有するモーターのモーターシャフトの回転、および／またはモーターシャフト１９Ａを有するモーターのトルクを変化させる。モータハウジング１９Ｂは、ハウジング１２に固定するか、またはハウジング１２に取り外し可能に固定することができ、これはすなわち、モータハウジング１９Ｂを繰り返してハウジング１２に固定し、次にハウジング１２から取り外し、次に再び固定することができることを意味する。密閉型電気モーター１９のモーターシャフト１９Ａを有するモーターのモーターシャフトは、好ましくはコントローラ１１の第１端部１１Ａに固定されるが、モーターシャフト１９Ａを有するモーターのモーターシャフトは取り外し可能に固定されてもよい。つまり、モーターシャフト１９Ａを備えたモーターのモーターシャフトを繰り返しコントローラー１１の第１端１１Ａに固定し、コントローラー１１の第１端１１Ａから取り外し  、その後、コントローラ１１の第１端部１１Ａに再び固定されることを意味する。モータハウジング１９Ｂは、プラスチック、硬質ゴム、金属、ガラス、および／または木材などとそれらに限定しない剛性材料で作られることが好ましいが、モータハウジング１９Ｂはプラスチック、シリコーン、および／またはゴムなどとそれらに限定しない半剛性材料で作られてもよく、またはモーターハウジング１９Ｂは、剛性材料と半剛性材料およびシリコーン、革、および  ／またはゴムなどとそれらに限定しない軟性材料と組み合わせて作られてもよい。
【００８９】
＜振動モーター＞
別の一実施例では、装置１０は、少なくとも１つの振動モータ２２を含むことができる。振動モータ２２は、限定しないが、偏心回転質量振動（ＥＲＭ）および／タイプまたは線形共振アクチュエータ（ＬＲＡ）タイプなどであることが好ましい。振動モーター２２は、電子部品１８を介して電力供給、設定および／または操作される。振動モーター２２は、低、中および／または高振幅ならびに低、中および／または高周波数振動を実行するように設定され、動作する、実質的にノイズなしで実行する。動作中に振動モーター２２によって行われる振動は、身体開口部領域の筋肉および靭帯を刺激し、したがって、装置１０の使用中に身体開口部まわりの拡張および伸張を増強する。
【００９０】
＜胴回り調整指示器＞
別の一実施例では、装置１０は、少なくとも１つの胴回り調整指示器２３を備えることができる。胴回り調整指示器２３は、音によって、触覚的に、および／または視覚的にユーザに、胴回りおよび／または装置１０の調整の限界を示す。好ましくは、胴回り調整指示器２３は、（図２９Ｂおよび図５６Ｂに示されるような）機械的タイプのものであり、機能するために電子部品および電源を必要としないことを意味する。しかしながら、胴回り調整指示器２３は、電子式であってもよく、これは、機能するために少なくとも１つの電子部品を必要とすることを意味する。胴回り調整指示器２３が電子式タイプである場合、胴回り調整指示器２３は、電子部品１８を介して電力供給、設定、および／または作動する。
【００９１】
＜加熱要素＞
別の一実施例では、装置１０は、少なくとも１つの加熱要素（図示せず）を含むことができる。加熱要素は、電子部品１８から受け取ったエネルギーを熱に変換する。加熱要素は、装置１０が挿入される身体開口部の皮膚に熱を伝達する（直接にまたは、鞘１６が導電性添加剤を含む場合鞘１６を介して）。加熱要素は、好ましくは、電気加熱要素および／またはポリマーＰＴＣ加熱要素などであるが、これらに限定されない。加熱要素は、電子部品１８を介して、電力供給、設定、および／または操作される。操作中に加熱要素によって生成される熱は、身体開口部領域の筋肉および靭帯を刺激し、したがって、装置１０の使用中の身体開口部の拡張および伸張を強化する。
【００９２】
＜心拍数モニター＞
別の一実施例では、装置１０（図示せず）は、少なくとも１つの心拍数モニターを含むことができる。心拍数モニターは、送信機および／または受信機などの、しかしこれらに限定されない少なくとも１つの構成要素を備え得、その結果、心拍数および／または装置１０が存在する身体開口部の身体の血流の変化が生じると、挿入された信号が送信機によって検出され、信号が（電線、無線技術、および／または低電力無線リンクによって）受信機に送信され、現在の心拍数が決定される。心拍数モニターは、皮膚を通る血流の変化を測定するための発光ダイオード（ＬＥＤ）で構成することができる。心拍数モニターは、使用中に装置１０が挿入される身体開口部の身体の心拍数、脈拍、および／または酸素飽和度などをリアルタイムで測定するように設定することができる。心拍数モニタは、電子部品１８を介して電力供給、設定、および／または操作される。この一実施例は、装置１０の使用中に、ユーザの身体開口部拡張および伸張手順を強化するための制御機能を提供する。
【００９３】
＜電気刺激電極＞
別の一実施例では、装置１０は、少なくとも１つの電気刺激電極を備えてもよい。電気刺激電極は、装置１０が挿入される身体開口部の皮膚に電子部品１８によって生成される電気インパルスを送達する（直接または好ましくは鞘１６が導電性添加剤を含む場合、鞘１６を介して）。電気刺激電極は、電子部品１８を介して電力供給、設定、および／または操作される。電気刺激電極は、好ましくは、電子部品１８を介して操作される。この実施例は骨盤底部理学療法などとこれに限定されないユーザの身体開口部拡張および伸張手順を強化する。
【００９４】
＜重り＞
別の一実施例では、装置１０は、（図２９Ｂに示されるように）少なくとも１つの重り３２を備えてもよい。重り３２は、好ましくは、１．９８グラム以上の重さを有する。この一実施例は、骨盤底部理学療法などとこれに限定されない、ユーザの身体開口部拡張および伸張手順を強化する他の特徴を提供する。図２９Ｂは、この一実施例におけるハウジング１２の一部を示す。
【００９５】
＜陰茎リング＞
別の一実施例では、装置１０は、少なくとも１つの陰茎リング（図示せず）を含んでもよい。陰茎リングは、好ましくは装置１０に固定されるが、陰茎リングは、装置１０に取り外し可能に固定されるように構成されてもよく、これは、陰茎リングが繰り返して装置１０に固定され、その後装置１０から取り外され、その後再び装置１０に取り付けられてもよいことを意味する。陰茎リングは、プラスチック、硬質ゴム、金属、ガラス、および／または木材などとそれらに限定しない剛性材料で作られることが好ましいが、陰茎リングはプラスチック、シリコン、ゴム、または陰茎リングなどとそれらに限定しない半鋼体材料でつくられてもよい。または陰茎リングは、鋼体材料と半鋼体材料および／またはシリコン、革、そして／またはゴムなどのそれらに限定されない軟性材料を組み合わせて作ることもできる。好ましくは、陰茎リングは、少なくとも１つの着色添加剤から作られるが、陰茎リングは、着色添加剤なしで作られてもよい。陰茎リングは、カラーコードおよび／または連続番号で構成され、装置１０を別の装置１０と区別して、いくつかの装置１０（同じ機能を持っている、または持っていない）のユーザーの利用を容易にする。陰茎リングは、ユーザーの身体開口部の拡張と伸張の手順を強化する他に、これに限定されないが、より強力な勃起またはより長い期間勃起を引き起こすために勃起した陰茎からの血流を制限し、および／またはリングが陰茎を介して身体開口部内の装置１０を保持することで使用中の装置１０の望ましくない動きを防止するといった機能を提供する。陰茎リングは、装置１０の利用および装置１０の身体開口部からの取出しを容易にするためのハンドルとして考慮され、したがって、男性および女性に有用であり得る。陰茎リングは、電子部品１８、振動モーター２２、加熱要素（図示せず）、心拍数モニター（図示せず）、電気刺激電極（図示せず）、重り３２、および／または胴回り調整インジケーター２３を組み込むことができる。
【００９６】
＜閉鎖要素＞
別の好ましい一実施例では、図３９から図４３に示すように、装置１０は閉鎖要素２６を備える。好ましくは、閉鎖要素２６は、プラスチック、硬質ゴム、金属、ガラスおよび／または木材などとそれらに限定しない剛性材料で作られるが、または閉鎖要素２６は、プラスチック、シリコーン、および／またはゴムなどとそれらに限定しない半鋼体材料で作られるか、半鋼体および／またはシリコーン、皮革、および／またはゴムなどとこれらに限らない軟性材料などと組み合わせた鋼体材料で作られてもよい。好ましくは、閉鎖要素２６は、コントローラ１１を受容し、鞘１６および／またはハウジング１２に接続されるように構成される。閉鎖要素２６は、好ましくは装置１０に固定されるが、閉鎖要素２６は、取り外し可能に装置１０に取り付けられ得る。つまり、閉鎖要素２６は、装置１０に固定され、その後、装置１０から取り外され、その後、装置１０に再び固定されてもよい。図４３Ａに示されるように、閉鎖要素２６は、カンチレバースナップフィットなどであるがこれらに限定されない少なくとも１つのコネクタ２６Ａを含み得る。その場合、ハウジング１２および／または鞘１６は、コネクタ２６Ａを受け入れるように構成される。好ましくは、閉鎖要素２６は、少なくとも１つの着色添加剤から作られるが、閉鎖要素２６は着色添加剤なしで作られてもよい。閉鎖要素２６は、装置１０を別の装置１０と区別して、（同じ機能を有するかまたは有していない）いくつかの装置１０のユーザの利用を容易にするために、カラーコードおよび／または連続番号で構成され得る。閉鎖要素２６は、限定はしないが、ほこりなどの汚染が装置１０の内部に入ることを防止する。閉鎖要素２６は、電子部品１８を備えることができる。閉鎖要素２６は、鞘１２をハウジング１２に押し付けることによって鞘１６をハウジング１２に固定するための代替物とすることもできる。図４３Ａは、一実施例における閉鎖要素２６の斜視図を示す。図４３Ｂは、一一実施例における閉鎖要素２６の斜視図を示す。
【００９７】
＜弾性帯＞
別の一実施例では、図４４に示されるように、装置１０は、少なくとも１つの弾性帯２７を含み得る。好ましくは、弾性帯２７は、ゴムおよび／またはシリコーンなどであるがこれらに限定されない弾性材料から作製される。好ましくは、弾性帯２７の幅は、１．２７ミリメートルより大きい。好ましくは、弾性帯２７は、複数のシャフト部材１５を囲んでいる。弾性帯２７は、シャフト１７の胴回り寸法がユーザーによって減少したときに複数のシャフト部材１５の各シャフト部材１５がねじ付き軸１３の長手方向にねじ付き軸１３の長手軸に垂直に移動するのを容易にし、さらに装置１０の全体的な構造を強化する。
【００９８】
＜ストラップ＞
別の一実施例では、装置１０は、図４６および図４７に示されるように、少なくとも１つのストラップ２８を備えてもよい。好ましくは、ストラップ２８は、プラスチック、シリコーン、ゴム、革、金属および／または木材などで作られるが、これらに限定されない。好ましくは、ストラップ２８は、少なくとも１つの着色添加剤から作られるが、ストラップ２８は、着色添加剤なしで作られてもよい。ストラップ２８は、カラーコードおよび／または連続番号を用いて構成されて、装置１０を別の装置１０と区別し、いくつかの装置１０（同じ機能を有するかまたは有していない）のユーザの利用を容易にし得る。ストラップ２８は、好ましくは、装置１０に固定されるが、ストラップ２８は、装置１０に取り外し可能に固定されるように構成することができ、これは、ストラップ２８が繰り返して、装置１０に固定され、次いで装置１０から取り外され、次いで再び装置１０に固定され得ることを意味する。ストラップ２８は、電子部品１８、身体皮膚保護要素２９および／またはグリップ３０を備えてもよい。ストラップ２８は、装置１０の利用を容易にするためのハンドルとして構成されてもよい。そして、装置１０の身体開口部からの取り去り、および／または、装置１０の使用中に身体開口部内に装置１０を維持するためにユーザーがその腰の周りに着用できるベルトとして構成され得る。
【００９９】
＜身体皮膚保護要素＞
別の一実施例では、装置１０は、図４９に示されるように、少なくとも１つの身体皮膚保護要素２９を含み得る。身体皮膚保護要素２９は、限定はしないが、ゴム、プラスチック、および／またはシリコーンなどでできている。好ましくは、身体皮膚保護要素２９は、少なくとも１つの着色添加剤から作られるが、身体皮膚保護要素２９は、着色添加剤なしで作られてもよい。身体皮膚保護要素２９は、装置１０を別の装置１０と区別して（同じ特徴を有するか、または持たない）いくつかの装置１０のユーザの利用を容易にするために、カラーコードおよび／または連続番号で構成され得る。身体皮膚保護要素２９は、電子部品１８を備えることができる。身体皮膚保護要素２９は、装置１０の使用中に装置１０に対する皮膚摩擦の不快感を防止する。
【０１００】
＜グリップ＞
別の一実施例では、装置１０は、図５２に示されるように、少なくとも１つのグリップ３０を備えてもよい。グリップ３０は、限定はしないが、プラスチック、シリコーン、ゴム、金属および／または木材などでできていることが好ましい。好ましくは、グリップ３０は、少なくとも１つの着色添加剤から作られるが、グリップ３０は、着色添加剤なしで作られてもよい。グリップ３０は、カラーコードおよび／または連続番号を用いて構成されて、装置１０を別の装置１０と区別して、いくつかの装置１０（同じ機能を有するかまたは有していない）のユーザの利用を容易にし得る。グリップ３０は、電子部品１８を備えることができる。グリップ３０は、装置１０の掴みを強化し、したがって、装置１０の利便を強化する。
【０１０１】
＜磁石＞
別の一実施例では、装置１０は、図５１および図５３（鞘１６は図５３には示されていない）に示される少なくとも１つの磁石３１を備えてもよい。好ましくは、磁石３１は、ネオジム磁石などであるがこれに限定されない。磁石３１は、血流を増加させ、身体開口部領域の筋肉および靭帯を弛緩させ、したがって、装置１０の利用中に身体開口部の拡張および伸張を強化する。
【０１０２】
＜複数の歯車＞
別の一実施例では、装置１０は、複数の歯車１１Ｈを含み得る。複数の歯車１１Ｈは、限定はしないが、第１端部１１Ａから第２端部１１Ｂ、第２端部１１Ｂから第１端部１３Ａ、および／または第２端部１１Ｂから第３端部１１Ｇ（第３端部１１Ｇは複数シャフトのセクションで説明されている）。複数の歯車１１Ｈは、（図２１に示すように）コントローラの角度伝達装置１１Ｅ、密閉型電気モータ１９、および／またはねじ付き軸角度伝達装置１３Ｇの一部であってもよい。複数の歯車１１Ｈは、これらに限定されないが、ストレートカット、ヘリカル、ベベル、クラウン、およびウォームなどであってもよい。複数の歯車１１Ｈの各歯車は、様々な寸法および大きさで構成されてもよい。複数の歯車１１Ｈは、回転運動を伝達し、回転速度を変更し、および／または複数の歯車１１Ｈに接続された要素間のトルクを変更する。
【０１０３】
＜複数シャフト＞
図５４に示すように、装置１０は、第３の端部１１Ｇおよび複数の歯車１１Ｈを有するコントローラ１１、２つのねじ付き軸１３および２つの鞘１６を含み得る。この一実施例では、ハウジング１２は、第３の端部１１Ｇを有するコントローラ１１を受け入れるように構成される。この一実施例は、ユーザが、膣および肛門などの２つの身体開口部で同時に装置１０の調整を実行することを可能にする。図５４Ａは、この一実施例における、ハウジング１２の一部、２つのねじ付き軸１３、ならびに第３の端部１１Ｇおよび複数のギア１１Ｈを有するコントローラ１１の間の接続を示す。図５４Ｂは、この一実施例におけるそれらの最小胴回り寸法での２つのシャフト１７を有する装置１０を図示する。
【０１０４】
図５５で説明される別の一実施例では、装置１０は、２つのコントローラ１１、２つのねじ付き軸１３、および２つの鞘１６を含んでいる。この一実施例では、ハウジング１２は、２つのコントローラ１１、２つのねじ付き軸１３、複数のシャフト部材１５および２つの鞘を受け入れるように構成されている。この一実施例では、ユーザが、膣および肛門などの２つの身体開口部で同時に装置１０の調整を実行することを可能にする。図５５Ａは、この一実施例における、２つのコントローラ１１、２つのねじ付き軸１３、およびハウジング１２の一部の間の接続を示す。図５５Ｂは、この一実施例における２つのシャフト１７がそれらの最小胴回り寸法にある装置１０を示す。
【０１０５】
＜本装置の代替実施例＞
図５６の場合、装置１０の代替一実施例は、以下で装置１０を構成することである、すなわち、第１端部１１Ａおよび第２端部１１Ｂを有する少なくとも１つのコントローラ１１、コントローラ第１端部１２Ａ、複数のシャフト部材溝１２ＢＡおよび複数のシャフト部材突起１２ＢＢ、シャフト部材第２端部１２Ｂ、コントローラ管１２Ｇ、ハウジング管１２Ｈ、を有する少なくとも１つのハウジング１２、傾斜面１４Ａを持つ少なくとも１つの円錐部分と、ねじなし管、ねじ付き管、少なくとも１つのファスナー窪みを持つねじ付き管、または少なくとも１つのファスナー窪み１４ＣＡを持つねじなし管のようなモジュール管を持つ、少なくとも１つのモジュール１４、少なくとも１つのハウジング溝１５ＡＡを有する第１端部１５Ａ、中間部１５Ｂ、傾斜接面１５ＣＡを有する少なくとも１つのモジュール窪み１５Ｃ、および先端部１５Ｅ、を有する複数のシャフト部材、および第１端１６Ａ、中間部１６Ｂ、先端エンド１６Ｃ、および鞘の周囲を持つ少なくとも１つの鞘。
この実施例においては、モジュール１４（または複数のモジュール１４）は、ねじ付き軸１３が左巻きねじであり、傾斜面１４Ａを持つ円錐部分の頂点がハウジングの方向にあり、かつユーザーがコントローラー１１を時計周りに回転する場合、コントローラー１１は、ねじ付き軸１３の長手方向軸に沿って、コントローラー管１２Ｇ内のシャフト部材の第２端部１２Ｂからハウジング１２のコントローラの第１端部１２Ａに向かう方向に回転し、同時に移動する。コントローラ１１に接続されているねじ付き軸１３は、時計回りに回転し、同時に、ねじ付き軸１３の長手軸に沿って、ハウジング管１２Ｈとコントローラ管路１２Ｇの内部でシャフト１２の端部１２Ｂから１２のハウジング１２のコントローラ第１端部１２Ａに向かう方向に移動する。そしてねじ付き軸１３に固定されたモジュール１４（または複数のモジュール１４）は時計回りに回転し、同時にねじ切りシャフト１３の長手方向軸に従ってハウジング１２の方向に移動し、モジュール１４の傾斜面１４Ａを有する円錐部分は、シャフト部材１５のモジュール空洞１５Ｃのの傾斜接面１５ＣＡに対してモジュール空洞１５Ｃの外側にスライドする。それによって各シャフト部材１５を、ねじ付き軸１３の長手方向軸とは反対方向にねじ付き軸１３の長手方向軸に垂直に移動させる。各シャフト部材１５の各縦軸は、ねじ付き軸１３の縦軸とほぼまたは正確に平行に維持され、弾性材料で作られた鞘１６は、元の形状から弾性変形する。シャフト１７の胴回り寸法は、コントローラ１１がもはやユーザによって時計回りに回転しなくなるまで増加する。これは、ユーザがシャフト１７の所望の胴回り寸法に達したことを意味し、ねじ付き軸１３およびモジュール１４（または複数のモジュール１４）がもはや回転せず、ねじ付き軸１３の長手軸に沿って移動するのを止められたことを意味する。各シャフト部材１５は、ねじ付き軸１３の長手軸方向に対して垂直に、ねじ付き軸１３の長手方向軸の反対方向に移動するのを止め、鞘１６は、弾性変形するのをやめ、シャフト１７の胴回り寸法は増大しなくなる。シャフト１７の胴回り寸法はこの寸法で維持される。
次に、ユーザがコントローラ１１を反時計回りに回転させると、コントローラ１１が回転し、同時にねじ付き軸１３がねじ付き軸１３の長手軸に沿って、ハウジング１２のコントローラー管１２Ｇの内でコントローラの第１端部１２Ａからシャフト部材の第２端部１２Ｂに向かう方向に移動する。コントローラー１１に接続されたねじ付き軸１３は、反時計回りに回転し、同時にねじ付き軸１３の長手軸に沿ってハウジング管１２Ｈおよびコントローラー管１２Ｇの内側でコントローラーの第１端部１２Ａからシャフト部材第２端部に向かう方向に移動する。そしてねじ付き軸１３に固定されたモジュール１４（または複数のモジュール１４）は、反時計回りに回転し、同時にねじ付き軸１３の軸長手方向でハウジング１２と反対方向に移動する。鞘１６はその元の形状を取り戻し、モジュール１４の傾斜面１４Ａを有する円錐部分の傾斜面は、シャフト部材１５のモジュール空洞１５Ｃの傾斜接面１５ＣＡに対してシャフト部材１５のモジュール空洞１５Ｃの内側に戻ってスライドする。シャフト部材１５は、各シャフト部材１５ねじ付き軸１３の長手方向軸に垂直にねじ付き軸１３の長手方向軸の方向に後退する。各シャフト部材１５の各長手方向軸は、ねじ付き軸１３の軸の長手方向とほぼまたは正確に平行に維持される。シャフト１７の胴回り寸法は、コントローラ１１がユーザーによってそれ以上時計回りに回転しなくなるまで減少する。これは、ユーザーがシャフトの所望の胴回り寸法に達したことを意味する。つまり、ねじ付き軸１３とモジュール１４（または複数のモジュール１４）は回転しなくなり、移動が停止し、各シャフト部材１５は、ねじ付き軸１３の長手方向軸に垂直にねじ付き軸１３の長手方向軸の方向に移動するのを止め、鞘１６がその元の形状を回復するのを止め、シャフト１７の胴回り寸法が減少するのを止める。シャフト１７の胴回り寸法は、ユーザがコントローラ１１を再び時計回りまたは反時計回りに回転させるまで、この寸法で維持される。
ユーザーが装置１０によってシャフト１７に提供されたシャフト１７の最大胴回り寸法に達した場合、コントローラー１１は回転できなくなる。これは、少なくとも１つのモジュール１４が、ハウジング１２の少なくとも１つの端部を押すことによって移動を停止し、および／または少なくとも１つの最大移動ストッパ１３Ｅが、ハウジング１２の少なくとも１つの端部を押し、および／または少なくとも１つのシャフト部材１５が、ハウジング１２の少なくとも１つの縁部を押すことにより、ねじ付き軸１３の長手方向軸とは反対方向にねじ付き軸１３の長手方向軸に垂直に移動するのを停止することを意味する。
コントローラ１１は、ユーザーが装置１０によって提供されるシャフト１７の最小胴回り寸法に達したときに回転できなくなる。これは、ねじ付き軸１３がもはや回転できず、それは少なくとも１つのモジュール１４がモジュール窪み１５の少なくとも１つの端部を押すことによって移動を停止されること、および／または少なくとも１つの最小移動ストッパー１３Ｆが、ハウジング１２の少なくとも１つの端部を押すことによる。
好ましくは、この一実施例では、コントローラ管１２Ｇはねじなし管であり、ハウジング管１２Ｈは、例えば、ねじ付き管、少なくとも１つのファスナー窪みを有するねじ付き管、および少なくとも１つのファスナー窪みを有するねじなし管である。この一実施例では、モジュール１４（または複数のモジュール１４）は、限定はしないが、溶接、および／または接着などによってねじ付き軸１３に固定される。
この一実施例では、ハウジング管１２Ｈの機能は、ねじ付き軸１３が回転するときにねじ付き軸１３と機械的に相互作用して、ねじ付き軸１３をねじ付き軸１３の長手方向軸に沿って移動させることである。
ハウジング管１２Ｈがねじ付きである場合、ハウジング管１２Ｈとねじ付き軸１３との間の機械的相互作用は直接である。ハウジング管１２Ｈがねじ付きでなく、ファスナー窪みが、ナットファスナー、ウィングナットファスナーなどのこれらに限定されない少なくとも１つのファスナーを含む場合、ハウジング管１２Ｈとねじ付き軸１３の間の機械的相互作用は、ファスナー窪み内に挿入されたファスナーを介して行われる。ハウジング管１２Ｈがねじ付きで、少なくとも１つのファスナー窪みがあり、ファスナー窪みには、ナットファスナーや蝶ナットファスナーなどの少なくとも１つのファスナーが含まれる場合、ハウジング管１２Ｈとネジ付き軸１３の間の機械的相互作用は、直接およびファスナーの空洞内に挿入されたファスナーを介してである。
【０１０６】
図５７に図示されているように、装置１０の代替の一実施例は、以下のものを有する装置１０を構成することである、すなわち、第１端部１１Ａおよびねじ付きの第２端部１１Ｂシャフト管１１ＢＡを有するコントローラ１１、コントローラ第１端１２Ａ、複数のシャフト部材溝１２ＢＡおよび複数のシャフト部材突起１２ＢＢを有するシャフト部材第２端１２Ｂ、およびねじなし管１２Ｃを有する少なくとも１つのハウジング１２、傾斜面１４Ａを持つ少なくとも１つの円錐形断面、線形回転防止コネクタ１４Ｂ、大文字のＴ形回転防止コネクタ２４、および傾斜した大文字のＴ形回転防止コネクタ２５からなるグループから選択された少なくとも１つの回転防止コネクタ、ねじなし管、ねじ付き管、少なくとも１つのファスナー窪みを有するねじ付き管、または少なくとも１つのファスナー窪み１４ＣＡを有するねじなし管のようなモジュール管を有する１つのモジュール１４、少なくとも１つのハウジング溝１５ＡＡを有する第１端部１５Ａ、中間部１５Ｂ、傾斜した縁部１５ＣＡ、少なくとも１つのモジュール窪み１５Ｃ、少なくとも１つのモジュールコネクタ溝１５Ｄ、および先端部１５Ｅを有する複数のシャフトメモリ、およびを有するバー図１６は、第１端部１６Ａ、中間部１６Ｂ、先端部１６Ｃ、および鞘胴回りを有する１つの鞘。
この一実施例では、モジュール１４（または複数のモジュール１４）は、ねじ付き軸１３に固定され、ねじ付き軸１３が右ねじであり、傾斜面１４Ａを有する円錐形セクションの頂点が、ハウジング１２の方向であり、ユーザーがコントローラー１１を時計回りに回転させると、ねじ付き軸１３（モジュール１４によってねじシャフト１３の長手方向軸の周りを回転することが防止される）は、ねじ付き軸運河１１ＢＡ内で、シャフト部材の第２端部１２Ｂからハウジング１２のコントローラ第１端１２Ａの方向に移動する、ねじ付き軸１３に固定され、シャフト部材のモジュールコネクタ溝にスライド可能に接続されたモジュールの回転防止コネクタによって、ねじ付き軸１３の長手方向軸の周りでの回転が防止されたモジュール１４（または複数のモジュール１４）はハウジング１２の方向にねじ付き軸１３の長手軸に沿って移動し、モジュール１４の傾斜面１４Ａを有する円錐部分は、シャフト部材１５のモジュール窪み１５Ｃの傾斜接面１５ＣＡに対してシャフト部材１５のモジュール窪み１５Ｃの外側に向かってスライドし、各シャフト部材１５がねじ付き軸１３の長手方向軸と反対方向にねじ付き軸１３の軸縦方向に垂直に移動するようにする。各シャフト部材１５の各長手方向軸は、ねじ付き軸１３の長手方向軸とほぼまたは正確に平行に維持される、鞘１６は、弾力性のある素材で、元の形状から弾性変形し、コントローラ１１がユーザーによって時計回りに回転しなくなるまで、シャフト１７の胴回り寸法が増加する、つまり、ユーザーがシャフト１７の所望の胴回り寸法に達し、ねじ付き軸１３が回転しなくなると、モジュール１４（または複数のモジュール１４）の移動が停止し、各シャフト部材１５は、ねじ付き軸１３の長手方向軸に対して垂直に、ねじ付き軸１３の長手方向軸の反対方向に移動するのを停止し、鞘１６は、弾性変形を停止し、シャフト１７の胴回り寸法が増加するのを止める。
シャフト１７の胴回り寸法はこの寸法で維持される。
次に、ユーザーがコントローラー１１を反時計回りに回転させると、ねじ付き軸１３がコントローラーの第１端１２Ａからねじ付き軸管１１ＢＡ内でハウジング１２のシャフト部材の第端１２Ｂに向かう方向に戻り、モジュール１４（または複数のモジュール１４）は、ハウジング１２の反対方向にあるねじ付き軸１３の縦軸に沿って戻り、鞘１６は元の形状を取り戻す、モジュール１４は、円錐部分の傾斜面が、シャフト部材１５のモジュール窪み１５Ｃの傾斜した縁部１５ＣＡに対してシャフト部材１５のモジュール窪み１５Ｃの内側に後方にスライドし、各シャフト部材１５は、ねじ付き軸１３の長手軸に対して垂直にねじ付き軸１３の長手方向軸の方向に戻る、各シャフト部材１５の各長手方向軸は、ねじ付き軸の長手方向軸とほぼまたは正確に平行に維持される。
図１３に示すように、コントローラ１７がユーザによって反時計回りに回転しなくなるまで、シャフト１７の胴回り寸法は減少し、これは、ユーザがシャフト１７の所望の胴回り寸法に到達したことを意味する。
つまり、ねじ付き軸１３は回転しなくなり、モジュール１４（または複数のモジュール１４）は移動を停止し、各シャフト部材１５は、ねじ付き軸１３の長手方向軸に対して垂直に長手方向に移動しなくなり、ねじ付き軸１３の場合、鞘１６はその元の形状を回復するのを停止し、シャフト１７の胴回り寸法は減少するのを停止する。
シャフト１７の胴回り寸法は、ユーザがコントローラ１１を再び時計回りまたは反時計回りに回転させるまで、この寸法で維持される。
ユーザーが装置１０によって提供されるシャフト１７の最大胴回り寸法に達した場合、コントローラー１１は回転できなくなる。
つまり、少なくとも１つのモジュール１４がハウジング１２の少なくとも１つの端を押すことによって停止するため、および／または少なくとも１つのシャフト部材１５がモジュールコネクタ溝１５Ｄの少なくとも１つの端を押すことによって、および／または少なくとも１つの最大移動ストッパー１３Ｅがハウジング１２の縁部および／またはコントローラ１１の一方の縁部の１つを押すことによって、および／または少なくとも１つのシャフト部材１５が、ねじ切りされたシャフト１３の長手方向軸に対して垂直にねじ切りされた長手方向軸の反対方向に移動するのを止められることによって、  シャフト１２がハウジング１２の少なくとも１つの端部を押し付けることによって、ねじ付き軸１３は回転できなくなる。
コントローラ１１は、ユーザーが装置１０によって提供されるシャフト１７の最小胴回り寸法に達したときに回転できなくなる。
つまり、少なくとも１つのモジュール１４がモジュール空洞１５Ｃの少なくとも１つの端を押すことによって移動を停止するため、および／または少なくとも１つの最小移動ストッパ１３Ｆがハウジング１２の１つの端部および／またはコントローラ１１の１つの端を押すため、ねじ付き軸１３を回転できなくなる。
ねじ付き軸管１１ＢＡは、するねじ付き管、少なくとも１つのファスナー窪みを有するねじ付き管、および少なくとも１つのファスナー窪みを有するねじなし管喉である。
この一実施例では、モジュール１４（または複数のモジュール１４）は、限定はしないが、溶接、および接着などによってねじ付き軸１３に固定される。
この一実施例では、ねじ付き軸管１１ＢＡの機能は、コントローラ１１が回転するときにねじ付き軸１３と機械的に相互作用して、ねじ付き軸１３（ねじ付き軸１３の長手方向軸の周りの回転が防止される）を、ねじ山付きシャフトの縦軸１３の長手軸に従って移動させることである。
ねじ山付きシャフトの管路１１ＢＡにねじが切られているとき、ねじ山付きシャフトの管路１１ＢＡとねじ山付きシャフト１３との間の機械的相互作用は直接である。ねじ山付きシャフトの管路１１ＢＡが、ナットファスナーや蝶ナットファスナーなどこれらに限定されない少なくとも１つのファスナー窪みを有する非ねじ山であるとき、ねじ付き軸管１１ＢＡとねじ付き軸１３の間の機械的相互作用は、内部に挿入されたファスナーを介して行われる。およびねじ付き軸の管１１ＢＡが少なくとも１つのファスナー窪みを有するねじ付きの場合、ファスナー窪みは、これに限定されないが、ナットファスナー、および／または蝶ナットファスナーなどであり、ねじ付き軸の管１１ＢＡとねじ付き軸１３の間の機械的相互作用は、直接的およびファスナーの空洞内に挿入されたファスナーを介する。
この一実施例では、ハウジング１２は、（図５７Ｅおよび図５７Ｆに示すように）ハウジング管１２Ｇを備えることができ、そしてハウジング管１２Ｇの機能は、コントローラ１１が回転するときに、ねじ付き軸１３と機械的に相互作用し、ねじ付き軸１３（ねじ付き軸１３の長手方向軸の周りでの回転を防止されている）をねじ付き軸１３の長手方向軸に沿って移動させることである。
ハウジング管１２Ｇにねじが切られている場合、ハウジング管１２Ｇとねじ付き軸１３との間の機械的相互作用は直接的であり、ハウジング管１２Ｇにねじ山がなく、少なくとも１つのファスナー窪みを有し、そのファスナー窪みは、ナットファスナーおよび／またはウィングナットファスナーなどの少なくとも１つのファスナーを含む場合、ハウジング管１２Ｇとねじ付き軸１３の間の機械的相互作用は、ファスナー窪みの内部に挿入されたファスナーを介して行われ、ハウジング管１２Ｇがねじが切られているが、少なくとも１つのファスナー窪みがあり、そのファスナー窪みにはナットファスナーおよび／またはウィングナットファスナーなどであるがこれらに限定されない少なくとも１つのファスナーが含まれる場合、ハウジング管１２Ｇとねじ付き軸１３との間の機械的相互作用は、直接的およびファスナー窪み内に挿入されたファスナーを介する。
【０１０７】
装置１０の代替一実施例（図示せず）は、以下を有する装置１０を構成することである、すなわち第１端部１１Ａおよび第２端部１１Ｂを有する少なくとも１つのコントローラ１１、コントローラの第１端部１２Ａを複数のシャフト部材溝１２ＢＡおよび複数のシャフト部材突起１２ＢＢ、モジュール回転防止突起１２Ｆ、およびねじ山のない管１２Ｃを有するシャフト部材の第２の端１２Ｂ、を有する少なくとも１つのハウジング１２、傾斜面１４Ａを有する少なくとも１つの円錐部分、少なくとも１つのハウジング回転防止窪み１４Ｄ、および管１４Ｃを有する１つのモジュール１４、少なくとも１つのハウジング溝１５ＡＡを有する第１端部１５Ａ、中間部１５Ｂ、傾斜接面１５ＣＡを持つ少なくとも１つのモジュール窪み１５Ｃ、および先端部１５Ｅを有する複数のシャフト部材、ならびに第１端部１６Ａ、中間部１６Ｂ、先端部１６Ｃ、および鞘の周囲を有する少なくとも１つの鞘１６。
ハウジング１２にハウジング回転防止窪み１４Ｄを配置し、モジュール１４にモジュール回転防止突起１２Ｆを配置することも可能であるという事実に注意するべきである。
この実施例では、装置１０は少なくとも１つのストッパー１３Ｅおよび／または少なくとも最小移動ストッパー１３Ｆが、コントローラ１１の回転を停止するよう構成され得る。
【０１０８】
装置１０の代替の一実施例（図示せず）は、以下のもので装置１０を構成することである、すなわち、第１端部１１Ａ、およびねじ付き軸管１１ＢＡを有する第２端部１１Ｂを有する少なくとも１つのコントローラ１１、コントローラ第１端部１２Ａ、複数のシャフト部材溝１２ＢＡおよび複数のシャフト部材突起１２ＢＢを有するシャフト部材第２端部１２Ｂ、モジュール回転防止突起１２Ｆ、およびねじのない管１２Ｃを有するハウジング１２、傾斜面１４Ａを持つ少なくとも１つの円錐部分、少なくとも１つのハウジング回転防止空洞１４Ｄ、および非ねじ付き運河、ねじ付き運河、少なくとも１つのファスナー空洞を備えたねじ付き運河１４ＣＡ、または少なくとも１つのファスナー窪みを備えた非ねじ付き運河１４ＣＡなどのモジュールの管を有するモジュール、少なくとも１つのハウジング溝１５ＡＡを有する第１端部１５Ａ、中間部１５Ｂ、傾斜接面１５ＣＡを備えた少なくとも１つのモジュール窪み１５Ｃ、および先端１５Ｅを有する複数のシャフト部材１５、および第１端部１６Ａ、中間部１６Ｂ、先端部１６Ｃ、および鞘周囲を有する鞘１６。
ハウジング１２にハウジング回転防止窪み１４Ｄを配置し、モジュール１４にモジュール回転防止突起１２Ｆを配置することも可能であるという事実に注意するべきである。
この一実施例では、装置１０は、少なくとも１つの最大移動ストッパー１３Ｅおよび／または少なくとも最小移動ストッパー１３Ｆが、ハウジング１２の一端および／またはコントローラ１１の一端を押して、コントローラ１１の回転を停止する。
【０１０９】
＜要素の多重結合＞
装置１０は、明らかに本文書に提示された特徴、部品、部材、要素、および構成要素の任意の異なる組み合わせで構成され得ると考えられるという事実に注目されるべきである。
【図１Ａ】
2021515615.tif 000003
【図１Ｂ】
2021515615.tif 000004
【図１Ｃ】
2021515615.tif 000005
【図１Ｄ】
2021515615.tif 000006
【図２Ａ】
2021515615.tif 000007
【図２Ｂ】
2021515615.tif 000008
【図２Ｃ】
2021515615.tif 000009
【図２Ｄ】
2021515615.tif 000010
【図３Ａ】
2021515615.tif 000011
【図３Ｂ】
2021515615.tif 000012
【図４Ａ】
2021515615.tif 000013
【図４Ｂ】
2021515615.tif 000014
【図４Ｃ】
2021515615.tif 000015
【図４Ｄ】
2021515615.tif 000016
【図５Ａ】
2021515615.tif 000017
【図５Ｂ】
2021515615.tif 000018
【図５Ｃ】
2021515615.tif 000019
【図５Ｄ】
2021515615.tif 000020
【図６Ａ】
2021515615.tif 000021
【図６Ｂ】
2021515615.tif 000022
【図６Ｃ】
2021515615.tif 000023
【図７Ａ】
2021515615.tif 000024
【図７Ｂ】
2021515615.tif 000025
【図８】
2021515615.tif 000026
【図９】
2021515615.tif 000027
【図１０Ａ】
2021515615.tif 000028
【図１０Ｂ】
2021515615.tif 000029
【図１１】
2021515615.tif 000030
【図１２Ａ】
2021515615.tif 000031
【図１２Ｂ】
2021515615.tif 000032
【図１３Ａ】
2021515615.tif 000033
【図１３Ｂ】
2021515615.tif 000034
【図１４Ａ】
2021515615.tif 000035
【図１４Ｂ】
2021515615.tif 000036
【図１５Ａ】
2021515615.tif 000037
【図１５Ｂ】
2021515615.tif 000038
【図１６】
2021515615.tif 000039
【図１７】
2021515615.tif 000040
【図１８】
2021515615.tif 000041
【図１９】
2021515615.tif 000042
【図２０Ａ】
2021515615.tif 000043
【図２０Ｂ】
2021515615.tif 000044
【図２０Ｃ】
2021515615.tif 000045
【図２１Ａ】
2021515615.tif 000046
【図２１Ｂ】
2021515615.tif 000047
【図２２Ａ】
2021515615.tif 000048
【図２２Ｂ】
2021515615.tif 000049
【図２２Ｃ】
2021515615.tif 000050
【図２３】
2021515615.tif 000051
【図２４Ａ】
2021515615.tif 000052
【図２４Ｂ】
2021515615.tif 000053
【図２４Ｃ】
2021515615.tif 000054
【図２４Ｄ】
2021515615.tif 000055
【図２５Ａ】
2021515615.tif 000056
【図２５Ｂ】
2021515615.tif 000057
【図２６Ａ】
2021515615.tif 000058
【図２６Ｂ】
2021515615.tif 000059
【図２６Ｃ】
2021515615.tif 000060
【図２７Ａ】
2021515615.tif 000061
【図２７Ｂ】
2021515615.tif 000062
【図２７Ｃ】
2021515615.tif 000063
【図２７Ｄ】
2021515615.tif 000064
【図２８Ａ】
2021515615.tif 000065
【図２８Ｂ】
2021515615.tif 000066
【図２８Ｃ】
2021515615.tif 000067
【図２９Ａ】
2021515615.tif 000068
【図２９Ｂ】
2021515615.tif 000069
【図２９Ｃ】
2021515615.tif 000070
【図２９Ｄ】
2021515615.tif 000071
【図３０Ａ】
2021515615.tif 000072
【図３０Ｂ】
2021515615.tif 000073
【図３０Ｃ】
2021515615.tif 000074
【図３０Ｄ】
2021515615.tif 000075
【図３０Ｅ】
2021515615.tif 000076
【図３０Ｆ】
2021515615.tif 000077
【図３０Ｇ】
2021515615.tif 000078
【図３０Ｈ】
2021515615.tif 000079
【図３１Ａ】
2021515615.tif 000080
【図３１Ｂ】
2021515615.tif 000081
【図３１Ｃ】
2021515615.tif 000082
【図３１Ｄ】
2021515615.tif 000083
【図３２Ａ】
2021515615.tif 000084
【図３２Ｂ】
2021515615.tif 000085
【図３２Ｃ】
2021515615.tif 000086
【図３２Ｄ】
2021515615.tif 000087
【図３３Ａ】
2021515615.tif 000088
【図３３Ｂ】
2021515615.tif 000089
【図３４Ａ】
2021515615.tif 000090
【図３４Ｂ】
2021515615.tif 000091
【図３４Ｃ】
2021515615.tif 000092
【図３４Ｄ】
2021515615.tif 000093
【図３５Ａ】
2021515615.tif 000094
【図３５Ｂ】
2021515615.tif 000095
【図３５Ｃ】
2021515615.tif 000096
【図３５Ｄ】
2021515615.tif 000097
【図３６Ａ】
2021515615.tif 000098
【図３６Ｂ】
2021515615.tif 000099
【図３６Ｃ】
2021515615.tif 000100
【図３６Ｄ】
2021515615.tif 000101
【図３７Ａ】
2021515615.tif 000102
【図３７Ｂ】
2021515615.tif 000103
【図３８Ａ】
2021515615.tif 000104
【図３８Ｂ】
2021515615.tif 000105
【図３９Ａ】
2021515615.tif 000106
【図３９Ｂ】
2021515615.tif 000107
【図３９Ｃ】
2021515615.tif 000108
【図３９Ｄ】
2021515615.tif 000109
【図４０Ａ】
2021515615.tif 000110
【図４０Ｂ】
2021515615.tif 000111
【図４０Ｃ】
2021515615.tif 000112
【図４１】
2021515615.tif 000113
【図４２】
2021515615.tif 000114
【図４３Ａ】
2021515615.tif 000115
【図４３Ｂ】
2021515615.tif 000116
【図４３Ｃ】
2021515615.tif 000117
【図４４Ａ】
2021515615.tif 000118
【図４４Ｂ】
2021515615.tif 000119
【図４５】
2021515615.tif 000120
【図４６】
2021515615.tif 000121
【図４７】
2021515615.tif 000122
【図４８】
2021515615.tif 000123
【図４９】
2021515615.tif 000124
【図５０】
2021515615.tif 000125
【図５１Ａ】
2021515615.tif 000126
【図５１Ｂ】
2021515615.tif 000127
【図５２】
2021515615.tif 000128
【図５３】
2021515615.tif 000129
【図５４Ａ】
2021515615.tif 000130
【図５４Ｂ】
2021515615.tif 000131
【図５５Ａ】
2021515615.tif 000132
【図５５Ｂ】
2021515615.tif 000133
【図５６】
2021515615.tif 000134
【図５７】
2021515615.tif 000135
【図５８】
2021515615.tif 000136
【図５９Ａ】
2021515615.tif 000137
【図５９Ｂ】
2021515615.tif 000138
【国際調査報告】
2021515615.tif 000139